(57)【要約】【課題】遊技興趣を向上できる遊技機を提供する。【解決手段】各々を識別可能な複数種類の識別情報の可変表示を行い、表示結果として予め定められた特定表示結果が導出表示されたときに遊技者にとって有利な特定遊技状態に制御する遊技機であって、未だ開始されていない可変表示について、保留記憶として記憶可能な保留記憶手段と、可変表示を開始するときに可変表示の表示結果を特定表示結果とするか否かを決定する事前決定手段と、事前決定手段の決定前に、保留記憶手段に記憶された保留記憶にもとづく可変表示において特定表示結果となるか否かを判定する特定判定手段と、可変表示を実行中に所定条件が成立したときに、特定判定手段による判定結果にもとづいて、実行中の可変表示の変動態様を第１態様から第１態様と異なる第２態様に変更する表示態様変更手段と、を備える。【選択図】図３２
2015217185.tif 000002
【特許請求の範囲】
【請求項１】
各々を識別可能な複数種類の識別情報の可変表示を行い、表示結果として予め定められた特定表示結果が導出表示されたときに遊技者にとって有利な特定遊技状態に制御する遊技機であって、
未だ開始されていない可変表示について、保留記憶として記憶可能な保留記憶手段と、
可変表示を開始するときに該可変表示の表示結果を前記特定表示結果とするか否かを決定する事前決定手段と、
前記事前決定手段の決定前に、前記保留記憶手段に記憶された保留記憶にもとづく可変表示において前記特定表示結果となるか否かを判定する特定判定手段と、
可変表示を実行中に所定条件が成立したときに、前記特定判定手段による判定結果にもとづいて、実行中の可変表示の変動態様を第１態様から該第１態様と異なる第２態様に変更する表示態様変更手段と、
を備える
ことを特徴とする遊技機。
【請求項２】
前記識別情報とは異なる補助情報の可変表示を行うことが可能であって、
前記表示態様変更手段により実行中の可変表示の態様が前記第１態様から前記第２態様に変更された場合に、実行されていた可変表示に変えて前記補助情報による可変表示を行う
ことを特徴とする請求項１に記載の遊技機。
【請求項３】
前記識別情報とは異なる補助情報の可変表示を行うことが可能であって、
前記表示態様変更手段により可変表示の変動態様が前記第２態様に変更されたときには、実行されていた可変表示の表示結果に代えて補助情報の可変表示の表示結果を導出表示する
ことを特徴とする請求項１または２に記載の遊技機。
【請求項４】
可変表示の変動態様が第２態様に変更された後に、複数の変更タイミングうちのいずれかの該変更タイミングで前記第２態様とは異なる第３態様で可変表示を行うように変更する第２態様変更手段と、
前記判定結果の対象となる保留記憶にもとづく前記表示結果が前記特定表示結果となるときと該特定表示結果とならないときとで異なる割合で前記変更タイミングを決定する変更タイミング決定手段と、
を備える
ことを特徴とする請求項１〜３のいずれかに記載の遊技機。
【請求項５】
前記表示態様変更手段が可変表示の変動態様を前記第１態様から前記第２態様に変更することを制限する制限手段を備える
ことを特徴とする請求項１〜４のいずれかに記載の遊技機。
【請求項６】
可変表示の変動態様が第２態様に変更された後に、前記第２態様とは異なる第３態様で可変表示を行うように変更する第３態様変更手段と、
前記第３態様変更手段が前記第３態様で可変表示を行うようにするときに特別演出を実行する特別演出実行手段と、
を備える
ことを特徴とする請求項１〜５のいずれかに記載の遊技機。
【発明の詳細な説明】
【技術分野】
【０００１】
本発明は、各々を識別可能な複数種類の識別情報の可変表示を行い、表示結果として予め定められた特定表示結果が導出表示されたときに遊技者にとって有利な特定遊技状態に制御する遊技機に関する。
【背景技術】
【０００２】
従来、演出図柄の変動表示を行う遊技機として、変動表示の開始時に変動表示の表示パターンの１つとして、変動表示を途中で一時的に停止するようにみせる特定表示パターンを決定するものがある例えば、特許文献１参照）。
【先行技術文献】
【特許文献】
【０００３】
【特許文献１】特開２０１３−５６１２０号公報
【発明の概要】
【発明が解決しようとする課題】
【０００４】
しかしながら、特許文献１にあっては、１の変動表示の表示パターンとして特定表示パターンを決定するもの、つまり、変動表示の開始時に決定された特定表示パターンによって変動表示を途中で一時的に停止するようにみせることで、該特定表示パターンが実行される変動表示における表示結果を示唆するものに過ぎず、実行中の変動表示の期待度が示されるのみで、その後の変動表示における期待感を高めるものではないので、これら変動表示を途中で一時的に停止するようにみせることによる興趣を高めることができないという問題があった。
【０００５】
本発明は、このような問題点に着目してなされたもので、遊技興趣を向上できる遊技機を提供することを目的とする。
【課題を解決するための手段】
【０００６】
前記課題を解決するために、本発明の請求項１に記載の遊技機は、
各々を識別可能な複数種類の識別情報（例えば、演出図柄）の可変表示（例えば、変動表示）を行い、表示結果（例えば、停止図柄）として予め定められた特定表示結果（例えば、大当り図柄）が導出表示されたときに遊技者にとって有利な特定遊技状態（例えば、大当り遊技状態）に制御する遊技機（例えば、パチンコ遊技機１）であって、
未だ開始されていない可変表示（例えば、演出図柄の変動表示）について、保留記憶として記憶可能な保留記憶手段（例えば、特図保留記憶部１５１Ａ）と、
可変表示を開始するときに該可変表示の表示結果を前記特定表示結果とするか否かを決定する事前決定手段（例えば、ＣＰＵ１０３が、図１１に示す特別図柄プロセス処理のＳ２２において特別図柄通常処理を実行する部分）と、
前記事前決定手段の決定前に、前記保留記憶手段に記憶された保留記憶にもとづく可変表示において前記特定表示結果となるか否かを判定する特定判定手段（例えば、ＣＰＵ１０３が、図１３に示す入賞時乱数値判定処理を実行する部分）と、
可変表示を実行中に所定条件が成立したときに（例えば、演出制御用ＣＰＵ１２０が、図２２及び図２３に示す先読み予告演出決定処理のＳ２４２ａ〜Ｓ２４２ｄにて変動停止演出の実行決定条件が成立したときに）、前記特定判定手段による判定結果にもとづいて、実行中の可変表示の変動態様を第１態様（例えば、演出図柄の通常状態の変動表示）から該第１態様と異なる第２態様（例えば、演出図柄の非表示状態または停止状態）に変更する表示態様変更手段（例えば、演出制御用ＣＰＵ１２０が、図２２及び図２３に示す先読み予告演出決定処理のＳ２５４またはＳ２５６にて変動停止演出の演出パターンを決定し、図２６に示す演出図柄変動開始処理及び図２９に示す演出図柄変動中処理にて変動停止演出用プロセステーブルの内容に従って変動停止演出を実行する部分）と、
を備える
ことを特徴としている。
この特徴によれば、特定判定手段の判定結果に基づいて、現在実行中の可変表示以外のその後の可変表示に関連して、現在実行中の可変表示の変動態様が変更されるので、可変表示の変動態様を変更することによる遊技興趣を向上できる。
【０００７】
本発明の請求項２の遊技機は、請求項１に記載の遊技機であって、
前記識別情報（例えば、演出図柄）とは異なる補助情報（例えば、小図柄）の可変表示を行うことが可能であって、
前記表示態様変更手段（例えば、演出制御用ＣＰＵ１２０が、図２２及び図２３に示す先読み予告演出決定処理のＳ２５４またはＳ２５６にて変動停止演出の演出パターンを決定し、図２６に示す演出図柄変動開始処理及び図２９に示す演出図柄変動中処理にて変動停止演出用プロセステーブルの内容に従って変動停止演出を実行する部分）により実行中の可変表示の態様が前記第１態様から前記第２態様に変更された場合に、実行されていた可変表示に変えて前記補助情報による可変表示を行う（例えば、図３２（Ｂ）に示すように、変動停止演出を開始したときに演出図柄を消去するとともに小図柄の表示を開始する部分）
ことを特徴としている。
この特徴によれば、補助情報を用いて可変表示が継続していることを遊技者が認識することができる。
【０００８】
本発明の請求項３の遊技機は、請求項１または２に記載の遊技機であって、
前記識別情報（例えば、演出図柄）とは異なる補助情報（例えば、小図柄）の可変表示を行うことが可能であって、
前記表示態様変更手段（例えば、演出制御用ＣＰＵ１２０が、図２２及び図２３に示す先読み予告演出決定処理のＳ２５４またはＳ２５６にて変動停止演出の演出パターンを決定し、図２６に示す演出図柄変動開始処理及び図２９に示す演出図柄変動中処理にて変動停止演出用プロセステーブルの内容に従って変動停止演出を実行する部分）により可変表示の変動態様が前記第２態様（例えば、演出図柄の非表示状態または停止状態）に変更されたときには、実行されていた可変表示の表示結果（例えば、停止図柄）に代えて補助情報の可変表示の表示結果を導出表示する（例えば、図３２（Ｃ）に示すように、変動停止演出実行中に変動停止がなされると、小図柄表示エリアに停止図柄が導出表示される部分）
ことを特徴としている。
この特徴によれば、保留記憶にもとづく可変表示の変動の区切りを認識することができる。
【０００９】
本発明の請求項４の遊技機は、請求項１〜３のいずれかに記載の遊技機であって、
可変表示の変動態様が第２態様（例えば、変動停止演出中の変動表示）に変更された後に、複数の変更タイミングうちのいずれかの該変更タイミングで前記第２態様とは異なる第３態様で可変表示を行うように変更する第２態様変更手段（例えば、図３５（Ｄ）及び図３５（Ｅ）の変形例に示すように、演出制御用ＣＰＵ１２０が、変動停止演出を解除する解除演出を実行する部分）と、
前記判定結果の対象となる保留記憶（例えば、ターゲット保留）にもとづく前記表示結果（例えば、停止図柄）が前記特定表示結果となるとき（例えば、大当り図柄となるとき）と該特定表示結果とならないとき（例えば、大当り図柄とならないとき）とで異なる割合で前記変更タイミングを決定する変更タイミング決定手段（例えば、図３３の変形例に示すように、演出制御用ＣＰＵ１２０が、先読み予告演出決定処理のＳ２５８ｂまたはＳ２５８ｃにて変動停止演出解除タイミング決定テーブルを用いて変動停止演出を解除するタイミングを決定する部分）と、
を備える
ことを特徴としている。
この特徴によれば、第２態様の可変表示の変更タイミングに注目させることができ、遊技興趣を向上できる。
【００１０】
本発明の請求項５の遊技機は、請求項１〜４のいずれかに記載の遊技機であって、
前記表示態様変更手段（例えば、演出制御用ＣＰＵ１２０が、図２２及び図２３に示す先読み予告演出決定処理のＳ２５４またはＳ２５６にて変動停止演出の演出パターンを決定し、図２６に示す演出図柄変動開始処理及び図２９に示す演出図柄変動中処理にて変動停止演出用プロセステーブルの内容に従って変動停止演出を実行する部分）が可変表示（例えば、変動表示）の変動態様を前記第１態様（例えば、演出図柄の通常状態の変動表示）から前記第２態様（例えば、演出図柄の非表示状態または停止状態）に変更することを制限する制限手段（例えば、演出制御用ＣＰＵ１２０が、図２２及び図２３に示す先読み予告演出決定処理のＳ２４２ａ〜Ｓ２４２ｄにて変動停止演出の実行決定条件が成立していないときに変動停止演出の演出パターンを決定しないようにしている部分）を備える
ことを特徴としている。
この特徴によれば、可変表示の変動態様が第１態様から第２態様に変更されると遊技興趣が低下してしまう場合に、第２態様への変更を制限することができる。
【００１１】
本発明の請求項６に記載の遊技機は、請求項１〜５のいずれかに記載の遊技機であって、
可変表示の変動態様が第２態様（例えば、変動停止演出中の変動表示）に変更された後に、前記第２態様とは異なる第３態様で可変表示を行うように変更する第３態様変更手段（例えば、演出制御用ＣＰＵ１２０が、図２６に示す演出図柄変動開始処理のＳ２７６ｄにて変動停止演出フラグをクリアし、通常の変動表示を可能とする部分）と、
前記第３態様変更手段が前記第３態様で可変表示を行うようにするときに特別演出（例えば、変動停止演出を解除する解除演出）を実行する特別演出実行手段（例えば、演出制御用ＣＰＵ１２０が、図２７に示す予告演出決定処理のＳ２９６にて変動停止演出の解除演出が決定され、変動停止演出の解除演出を実行する部分）と、
を備える
ことを特徴としている。
この特徴によれば、第３態様で可変表示が可能となることを遊技者に認識させることができる。
【００１２】
本発明の手段１に記載の遊技機は、請求項１に記載の遊技機であって、
前記表示態様変更手段（例えば、演出制御用ＣＰＵ１２０が、図２２及び図２３に示す先読み予告演出決定処理のＳ２５４またはＳ２５６にて変動停止演出の演出パターンを決定し、図２６に示す演出図柄変動開始処理及び図２９に示す演出図柄変動中処理にて変動停止演出用プロセステーブルの内容に従って変動停止演出を実行する部分）は、前記第２態様として実行中の可変表示の変動態様を停止状態に変更する（例えば、図３６（Ｂ）の変形例に示すように、演出図柄を停止状態にする部分）
ことを特徴としている。
この特徴によれば、実行中の可変表示の変動態様が停止されるので、意外性を高めて遊技興趣を向上できる。
【００１３】
本発明の手段２に記載の遊技機は、請求項１に記載の遊技機であって、
前記表示態様変更手段（例えば、演出制御用ＣＰＵ１２０が、図２２及び図２３に示す先読み予告演出決定処理のＳ２５４またはＳ２５６にて変動停止演出の演出パターンを決定し、図２６に示す演出図柄変動開始処理及び図２９に示す演出図柄変動中処理にて変動停止演出用プロセステーブルの内容に従って変動停止演出を実行する部分）は、前記第２態様として実行中の可変表示の変動態様を非表示状態に変更する（例えば、図３２（Ｂ）に示すように、演出図柄を非表示状態にする部分）
ことを特徴としている。
この特徴によれば、実行中の可変表示の変動態様が非表示とされるので、意外性を高めて遊技興趣を向上できる。
【００１４】
本発明の手段３に記載の遊技機は、請求項５に記載の遊技機であって、
前記制限手段（例えば、演出制御用ＣＰＵ１２０が、図２２及び図２３に示す先読み予告演出決定処理のＳ２４２ａ〜Ｓ２４２ｄにて変動停止演出の実行決定条件が成立していないときに変動停止演出の演出パターンを決定しないようにしている部分）は、特別な演出が実行中（例えば、リーチ成立中）であるときに、前記表示態様変更手段（例えば、演出制御用ＣＰＵ１２０が、図２２及び図２３に示す先読み予告演出決定処理のＳ２５４またはＳ２５６にて変動停止演出の演出パターンを決定し、図２６に示す演出図柄変動開始処理及び図２９に示す演出図柄変動中処理にて変動停止演出用プロセステーブルの内容に従って変動停止演出を実行する部分）が可変表示の変動態様を前記第１態様から前記第２態様に変更することを制限する（例えば、リーチ演出中に変動停止演出を実行しないようにしている部分）
ことを特徴としている。
この特徴によれば、特別な演出が実行中であるときに、可変表示の変動態様が第１態様から第２態様に変更されて遊技興趣が低下してしまうことを防止できる。
【００１５】
本発明の手段４に記載の遊技機は、請求項１〜６、手段１〜３のいずれかに記載の遊技機であって、
前記表示態様変更手段（例えば、演出制御用ＣＰＵ１２０が、図２２及び図２３に示す先読み予告演出決定処理のＳ２５４またはＳ２５６にて変動停止演出の演出パターンを決定し、図２６に示す演出図柄変動開始処理及び図２９に示す演出図柄変動中処理にて変動停止演出用プロセステーブルの内容に従って変動停止演出を実行する部分）は、保留記憶が前記保留記憶手段に新たに記憶されたときに、実行中の可変表示の変動態様を前記第１態様から該第１態様と異なる第２態様に変更する（例えば、演出制御用ＣＰＵ１２０が、図２２及び図２３に示す先読み予告演出決定処理のＳ２４２にて表示未決定フラグに「１」がセットされているエントリが有る場合である始動入賞時に変動停止演出の実行の有無を決定する部分）
ことを特徴としている。
この特徴によれば、可変表示の第２態様への変化が保留記憶手段に新たに記憶された保留記憶と関連があるように見せることができる。
【００１６】
尚、本発明は、本発明の請求項に記載された発明特定事項のみを有するものであって良いし、本発明の請求項に記載された発明特定事項とともに該発明特定事項以外の構成を有するものであっても良い。
【図面の簡単な説明】
【００１７】
【図１】パチンコ遊技機を正面から見た正面図である。
【図２】遊技制御基板（主基板）の回路構成例を示すブロック図である。
【図３】（Ａ），（Ｂ）は、演出制御コマンドを例示する図である。
【図４】各乱数を示す説明図である。
【図５】変動パターンを例示する図である。
【図６】表示結果判定テーブルを示す説明図である。
【図７】（Ａ）は、大当り種別決定テーブルの構成例を示す図であり、（Ｂ）は、各種大当りの内容を示す図である。
【図８】遊技制御用データ保持エリアの構成例を示すブロック図である。
【図９】（Ａ）は、演出制御用データ保持エリアの構成例を示すブロック図であり、（Ｂ）は、始動入賞時受信コマンドバッファの構成を示す図である。
【図１０】遊技制御用タイマ割込み処理の一例を示すフローチャートである。
【図１１】特別図柄プロセス処理の一例を示すフローチャートである。
【図１２】始動入賞判定処理の一例を示すフローチャートである。
【図１３】入賞時乱数値判定処理の一例を示すフローチャートである。
【図１４】ハズレ用変動パターン判定テーブルの判定値の割り当てを示す説明図である。
【図１５】特別図柄通常処理の一例を示すフローチャートである。
【図１６】変動パターン設定処理の一例を示すフローチャートである。
【図１７】特別図柄停止処理の一例を示すフローチャートである。
【図１８】大当り終了処理の一例を示すフローチャートである。
【図１９】演出制御メイン処理の一例を示すフローチャートである。
【図２０】コマンド解析処理の一例を示すフローチャートである。
【図２１】演出制御プロセス処理の一例を示すフローチャートである。
【図２２】先読み予告演出決定処理の一例を示すフローチャートである。
【図２３】先読み予告演出決定処理の一例を示すフローチャートである。
【図２４】（Ａ）は、大当りの保留記憶についての演出パターン決定割合の例を示す図であり、（Ｂ）は、ハズレの保留記憶についての演出パターン決定割合の例を示す図であり、（Ｃ）は、変動停止演出が実行可能な場合の大当りの保留記憶についての演出パターン決定割合の例を示す図であり、（Ｄ）は、変動停止演出が実行可能な場合のハズレの保留記憶についての演出パターン決定割合の例を示す図である。
【図２５】（Ａ）は、保留表示更新処理の一例を示すフローチャートであり、（Ｂ）は、第１保留記憶表示エリア及び第２保留記憶表示エリアの更新例を示す図である。
【図２６】演出図柄変動開始処理の一例を示すフローチャートである。
【図２７】予告演出決定処理の一例を示すフローチャートである。
【図２８】（Ａ）は、ターゲット変動以外用の予告演出種別決定用テーブルを示す図であり、（Ｂ）は、ターゲット変動時用の予告演出種別決定用テーブルを示す図である。
【図２９】演出図柄変動中処理の一例を示すフローチャートである。
【図３０】予告演出処理の一例を示すフローチャートである。
【図３１】演出図柄変動停止処理の一例を示すフローチャートである。
【図３２】変動停止演出の演出態様の一例を示す図である。
【図３３】変形例における先読み予告演出決定処理の一例を示すフローチャートである。
【図３４】（Ａ）は、大当り時変動停止演出解除タイミング決定テーブルを示す説明図であり、（Ｂ）は、はずれ時変動停止演出解除タイミング決定テーブルを示す説明図である。
【図３５】変形例における変動停止演出の演出態様の一例を示す図である。
【図３６】変形例における変動停止演出の演出態様の一例を示す図である。
【図３７】変形例における変動停止演出の演出態様の一例を示す図である。
【発明を実施するための形態】
【００１８】
本発明に係る遊技機を実施するための形態を実施例に基づいて以下に説明する。
【実施例】
【００１９】
まず、遊技機の一例であるパチンコ遊技機１の全体の構成について説明する。図１は、パチンコ遊技機１を正面からみた正面図である。図２は、主基板における回路構成の一例を示すブロック図である。尚、以下の説明において、図１の手前側をパチンコ遊技機１の前方（前面、正面）側、奥側を背面（後方）側として説明する。尚、本実施例におけるパチンコ遊技機１の前面とは、遊技者側からパチンコ遊技機１を見たときに該遊技者と対向する対向面である。尚、本実施例におけるフローチャートの各ステップの説明において、例えば「ステップＳ１」と記載する箇所を「Ｓ１」と略記する場合がある。
【００２０】
図１は、本実施例におけるパチンコ遊技機の正面図であり、主要部材の配置レイアウトを示す。パチンコ遊技機（以下、遊技機と略記する場合がある）１は、大別して、遊技盤面を構成する遊技盤（ゲージ盤）２と、遊技盤２を支持固定する遊技機用枠（台枠）３とから構成されている。遊技盤２には、ガイドレールによって囲まれた、ほぼ円形状の遊技領域が形成されている。この遊技領域には、遊技媒体としての遊技球が、所定の打球発射装置から発射されて打ち込まれる。
【００２１】
遊技盤２の所定位置（図１に示す例では、遊技領域の右側方）には、第１特別図柄表示器４Ａと、第２特別図柄表示器４Ｂとが設けられている。第１特別図柄表示器４Ａと第２特別図柄表示器４Ｂはそれぞれ、例えば７セグメントやドットマトリクスのＬＥＤ（発光ダイオード）等から構成され、変動表示ゲームの一例となる特図ゲームにおいて、各々を識別可能な複数種類の識別情報（特別識別情報）である特別図柄（「特図」ともいう）が、変動可能に表示（変動表示または可変表示ともいう）される。例えば、第１特別図柄表示器４Ａと第２特別図柄表示器４Ｂはそれぞれ、「０」〜「９」を示す数字や「−」を示す記号等から構成される複数種類の特別図柄を変動表示する。尚、第１特別図柄表示器４Ａや第２特別図柄表示器４Ｂにおいて表示される特別図柄は、「０」〜「９」を示す数字や「−」を示す記号等から構成されるものに限定されず、例えば７セグメントのＬＥＤにおいて点灯させるものと消灯させるものとの組合せを異ならせた複数種類の点灯パターンが、複数種類の特別図柄として予め設定されていればよい。
【００２２】
複数種類の特別図柄には、それぞれに対応した図柄番号が付されている。一例として、「０」〜「９」を示す数字それぞれには、「０」〜「９」の図柄番号が付され、「−」を示す記号には、「１０」の図柄番号が付されていればよい。以下では、第１特別図柄表示器４Ａにおいて変動表示される特別図柄を「第１特図」ともいい、第２特別図柄表示器４Ｂにおいて変動表示される特別図柄を「第２特図」ともいう。
【００２３】
第１特別図柄表示器４Ａと第２特別図柄表示器４Ｂはともに、例えば方形状に形成されている。尚、第１特図の種類と第２特図の種類は同じ（例えば、ともに「０」〜「９」を示す数字、及び、「−」を示す記号）であってもよいし、種類が異なっていてもよい。また、第１特別図柄表示器４Ａと第２特別図柄表示器４Ｂはそれぞれ、例えば「００」〜「９９」を示す数字（あるいは２桁の記号）を変動表示するように構成されていてもよい。
【００２４】
遊技盤２における遊技領域の中央付近には、演出表示装置５が設けられている。演出表示装置５は、例えばＬＣＤ（液晶表示装置）等から構成され、各種の演出画像を表示する表示領域を形成している。演出表示装置５の表示領域では、特図ゲームにおける第１特別図柄表示器４Ａによる第１特図の変動表示や第２特別図柄表示器４Ｂによる第２特図の変動表示のそれぞれに対応して、例えば３つといった複数の変動表示部となる演出図柄表示エリアにて、各々を識別可能な複数種類の識別情報（装飾識別情報）である演出図柄が変動表示される。この演出図柄の変動表示も、変動表示ゲームに含まれる。
【００２５】
一例として、演出表示装置５の表示領域（画面中央部の領域）には、「左」、「中」、「右」の演出図柄表示エリア５Ｌ，５Ｃ，５Ｒが配置されている。そして、特図ゲームにおいて第１特別図柄表示器４Ａにおける第１特図の変動と第２特別図柄表示器４Ｂにおける第２特図の変動のうち、いずれかが開始されることに対応して、「左」、「中」、「右」の各演出図柄表示エリア５Ｌ，５Ｃ，５Ｒにおいて演出図柄（飾り図柄ともいう）の変動（例えば上下方向のスクロール表示）が開始される。その後、特図ゲームにおける変動表示結果として確定特別図柄が停止表示されるときに、演出表示装置５における「左」、「中」、「右」の各演出図柄表示エリア５Ｌ，５Ｃ，５Ｒにて、演出図柄の変動表示結果となる確定演出図柄（最終停止図柄）が停止表示される。
【００２６】
このように、演出表示装置５の表示領域では、第１特別図柄表示器４Ａにおける第１特図を用いた特図ゲーム、または、第２特別図柄表示器４Ｂにおける第２特図を用いた特図ゲームと同期して、各々が識別可能な複数種類の演出図柄の変動表示を行い、変動表示結果となる確定演出図柄を導出表示（あるいは単に「導出」ともいう）する。尚、例えば特別図柄や演出図柄といった、各種の表示図柄を導出表示するとは、演出図柄等の識別情報を停止表示（完全停止表示や最終停止表示ともいう）して変動表示を終了させることである。これに対して、演出図柄の変動表示を開始してから変動表示結果となる確定演出図柄が導出表示されるまでの変動表示中には、演出図柄の変動速度が「０」となって、演出図柄が停留して表示され、例えば微少な揺れや伸縮などを生じさせる表示状態となることがある。このような表示状態は、仮停止表示ともいい、変動表示における表示結果が確定的に表示されていないものの、スクロール表示や更新表示による演出図柄の変動が進行していないことを遊技者が認識可能となる。尚、仮停止表示には、微少な揺れや伸縮なども生じさせず、所定時間（例えば１秒間）よりも短い時間だけ、演出図柄を完全停止表示することなどが含まれてもよい。
【００２７】
「左」、「中」、「右」の各演出図柄表示エリア５Ｌ，５Ｃ，５Ｒにて変動表示される演出図柄には、例えば８種類の図柄（英数字「１」〜「８」あるいは漢数字や、英文字、所定のモチーフに関連する８個のキャラクタ画像、数字や文字あるいは記号とキャラクタ画像との組合せなどであればよく、キャラクタ画像は、例えば人物や動物、これら以外の物体、もしくは、文字などの記号、あるいは、その他の任意の図形を示す飾り画像であればよい）で構成される。演出図柄のそれぞれには、対応する図柄番号が付されている。例えば、「１」〜「８」を示す英数字それぞれに対して、「１」〜「８」の図柄番号が付されている。尚、演出図柄は８種類に限定されず、大当り組合せやハズレとなる組合せなど適当な数の組合せを構成可能であれば、何種類であってもよい（例えば７種類や９種類など）。
【００２８】
演出図柄の変動表示が開始された後、変動表示結果となる確定演出図柄が導出表示されるまでには、「左」、「中」、「右」の各演出図柄表示エリア５Ｌ，５Ｃ，５Ｒにおいて、例えば図柄番号が小さいものから大きいものへと順次に上方から下方へと流れるようなスクロール表示が行われ、図柄番号が最大（例えば「８」）である演出図柄が表示されると、続いて図柄番号が最小（例えば「１」）である演出図柄が表示される。あるいは、演出図柄表示エリア５Ｌ，５Ｃ，５Ｒのうち少なくともいずれか１つ（例えば「左」の演出図柄表示エリア５Ｌなど）において、図柄番号が大きいものから小さいものへとスクロール表示を行って、図柄番号が最小である演出図柄が表示されると、続いて図柄番号が最大である演出図柄が表示されるようにしてもよい。
【００２９】
尚、本実施例では、後述する変動停止演出の実行時に演出図柄の表示が消去されるようになっている。そして、当該演出図柄の表示が消去されても、変動表示が実行中であることを遊技者が認識できるように、演出表示装置５に、縮小表示された変動表示である小図柄を表示する小図柄表示エリアが設けられている。本実施例では、演出表示装置５の表示領域の右上隅に、小図柄表示エリアが設けられている（図３２（Ｂ）参照）。
【００３０】
演出表示装置５の表示領域の下部には、保留記憶表示エリア５Ｄが設定されている。保留記憶表示エリア５Ｄでは、特図ゲームに対応した変動表示の保留記憶数（特図保留記憶数）を特定可能に表示する保留記憶表示が行われる。
【００３１】
ここで、特図ゲームに対応した変動表示の保留は、普通入賞球装置６Ａが形成する第１始動入賞口や、普通可変入賞球装置６Ｂが形成する第２始動入賞口を、遊技球が通過（進入）することによる始動入賞に基づいて発生する。すなわち、特図ゲームや演出図柄の変動表示といった変動表示ゲームを実行するための始動条件（「実行条件」ともいう）は成立したが、先に成立した開始条件に基づく変動表示ゲームが実行中であることやパチンコ遊技機１が大当り遊技状態に制御されていることなどにより、変動表示ゲームの開始を許容する開始条件が成立していないときに、成立した始動条件に対応する変動表示の保留が行われる。本実施例では、第１始動入賞口を遊技球が通過（進入）することによる始動入賞に基づいて発生した保留記憶表示を丸型の白色表示とし、第２始動入賞口を遊技球が通過（進入）することによる始動入賞に基づいて発生した保留記憶表示を同様に丸型の白色表示とする。
【００３２】
尚、以下の説明において、保留記憶表示エリア５Ｄを単に保留表示エリアと称することがあり、保留記憶数は、保留記憶表示エリア５Ｄに表示される保留記憶表示の数により認識できるようになっている。更に、この保留記憶表示が集まった表示を保留表示と称することがある。
【００３３】
保留記憶表示エリア５Ｄにおける保留表示は、第１始動入賞口を遊技球が通過（進入）することによる始動入賞に基づいて発生したものであるか、第２始動入賞口を遊技球が通過（進入）することによる始動入賞に基づいて発生したものであるかに応じて、その表示態様（例えば表示色や形状）を異ならせても良い。尚、本実施例においては、『実行』と『実施』とは同義である。
【００３４】
図１に示す例では、保留記憶表示エリアとともに、第１特別図柄表示器４Ａ及び第２特別図柄表示器４Ｂの上部と下部に、特図保留記憶数を特定可能に表示するための第１保留表示器２５Ａと第２保留表示器２５Ｂとが設けられている。第１保留表示器２５Ａは、第１特図保留記憶数を特定可能に表示する。第２保留表示器２５Ｂは、第２特図保留記憶数を特定可能に表示する。第１特図保留記憶数は、第１特図を用いた特図ゲームの実行が保留されている記憶数である。第２特図保留記憶数は、第２特図を用いた特図ゲームの実行が保留されている記憶数である。第１特図保留記憶数と第２特図保留記憶数とを加算した変動表示の保留記憶数は、特に、合計保留記憶数ともいう。単に「特図保留記憶数」というときには、通常、第１特図保留記憶数、第２特図保留記憶数及び合計保留記憶数のいずれも含む概念を指すが、特に、これらの一部（例えば第１特図保留記憶数と第２特図保留記憶数を含む一方で合計保留記憶数は除く概念）を指すこともあるものとする。
【００３５】
また、本実施例では、特別図柄の変動表示に同期して演出図柄の変動表示が実行されるのであるが、このように演出表示装置５を用いた演出を行う場合において、例えば、演出図柄の変動表示を含む演出内容が画面上から一瞬消えるような演出が行われたり、可動物が画面上の全部または一部を遮蔽するような演出が行われるなど、近年においては演出態様が多様化してきている。そのため、演出表示装置５上の表示領域を見ていても、現在変動表示中の状態であるのか否か認識しにくい場合も生じている。よって、これら現在変動表示中の状態であるのか否か認識しにくいことを解消することを目的として、演出表示装置５に、演出図柄と特別図柄および普通図柄とに次ぐ第四図柄を表示する第四図柄表示エリアが設けられている。本実施例では、演出表示装置５の表示領域の右下隅に、第四図柄表示エリアが設けられている（図３２（Ｂ）参照）。また、これら第四図柄は、第１特別図柄の変動表示に同期して第１特別図柄用の第四図柄の変動表示が行われるとともに、第２特別図柄の変動表示に同期して第２特別図柄用の第四図柄の変動表示が行われるようになっている。尚、第四図柄は、常に一定の動作で変動表示され、画面上から消えたり遮蔽物で遮蔽されたりすることはないため、常に視認することができる。
【００３６】
演出表示装置５の下方には、普通入賞球装置６Ａと、普通可変入賞球装置６Ｂとが設けられている。普通入賞球装置６Ａは、例えば所定の玉受部材によって常に一定の開放状態に保たれる始動領域（第１始動領域）としての第１始動入賞口を形成する。普通可変入賞球装置６Ｂは、図２に示す普通電動役物用となるソレノイド８１によって、垂直位置となる通常開放状態と傾動位置となる拡大開放状態とに変化する一対の可動翼片を有する電動チューリップ型役物（普通電動役物）を備え、始動領域（第２始動領域）としての第２始動入賞口を形成する。
【００３７】
一例として、普通可変入賞球装置６Ｂでは、普通電動役物用のソレノイド８１がオフ状態であるときに可動翼片が垂直位置となることにより、遊技球が第２始動入賞口を通過（進入）しがたい通常開放状態となる。その一方で、普通可変入賞球装置６Ｂでは、普通電動役物用のソレノイド８１がオン状態であるときに可動翼片が傾動位置となる傾動制御により、遊技球が第２始動入賞口を通過（進入）しやすい拡大開放状態となる。尚、普通可変入賞球装置６Ｂは、通常開放状態であるときでも、第２始動入賞口には遊技球が進入可能であるものの、拡大開放状態であるときよりも遊技球が進入する可能性が低くなるように構成してもよい。あるいは、普通可変入賞球装置６Ｂは、通常開放状態において、例えば第２始動入賞口を閉鎖することなどにより、第２始動入賞口には遊技球が進入しないように構成してもよい。このように、第２始動領域としての第２始動入賞口は、遊技球が通過（進入）しやすい拡大開放状態と、遊技球が通過（進入）しにくいまたは通過（進入）できない通常開放状態とに変化する。
【００３８】
普通入賞球装置６Ａに形成された第１始動入賞口を通過（進入）した遊技球は、例えば図２に示す第１始動口スイッチ２２Ａによって検出される。普通可変入賞球装置６Ｂに形成された第２始動入賞口を通過（進入）した遊技球は、例えば図２に示す第２始動口スイッチ２２Ｂによって検出される。第１始動口スイッチ２２Ａによって遊技球が検出されたことに基づき、所定個数（例えば３個）の遊技球が賞球として払い出され、第１特図保留記憶数が所定の上限値（例えば「４」）未満であれば、第１始動条件が成立する。第２始動口スイッチ２２Ｂによって遊技球が検出されたことに基づき、所定個数（例えば３個）の遊技球が賞球として払い出され、第２特図保留記憶数が所定の上限値（例えば「４」）未満であれば、第２始動条件が成立する。尚、第１始動口スイッチ２２Ａによって遊技球が検出されたことに基づいて払い出される賞球の個数と、第２始動口スイッチ２２Ｂによって遊技球が検出されたことに基づいて払い出される賞球の個数は、互いに同一の個数であってもよいし、異なる個数であってもよい。
【００３９】
普通入賞球装置６Ａと普通可変入賞球装置６Ｂの下方位置には、特別可変入賞球装置７が設けられている。特別可変入賞球装置７は、図２に示す大入賞口扉用となるソレノイド８２によって開閉駆動される大入賞口扉を備え、その大入賞口扉によって開放状態と閉鎖状態とに変化する特定領域としての大入賞口を形成する。
【００４０】
一例として、特別可変入賞球装置７では、大入賞口扉用のソレノイド８２がオフ状態であるときに大入賞口扉が大入賞口を閉鎖状態として、遊技球が大入賞口を通過（進入）できなくする。その一方で、特別可変入賞球装置７では、大入賞口扉用のソレノイド８２がオン状態であるときに大入賞口扉が大入賞口を開放状態として、遊技球が大入賞口を通過（進入）しやすくする。このように、特定領域としての大入賞口は、遊技球が通過（進入）しやすく遊技者にとって有利な開放状態と、遊技球が通過（進入）できず遊技者にとって不利な閉鎖状態とに変化する。尚、遊技球が大入賞口を通過（進入）できない閉鎖状態に代えて、あるいは閉鎖状態の他に、遊技球が大入賞口を通過（進入）しにくい一部開放状態を設けてもよい。
【００４１】
大入賞口を通過（進入）した遊技球は、例えば図２に示すカウントスイッチ２３によって検出される。カウントスイッチ２３によって遊技球が検出されたことに基づき、所定個数（例えば１５個）の遊技球が賞球として払い出される。こうして、特別可変入賞球装置７において開放状態となった大入賞口を遊技球が通過（進入）したときには、例えば第１始動入賞口や第２始動入賞口といった、他の入賞口を遊技球が通過（進入）したときよりも多くの賞球が払い出される。したがって、特別可変入賞球装置７において大入賞口が開放状態となれば、その大入賞口に遊技球が進入可能となり、遊技者にとって有利な第１状態となる。その一方で、特別可変入賞球装置７において大入賞口が閉鎖状態となれば、大入賞口に遊技球を通過（進入）させて賞球を得ることが不可能または困難になり、遊技者にとって不利な第２状態となる。
【００４２】
遊技盤２の所定位置（図１に示す例では、遊技領域の左側方）には、普通図柄表示器２０が設けられている。一例として、普通図柄表示器２０は、第１特別図柄表示器４Ａや第２特別図柄表示器４Ｂと同様に７セグメントやドットマトリクスのＬＥＤ等から構成され、特別図柄とは異なる複数種類の識別情報である普通図柄（「普図」あるいは「普通図」ともいう）を変動可能に表示（変動表示）する。このような普通図柄の変動表示は、普図ゲーム（「普通図ゲーム」ともいう）と称される。
【００４３】
普通図柄表示器２０の上方には、普図保留表示器２５Ｃが設けられている。普図保留表示器２５Ｃは、例えば４個のＬＥＤを含んで構成され、通過ゲート４１を通過した有効通過球数としての普図保留記憶数を表示する。
【００４４】
遊技盤２の表面には、上記の構成以外にも、遊技球の流下方向や速度を変化させる風車及び多数の障害釘が設けられている。また、第１始動入賞口、第２始動入賞口及び大入賞口とは異なる入賞口として、例えば所定の玉受部材によって常に一定の開放状態に保たれる単一または複数の一般入賞口が設けられてもよい。この場合には、一般入賞口のいずれかに進入した遊技球が所定の一般入賞球スイッチによって検出されたことに基づき、所定個数（例えば１０個）の遊技球が賞球として払い出されればよい。遊技領域の最下方には、いずれの入賞口にも進入しなかった遊技球が取り込まれるアウト口が設けられている。
【００４５】
遊技機用枠３の左右上部位置には、効果音等を再生出力するためのスピーカ８Ｌ，８Ｒが設けられており、さらに遊技領域周辺部には、遊技効果ランプ９が設けられている。パチンコ遊技機１の遊技領域における各構造物（例えば普通入賞球装置６Ａ、普通可変入賞球装置６Ｂ、特別可変入賞球装置７等）の周囲には、装飾用ＬＥＤが配置されていてもよい。遊技機用枠３の右下部位置には、遊技媒体としての遊技球を遊技領域に向けて発射するために遊技者等によって操作される打球操作ハンドル（操作ノブ）が設けられている。例えば、打球操作ハンドルは、遊技者等による操作量（回転量）に応じて遊技球の弾発力を調整する。打球操作ハンドルには、打球発射装置が備える発射モータの駆動を停止させるための単発発射スイッチや、タッチリング（タッチセンサ）が設けられていればよい。
【００４６】
遊技領域の下方における遊技機用枠３の所定位置には、賞球として払い出された遊技球や所定の球貸機により貸し出された遊技球を、打球発射装置へと供給可能に保持（貯留）する上皿（打球供給皿）が設けられている。遊技機用枠３の下部には、上皿から溢れた余剰球などを、パチンコ遊技機１の外部へと排出可能に保持（貯留）する下皿が設けられている。
【００４７】
下皿を形成する部材には、例えば下皿本体の上面における手前側の所定位置（例えば下皿の中央部分）などに、遊技者が把持して傾倒操作が可能なスティックコントローラ３１Ａが取り付けられている。スティックコントローラ３１Ａは、遊技者が把持する操作桿を含み、操作桿の所定位置（例えば遊技者が操作桿を把持したときに操作手の人差し指が掛かる位置など）には、トリガボタンが設けられている。トリガボタンは、遊技者がスティックコントローラ３１Ａの操作桿を操作手（例えば左手など）で把持した状態において、所定の操作指（例えば人差し指など）で押引操作することなどにより所定の指示操作ができるように構成されていればよい。操作桿の内部には、トリガボタンに対する押引操作などによる所定の指示操作を検出するトリガセンサが内蔵されていればよい。
【００４８】
スティックコントローラ３１Ａの下部における下皿の本体内部などには、操作桿に対する傾倒操作を検出するコントローラセンサユニット３５Ａが設けられていればよい。例えば、コントローラセンサユニットは、パチンコ遊技機１と正対する遊技者の側からみて操作桿の中心位置よりも左側で遊技盤２の盤面と平行に配置された２つの透過形フォトセンサ（平行センサ対）と、この遊技者の側からみて操作桿の中心位置よりも右側で遊技盤２の盤面と垂直に配置された２つの透過形フォトセンサ（垂直センサ対）とを組合せた４つの透過形フォトセンサを含んで構成されていればよい。
【００４９】
上皿を形成する部材には、例えば上皿本体の上面における手前側の所定位置（例えばスティックコントローラ３１Ａの上方）などに、遊技者が押下動作などにより所定の指示操作を可能なプッシュボタン３１Ｂが設けられている。プッシュボタン３１Ｂは、遊技者からの押下動作を、機械的、電気的、あるいは、電磁的に、検出できるように構成されていればよい。プッシュボタン３１Ｂの設置位置における上皿の本体内部などには、プッシュボタン３１Ｂに対してなされた遊技者による押下動作を検出するプッシュセンサ３５Ｂが設けられていればよい。
【００５０】
次に、パチンコ遊技機１における遊技の進行を概略的に説明する。パチンコ遊技機１では、遊技領域に設けられた通過ゲート４１を通過した遊技球が図２に示すゲートスイッチ２１によって検出されたことといった、普通図柄表示器２０にて普通図柄の変動表示を実行するための普図始動条件が成立した後に、例えば前回の普図ゲームが終了したことといった、普通図柄の変動表示を開始するための普図開始条件が成立したことに基づいて、普通図柄表示器２０による普図ゲームが開始される。
【００５１】
この普図ゲームでは、普通図柄の変動を開始させた後、普図変動時間となる所定時間が経過すると、普通図柄の変動表示結果となる確定普通図柄を停止表示（導出表示）する。このとき、確定普通図柄として、例えば「７」を示す数字といった、特定の普通図柄（普図当り図柄）が停止表示されれば、普通図柄の変動表示結果が「普図当り」となる。その一方、確定普通図柄として、例えば「７」を示す数字以外の数字や記号といった、普図当り図柄以外の普通図柄が停止表示されれば、普通図柄の変動表示結果が「普図ハズレ」となる。普通図柄の変動表示結果が「普図当り」となったことに対応して、普通可変入賞球装置６Ｂを構成する電動チューリップの可動翼片が傾動位置となる拡大開放制御（傾動制御）が行われ、所定時間が経過すると垂直位置に戻る通常開放制御が行われる。
【００５２】
普通入賞球装置６Ａに形成された第１始動入賞口を通過（進入）した遊技球が図２に示す第１始動口スイッチ２２Ａによって検出されたことなどにより第１始動条件が成立した後に、例えば前回の特図ゲームや大当り遊技状態が終了したことなどにより第１開始条件が成立したことに基づいて、第１特別図柄表示器４Ａによる特図ゲームが開始される。また、普通可変入賞球装置６Ｂに形成された第２始動入賞口を通過（進入）した遊技球が図２に示す第２始動口スイッチ２２Ｂによって検出されたことなどにより第２始動条件が成立した後に、例えば前回の特図ゲームや大当り遊技状態が終了したことなどにより第２開始条件が成立したことに基づいて、第２特別図柄表示器４Ｂによる特図ゲームが開始される。
【００５３】
第１特別図柄表示器４Ａや第２特別図柄表示器４Ｂによる特図ゲームでは、特別図柄の変動表示を開始させた後、特図変動時間としての変動表示時間が経過すると、特別図柄の変動表示結果となる確定特別図柄（特図表示結果）を導出表示する。このとき、確定特別図柄として特定の特別図柄（大当り図柄）が停止表示されれば、特定表示結果としての「大当り」となり、大当り図柄とは異なる特別図柄が確定特別図柄として停止表示されれば「ハズレ」となる。尚、大当り図柄とは異なる所定の特別図柄（小当り図柄）が停止表示されるようにしても良く、これら所定表示結果としての所定の特別図柄（小当り図柄）が停止表示される場合には、大当り遊技状態とは異なる特殊遊技状態としての小当り遊技状態に制御すれば良い。
【００５４】
特図ゲームでの変動表示結果が「大当り」になった後には、遊技者にとって有利なラウンド（「ラウンド遊技」ともいう）を所定回数実行する特定遊技状態としての大当り遊技状態に制御される。
【００５５】
本実施例におけるパチンコ遊技機１では、一例として、「３」、「５」、「７」の数字を示す特別図柄を大当り図柄とし、「−」の記号を示す特別図柄をハズレ図柄としている。尚、小当り図柄を停止表示する場合には、例えば、「２」の数字を示す特別図柄を小当り図柄とすれば良い。尚、第１特別図柄表示器４Ａによる特図ゲームにおける大当り図柄やハズレ図柄といった各図柄は、第２特別図柄表示器４Ｂによる特図ゲームにおける各図柄とは異なる特別図柄となるようにしてもよいし、双方の特図ゲームにおいて共通の特別図柄が大当り図柄やハズレ図柄となるようにしてもよい。
【００５６】
特図ゲームにおける確定特別図柄として大当り図柄が停止表示されて特定表示結果としての「大当り」となった後、大当り遊技状態において、特別可変入賞球装置７の大入賞口扉が、所定の上限時間（例えば２９秒間や０．１秒間）が経過するまでの期間あるいは所定個数（例えば９個）の入賞球が発生するまでの期間にて、大入賞口を開放状態とする。これにより、特別可変入賞球装置７を遊技者にとって有利な第１状態（開放状態）とするラウンドが実行される。
【００５７】
ラウンドの実行中に大入賞口を開放状態とした大入賞口扉は、遊技盤２の表面を落下する遊技球を受け止め、その後に大入賞口を閉鎖状態とすることにより、特別可変入賞球装置７を遊技者にとって不利な第２状態（閉鎖状態）に変化させて、１回のラウンドを終了させる。大入賞口の開放サイクルであるラウンドは、その実行回数が所定の上限回数（例えば「１６」など）に達するまで、繰り返し実行可能となっている。尚、ラウンドの実行回数が上限回数に達する前であっても、所定条件の成立（例えば大入賞口に遊技球が入賞しなかったことなど）により、ラウンドの実行が終了するようにしてもよい。
【００５８】
大当り遊技状態におけるラウンドのうち、特別可変入賞球装置７を遊技者にとって有利な第１状態（開放状態）とする上限時間が比較的に長い時間（例えば２９秒など）となるラウンドは、通常開放ラウンドともいう。一方、特別可変入賞球装置７を第１状態（開放状態）とする上限時間が比較的に短い時間（例えば０．１秒など）となるラウンドは、短期開放ラウンドともいう。
【００５９】
大当り図柄となる「３」、「５」、「７」の数字を示す特別図柄のうち、「７」の数字を示す特別図柄は後述する確変大当りＡに対応する大当り図柄となり、「５」の数字を示す特別図柄は後述する確変大当りＢに対応する大当り図柄となる。特図ゲームにおける確定特別図柄として、「３」または「７」の大当り図柄が導出された後に制御される大当り遊技状態（通常開放大当り状態）では、特別可変入賞球装置７の大入賞口扉が、所定の上限時間（例えば２９秒間）が経過するまでの期間、あるいは所定個数（例えば９個）の入賞球が発生するまでの期間にて大入賞口を開放状態とすることにより、特別可変入賞球装置７を遊技者にとって有利な第１状態（開放状態）に変化させるラウンドが第１回数（例えば、１６回）繰返し実行される。尚、通常開放大当り状態は、第１特定遊技状態ともいう。
【００６０】
尚、大当り図柄となる「３」、「５」、「７」の数字を示す特別図柄のうち、「３」の数字を示す特別図柄は後述する非確変大当りに対応する大当り図柄となり、特別可変入賞球装置７の大入賞口扉が、所定の上限時間（例えば２９秒間）が経過するまでの期間、あるいは所定個数（例えば９個）の入賞球が発生するまでの期間にて大入賞口を開放状態とすることにより、特別可変入賞球装置７を遊技者にとって有利な第１状態（開放状態）に変化させるラウンドが、確変大当りＡと同じく第１回数（例えば、１６回）繰返し実行される。
【００６１】
特図ゲームにおける確定特別図柄として、大当り図柄となる「３」、「５」、「７」の数字を示す特別図柄のうち、「５」の数字を示す特別図柄が導出された後に制御される大当り遊技状態（短期開放大当り状態）では、各ラウンドで特別可変入賞球装置７を遊技者にとって有利な第１状態に変化させる上限時間（大入賞口扉により大入賞口を開放状態とする期間の上限）が、通常開放大当り状態における所定期間と同じであるが、特別可変入賞球装置７を遊技者にとって有利な第１状態（開放状態）に変化させるラウンドが通常開放大当り状態における第１回数（例えば、１６回）よりも少ない第２回数（例えば、５回）繰返し実行される。尚、短期開放大当り状態は、第２特定遊技状態ともいう。尚、これら短期開放大当り状態では、ラウンド回数を第２回数である５回とした形態を例示しているが、ラウンド回数は通常開放大当り状態における第１回数（例えば、１６回）と同一とする一方、所定数（例えば６）以降の各ラウンドで特別可変入賞球装置７を遊技者にとって有利な第１状態に変化させる上限時間（大入賞口扉により大入賞口を開放状態とする期間の上限）を、通常開放大当り状態における第１期間よりも短い第２期間（例えば０．１秒間）とすることで、実質的なラウンド回数を通常開放大当り状態よりも少なくするようにしても良い。
【００６２】
このような短期開放大当り状態では、ラウンド数が通常開放大当り状態よりも少ないことにより、通常開放大当り状態よりも獲得できる出玉（賞球）の期待値が少ない大当り状態であれば良い。尚、これら短期開放大当り状態では、全てのラウンドについて、大入賞口の開放期間を第２期間（０．１秒間など）とすることで、実質的には出玉（賞球）が得られない大当り遊技状態としても良い。すなわち、短期開放ラウンド特定遊技状態としての大当り遊技状態は、各ラウンドで大入賞口を遊技球が通過（進入）しやすい第１状態に変化させる期間が通常開放ラウンド特定遊技状態における第１期間よりも短い第２期間となることと、ラウンドの実行回数が通常開放ラウンド特定遊技状態における第１ラウンド数よりも少ない第２ラウンド数となることのうち、少なくともいずれか一方となることで、通常開放大当り状態よりも獲得可能な出玉（賞球）が少ないものであればよい。
【００６３】
尚、小当り図柄（例えば「２」の数字）を停止表示する場合にあっては、これら小当り図柄が確定特別図柄として導出された後に、特殊遊技状態としての小当り遊技状態に制御すれば良い。具体的に小当り遊技状態では、例えば、上記した、実質的には出玉（賞球）が得られない短期開放大当り状態と同様に特別可変入賞球装置７において大入賞口を遊技者にとって有利な第１状態（開放状態）に変化させる可変入賞動作を実行すれば良い。
【００６４】
演出表示装置５に設けられた「左」、「中」、「右」の演出図柄表示エリア５Ｌ，５Ｃ，５Ｒでは、第１特別図柄表示器４Ａにおける第１特図を用いた特図ゲームと、第２特別図柄表示器４Ｂにおける第２特図を用いた特図ゲームとのうち、いずれかの特図ゲームが開始されることに対応して、演出図柄の変動表示が開始される。そして、演出図柄の変動表示が開始されてから「左」、「中」、「右」の各演出図柄表示エリア５Ｌ，５Ｃ，５Ｒにおける確定演出図柄の停止表示により変動表示が終了するまでの期間では、演出図柄の変動表示状態が所定のリーチ状態となることがある。
【００６５】
ここで、リーチ状態とは、演出表示装置５の表示領域にて停止表示された演出図柄が大当り組合せの一部を構成しているときに未だ停止表示されていない演出図柄（「リーチ変動図柄」ともいう）については変動が継続している表示状態、あるいは、全部又は一部の演出図柄が大当り組合せの全部又は一部を構成しながら同期して変動している表示状態のことである。具体的には、「左」、「中」、「右」の演出図柄表示エリア５Ｌ，５Ｃ，５Ｒにおける一部（例えば「左」及び「右」の演出図柄表示エリア５Ｌ，５Ｒなど）では予め定められた大当り組合せを構成する演出図柄（例えば「７」の英数字を示す演出図柄）が停止表示されているときに未だ停止表示していない残りの演出図柄表示エリア（例えば「中」の演出図柄表示エリア５Ｃなど）では演出図柄が変動している表示状態、あるいは、「左」、「中」、「右」の演出図柄表示エリア５Ｌ，５Ｃ，５Ｒにおける全部又は一部で演出図柄が大当り組合せの全部又は一部を構成しながら同期して変動している表示状態である。
【００６６】
また、リーチ状態となったことに対応して、演出図柄の変動速度を低下させたり、演出表示装置５の表示領域に演出図柄とは異なるキャラクタ画像（人物等を模した演出画像）を表示させたり、背景画像の表示態様を変化させたり、演出図柄とは異なる動画像を再生表示させたり、演出図柄の変動態様を変化させたりすることで、リーチ状態となる以前とは異なる演出動作が実行される場合がある。このようなキャラクタ画像の表示や背景画像の表示態様の変化、動画像の再生表示、演出図柄の変動態様の変化といった演出動作を、リーチ演出表示（あるいは単にリーチ演出）という。尚、リーチ演出には、演出表示装置５における表示動作のみならず、スピーカ８Ｌ，８Ｒによる音声出力動作や、遊技効果ランプ９などの発光体における点灯動作（点滅動作）などを、リーチ状態となる以前の動作態様とは異なる動作態様とすることが、含まれていてもよい。
【００６７】
リーチ演出における演出動作としては、互いに動作態様（リーチ態様）が異なる複数種類の演出パターン（「リーチパターン」ともいう）が、予め用意されていればよい。そして、それぞれのリーチ態様では「大当り」となる可能性（「信頼度」あるいは「大当り信頼度」ともいう）が異なる。すなわち、複数種類のリーチ演出のいずれが実行されるかに応じて、変動表示結果が「大当り」となる可能性を異ならせることができる。
【００６８】
一例として、本実施例では、図５に示すように、ノーマルリーチ、スーパーリーチα、スーパーリーチβといったリーチ態様が予め設定されている。そして、スーパーリーチα、スーパーリーチβといったスーパーリーチのリーチ態様が出現した場合には、ノーマルリーチのリーチ態様が出現した場合に比べて、変動表示結果が「大当り」となる可能性（大当り期待度）が高くなる。更に、本実施例では、スーパーリーチα、スーパーリーチβといったスーパーリーチのリーチ態様においては、スーパーリーチβが出現した場合には、スーパーリーチαが出現した場合よりも変動表示結果が「大当り」となる大当り期待度が高い（大当り期待度：スーパーリーチβ＞スーパーリーチα＞ノーマルリーチ）。
【００６９】
尚、本実施例では、後述するように、リーチにおいては、変動時間がスーパーリーチβ＞スーパーリーチα＞ノーマルリーチとなるように設定されており（図５参照）、変動時間が長くなる程、大当り期待度が高くなるようになっている。
【００７０】
演出図柄の変動表示中には、リーチ演出とは異なり、演出図柄の変動表示状態がリーチ状態となる可能性があることや、変動表示結果が「大当り」となる可能性があることなどを、演出図柄の変動表示態様などにより遊技者に報知するための「滑り」や「擬似連」といった変動表示演出が実行されることがあるようにしてもよい。これら「滑り」や「擬似連」の変動表示演出は、主基板１１の側で変動パターンが決定されることなどに対応して実行するか否かが決定されればよい。尚、「滑り」の変動表示演出は、主基板１１の側で決定された変動パターンにかかわらず、演出制御基板１２の側で実行するか否かが決定されてもよい。
【００７１】
演出図柄の変動表示中には、リーチ演出あるいは「滑り」や「擬似連」などの変動表示演出とは異なり、例えば所定の演出画像を表示することや、メッセージとなる画像表示や音声出力、ランプ点灯などのように、演出図柄の変動表示動作とは異なる演出動作により、演出図柄の変動表示状態がリーチ状態となる可能性があることや、スーパーリーチによるリーチ演出が実行される可能性があること、変動表示結果が「大当り」となる可能性があることなどを、遊技者に予め報知するための予告演出が実行されることがある。予告演出となる演出動作は、「左」、「中」、「右」の演出図柄表示エリア５Ｌ，５Ｃ，５Ｒの全部にて演出図柄の変動表示が開始されてから、演出図柄の変動表示状態がリーチ状態となるより前（「左」及び「右」の演出図柄表示エリア５Ｌ，５Ｒにて演出図柄が仮停止表示されるより前）に実行（開始）されるものであればよい。また、変動表示結果が「大当り」となる可能性があることを報知する予告演出には、演出図柄の変動表示状態がリーチ状態となった後に実行されるものが含まれていてもよい。
【００７２】
予告演出のうちには、先読み予告演出となるものが含まれていてもよい。先読み予告演出は、変動表示結果が「大当り」となる可能性などが、予告される対象となる変動表示を開始するより前に、特図ゲームの保留表示などの表示態様の変化に基づいて示唆される予告演出である。特に、複数回の特図ゲームに対応して複数回実行される演出図柄の変動表示にわたり、変動表示結果が「大当り」となる可能性などを連続して予告する演出は、連続予告演出（連続演出）とも称される。尚、特図ゲームが１回実行される間に、演出図柄を一旦仮停止表示させた後、当該演出図柄を再び変動（擬似連変動、再変動）させる演出表示を所定回数行い、擬似的に複数回の変動表示が実行されているかのように見せる「擬似連」の変動表示演出を実行する遊技機においては、当該擬似的な複数回の変動表示にわたり、変動表示結果が「大当り」となる可能性などを連続して予告する予告演出も連続予告演出（連続演出）に含まれる。
【００７３】
特図ゲームにおける確定特別図柄として、ハズレ図柄となる特別図柄が停止表示（導出）される場合には、演出図柄の変動表示が開始されてから、演出図柄の変動表示状態がリーチ状態とならずに、所定の非リーチ組合せとなる確定演出図柄が停止表示されることがある。このような演出図柄の変動表示態様は、変動表示結果が「ハズレ」となる場合における「非リーチ」（「通常ハズレ」ともいう）の変動表示態様と称される。
【００７４】
特図ゲームにおける確定特別図柄として、ハズレ図柄となる特別図柄が停止表示（導出）される場合には、演出図柄の変動表示が開始されてから、演出図柄の変動表示状態がリーチ状態となったことに対応して、リーチ演出が実行された後に、あるいは、リーチ演出が実行されずに、所定のリーチハズレ組合せとなる確定演出図柄が停止表示されることがある。このような演出図柄の変動表示結果は、変動表示結果が「ハズレ」となる場合における「リーチ」（「リーチハズレ」ともいう）の変動表示態様と称される。
【００７５】
特図ゲームにおける確定特別図柄として、大当り図柄となる特別図柄のうち「３」の数字を示す大当り図柄が停止表示される場合には、演出図柄の変動表示状態がリーチ状態となったことに対応して、所定のリーチ演出が実行された後に、複数種類の大当り組合せのうち、所定の通常大当り組合せ（「非確変大当り組合せ」ともいう）となる確定演出図柄が停止表示される。尚、リーチ演出が実行されずに、確定演出図柄として非確変大当り組合せを停止表示しても良い。
【００７６】
通常大当り組合せ（非確変大当り組合せ）となる確定演出図柄は、例えば演出表示装置５における「左」、「中」、「右」の各演出図柄表示エリア５Ｌ，５Ｃ，５Ｒにて変動表示される図柄番号が「１」〜「８」の演出図柄のうち、図柄番号が偶数「２」、「４」、「６」、「８」である演出図柄のいずれか１つが、「左」、「中」、「右」の各演出図柄表示エリア５Ｌ，５Ｃ，５Ｒにて所定の有効ライン上に揃って停止表示されるものであればよい。通常大当り組合せを構成する図柄番号が偶数「２」、「４」、「６」、「８」である演出図柄は、通常図柄（「非確変図柄」ともいう）と称される。
【００７７】
特図ゲームにおける確定特別図柄が通常大当り図柄となることに対応して、所定のリーチ演出が実行された後に、通常大当り組合せ（非確変大当り組合せ）の確定演出図柄が停止表示される演出図柄の変動表示態様は、変動表示結果が「大当り」となる場合における「非確変」（「通常大当り」ともいう）の変動表示態様（「大当り種別」ともいう）と称される。尚、リーチ演出が実行されずに、確定演出図柄として通常大当り組合せ（非確変大当り組合せ）を停止表示しても良い。「非確変」の大当り種別で変動表示結果が「大当り」となったことに基づいて、通常開放大当り状態に制御され、その終了後には、時間短縮制御（時短制御）が行われる。時短制御が行われることにより、特図ゲームにおける特別図柄の変動表示時間（特図変動時間）は、通常状態に比べて短縮される。尚、時短制御では、後述するように普通図柄の当選頻度が高められて、普通可変入賞球装置６Ｂへの入賞頻度が高められる、いわゆる電チューサポートが実施される。ここで、通常状態とは、大当り遊技状態等の特定遊技状態などとは異なる通常遊技状態であり、パチンコ遊技機１の初期設定状態（例えばシステムリセットが行われた場合のように、電源投入後に初期化処理を実行した状態）と同一の制御が行われる。時短制御は、大当り遊技状態の終了後に所定回数（例えば１００回）の特図ゲームが実行されることと、変動表示結果が「大当り」となることのうち、いずれかの条件が先に成立したときに、終了すればよい。
【００７８】
特図ゲームにおける確定特別図柄として、大当り図柄となる特別図柄のうち、「７」の数字を示す特別図柄といった確変大当り図柄が停止表示される場合には、演出図柄の変動表示状態がリーチ状態となったことに対応して、演出図柄の変動表示態様が「通常」である場合と同様のリーチ演出が実行された後に、複数種類の大当り組合せのうち、所定の確変大当り組合せとなる確定演出図柄が停止表示されることがある。尚、リーチ演出が実行されずに、確定演出図柄として確変大当り組合せを停止表示しても良い。確変大当り組合せとなる確定演出図柄は、例えば演出表示装置５における「左」、「中」、「右」の各演出図柄表示エリア５Ｌ，５Ｃ，５Ｒにて変動表示される図柄番号が「１」〜「８」の演出図柄のうち、図柄番号が「７」である演出図柄が、「左」、「中」、「右」の各演出図柄表示エリア５Ｌ，５Ｃ，５Ｒにて所定の有効ライン上に揃って停止表示されるものであればよい。確変大当り組合せを構成する図柄番号が「７」である演出図柄は、確変図柄と称される。特図ゲームにおける確定特別図柄として確変大当り図柄が停止表示される場合に、演出図柄の変動表示結果として、通常大当り組合せとなる確定演出図柄が停止表示されることがあるようにしてもよい。
【００７９】
特図ゲームにおける確定特別図柄として、短期開放ラウンド大当り図柄となる特別図柄のうち、「５」の数字を示す特別図柄といった確変大当り図柄が停止表示される場合には、演出図柄の変動表示状態がリーチ状態となったことに対応して、演出図柄の変動表示態様が「通常」である場合と同様のリーチ演出が実行された後に、複数種類の大当り組合せのうち、所定の確変大当り組合せとなる確定演出図柄が停止表示されることがある。尚、リーチ演出が実行されずに、確定演出図柄として確変大当り組合せを停止表示しても良い。確変大当り組合せとなる確定演出図柄は、例えば演出表示装置５における「左」、「中」、「右」の各演出図柄表示エリア５Ｌ，５Ｃ，５Ｒにて変動表示される図柄番号が「１」〜「８」の演出図柄のうち、図柄番号が「７」以外の奇数「１」、「３」、「５」である演出図柄のいずれか１つが、「左」、「中」、「右」の各演出図柄表示エリア５Ｌ，５Ｃ，５Ｒにて所定の有効ライン上に揃って停止表示されるものであればよい。確変大当り組合せを構成する図柄番号が「１」、「３」、「５」である演出図柄は、上記した「７」である演出図柄と同様に確変図柄と称される。尚、特図ゲームにおける確定特別図柄として確変大当り図柄が停止表示される場合には、演出図柄の変動表示結果として、通常大当り組合せとなる確定演出図柄が停止表示されることがあるようにしてもよい。
【００８０】
確定演出図柄が通常大当り組合せであるか確変大当り組合せであるかにかかわらず、特図ゲームにおける確定特別図柄として確変大当り図柄が停止表示される変動表示態様は、変動表示結果が「大当り」となる場合における「確変」の変動表示態様（「大当り種別」ともいう）と称される。尚、本実施例では、「確変」の大当り種別のうち、確定特別図柄として「７」の変動表示結果にて「大当り」となったことに基づいて、通常開放大当り状態に制御され、その終了後には、時短制御とともに確率変動制御（確変制御）が行われる。一方、「確変」の大当り種別のうち、確定特別図柄として「５」の変動表示結果にて「大当り」となったことに基づいて、短期開放大当り状態に制御され、その終了後には、時短制御とともに確率変動制御（確変制御）が行われる。
【００８１】
これら確変制御が行われることにより、各回の特図ゲームにおいて変動表示結果（特図表示結果）が「大当り」となる確率は、通常状態に比べて高くなるように向上する。確変制御は、大当り遊技状態の終了後に変動表示結果が「大当り」となって再び大当り遊技状態に制御されるという条件が成立したときに、終了すればよい。尚、時短制御と同様に、大当り遊技状態の終了後に所定回数（例えば時短回数と同じ１００回や、時短回数とは異なる９０回）の特図ゲームが実行されたときに、確変制御を終了してもよい。また、大当り遊技状態の終了後に特図ゲームが開始されるごとに実行される確変転落抽選にて確変制御を終了させる「確変転落あり」の決定がなされたときに、確変制御を終了してもよい。
【００８２】
時短制御が行われるときには、普通図柄表示器２０による普図ゲームにおける普通図柄の変動時間（普図変動時間）を通常状態のときよりも短くする制御や、各回の普図ゲームで普通図柄の変動表示結果が「普図当り」となる確率を通常状態のときよりも向上させる制御、変動表示結果が「普図当り」となったことに基づく普通可変入賞球装置６Ｂにおける可動翼片の傾動制御を行う傾動制御時間を通常状態のときよりも長くする制御、その傾動回数を通常状態のときよりも増加させる制御といった、遊技球が第２始動入賞口を通過（進入）しやすくして第２始動条件が成立する可能性を高めることで遊技者にとって有利となる制御（電チューサポート制御）が行われる。このように、時短制御に伴い第２始動入賞口に遊技球が進入しやすくして遊技者にとって有利となる制御は、高開放制御ともいう。高開放制御としては、これらの制御のいずれか１つが行われるようにしてもよいし、複数の制御が組合せられて行われるようにしてもよい。
【００８３】
高開放制御が行われることにより、第２始動入賞口は、高開放制御が行われていないときよりも拡大開放状態となる頻度が高められる。これにより、第２特別図柄表示器４Ｂにおける第２特図を用いた特図ゲームを実行するための第２始動条件が成立しやすくなり、特図ゲームが頻繁に実行可能となることで、次に変動表示結果が「大当り」となるまでの時間が短縮される。高開放制御が実行可能となる期間は、高開放制御期間ともいい、この期間は、時短制御が行われる期間と同一であればよい。
【００８４】
時短制御と高開放制御がともに行われる遊技状態は、時短状態あるいは高ベース状態ともいう。また、確変制御が行われる遊技状態は、確変状態あるいは高確状態ともいう。確変制御とともに時短制御や高開放制御が行われる遊技状態は、高確高ベース状態とも称される。尚、本実施例では制御される遊技状態としては設定されていないが、確変制御のみが行われて時短制御や高開放制御が行われない確変状態は、高確低ベース状態とも称される。また、確変制御とともに時短制御や高開放制御が行われる遊技状態のみを、特に「確変状態」ということもあり、高確低ベース状態とは区別するために、時短付確変状態ということもある。一方、確変制御のみが行われて時短制御や高開放制御が行われない確変状態（高確低ベース状態）は、高確高ベース状態と区別するために、時短なし確変状態ということもある。確変制御が行われずに時短制御や高開放制御が行われる時短状態は、低確高ベース状態とも称される。確変制御や時短制御および高開放制御がいずれも行われない通常状態は、低確低ベース状態とも称される。通常状態以外の遊技状態において時短制御や確変制御の少なくともいずれかが行われるときには、特図ゲームが頻繁に実行可能となることや、各回の特図ゲームにおける変動表示結果が「大当り」となる確率が高められることにより、遊技者にとって有利な状態となる。大当り遊技状態とは異なる遊技者にとって有利な遊技状態は、特別遊技状態とも称される。
【００８５】
尚、小当り図柄を停止表示する場合にあっては、前述した小当り遊技状態に制御した後には、遊技状態の変更が行われず、変動表示結果が「小当り」となる以前の遊技状態に継続して制御すれば良い。
【００８６】
確定演出図柄が非確変大当り組合せや確変大当り組合せとなる演出図柄の変動表示中には、再抽選演出を実行しても良い。再抽選演出では、演出表示装置５における「左」、「中」、「右」の演出図柄表示エリア５Ｌ，５Ｃ，５Ｒに通常大当り組合せとなる演出図柄を仮停止表示させた後に、例えば「左」、「中」、「右」の各演出図柄表示エリア５Ｌ，５Ｃ，５Ｒにて同一の演出図柄が揃った状態で再び変動させ、確変大当り組合せとなる演出図柄（確変図柄）と、通常大当り組合せとなる演出図柄（通常図柄）のうちいずれかを、確定演出図柄として停止表示（最終停止表示）させる。ここで、大当り種別が「非確変」である場合に再抽選演出が実行されるときには、その再抽選演出として、仮停止表示させた演出図柄を再変動させた後に通常大当り組合せとなる確定演出図柄を導出表示する再抽選落選演出が行われば良い。これに対して、大当り種別が「確変」である場合に再抽選演出が実行されるときには、その再抽選演出として、仮停止表示させた演出図柄を再変動させた後に確変大当り組合せとなる確定演出図柄を停止表示する再抽選当選演出が実行されることもあれば、再抽選落選演出が実行されることもある。
【００８７】
通常大当り組合せ（非確変大当り組合せ）となる確定演出図柄が導出表示された後には、大当り遊技状態の開始時や大当り遊技状態におけるラウンドの実行中、大当り遊技状態においていずれかのラウンドが終了してから次のラウンドが開始されるまでの期間、大当り遊技状態において最終のラウンドが終了してから次の変動表示ゲームが開始されるまでの期間などにて、確変状態に制御するか否かの確変報知演出となる大当り中昇格演出が実行されてもよい。尚、大当り中昇格演出と同様の報知演出が、大当り遊技状態の終了後における最初の変動表示ゲーム中などにて実行されてもよい。大当り遊技状態において最終のラウンドが終了してから実行される大当り中昇格演出を、特に「エンディング昇格演出」ということもある。
【００８８】
大当り中昇格演出には、確定演出図柄が通常大当り組合せであるにもかかわらず遊技状態が確変状態となる昇格がある旨を報知する大当り中昇格成功演出と、確変状態となる昇格がない旨を報知する大当り中昇格失敗演出とがある。例えば、大当り中昇格演出では、演出表示装置５の表示領域にて演出図柄を変動表示させて通常図柄と確変図柄のいずれかを演出表示結果として停止表示させること、あるいは、演出図柄の変動表示とは異なる演出画像の表示を行うことなどにより、確変状態となる昇格の有無を、遊技者が認識できるように報知すればよい。
【００８９】
パチンコ遊技機１には、例えば図２に示すような主基板１１、演出制御基板１２、音声制御基板１３、ランプ制御基板１４といった、各種の制御基板が搭載されている。また、パチンコ遊技機１には、主基板１１と演出制御基板１２との間で伝送される各種の制御信号を中継するための中継基板１５なども搭載されている。その他にも、パチンコ遊技機１における遊技盤２などの背面には、例えば払出制御基板、情報端子基板、発射制御基板、インタフェース基板などといった、各種の基板が配置されている。
【００９０】
主基板１１は、メイン側の制御基板であり、パチンコ遊技機１における遊技の進行を制御するための各種回路が搭載されている。主基板１１は、主として、特図ゲームにおいて用いる乱数の設定機能、所定位置に配設されたスイッチ等からの信号の入力を行う機能、演出制御基板１２などからなるサブ側の制御基板に宛てて、指令情報の一例となる制御コマンドを制御信号として出力して送信する機能、ホールの管理コンピュータに対して各種情報を出力する機能などを備えている。また、主基板１１は、第１特別図柄表示器４Ａと第２特別図柄表示器４Ｂを構成する各ＬＥＤ（例えばセグメントＬＥＤ）などの点灯／消灯制御を行って第１特図や第２特図の変動表示を制御することや、普通図柄表示器２０の点灯／消灯／発色制御などを行って普通図柄表示器２０による普通図柄の変動表示を制御することといった、所定の表示図柄の変動表示を制御する機能も備えている。
【００９１】
主基板１１には、例えば遊技制御用マイクロコンピュータ１００や、遊技球検出用の各種スイッチからの検出信号を取り込んで遊技制御用マイクロコンピュータ１００に伝送するスイッチ回路１１０、遊技制御用マイクロコンピュータ１００からのソレノイド駆動信号をソレノイド８１，８２に伝送するソレノイド回路１１１などが搭載されている。
【００９２】
演出制御基板１２は、主基板１１とは独立したサブ側の制御基板であり、中継基板１５を介して主基板１１から伝送された制御信号を受信して、演出表示装置５、スピーカ８Ｌ，８Ｒ及び遊技効果ランプ９といった演出用の電気部品による演出動作を制御するための各種回路が搭載されている。すなわち、演出制御基板１２は、演出表示装置５における表示動作や、スピーカ８Ｌ，８Ｒからの音声出力動作の全部または一部、遊技効果ランプ９などにおける点灯／消灯動作の全部または一部といった、演出用の電気部品に所定の演出動作を実行させるための制御内容を決定する機能を備えている。
【００９３】
音声制御基板１３は、演出制御基板１２とは別個に設けられた音声出力制御用の制御基板であり、演出制御基板１２からの指令や制御データなどに基づき、スピーカ８Ｌ，８Ｒから音声を出力させるための音声信号処理を実行する処理回路などが搭載されている。ランプ制御基板１４は、演出制御基板１２とは別個に設けられたランプ出力制御用の制御基板であり、演出制御基板１２からの指令や制御データなどに基づき、遊技効果ランプ９などにおける点灯／消灯駆動を行うランプ制御基板１４などが搭載されている。
【００９４】
図２に示すように、主基板１１には、ゲートスイッチ２１、第１始動口スイッチ２２Ａ、第２始動口スイッチ２２Ｂ、カウントスイッチ２３からの検出信号を伝送する配線が接続されている。尚、ゲートスイッチ２１、第１始動口スイッチ２２Ａ、第２始動口スイッチ２２Ｂ、カウントスイッチ２３は、例えばセンサと称されるものなどのように、遊技媒体としての遊技球を検出できる任意の構成を有するものであればよい。また、主基板１１には、第１特別図柄表示器４Ａ、第２特別図柄表示器４Ｂ、普通図柄表示器２０、第１保留表示器２５Ａ、第２保留表示器２５Ｂ、普図保留表示器２５Ｃなどの表示制御を行うための指令信号を伝送する配線が接続されている。
【００９５】
主基板１１から演出制御基板１２に向けて伝送される制御信号は、中継基板１５によって中継される。中継基板１５を介して主基板１１から演出制御基板１２に対して伝送される制御コマンドは、例えば電気信号として送受信される演出制御コマンドである。演出制御コマンドには、例えば演出表示装置５における画像表示動作を制御するために用いられる表示制御コマンドや、スピーカ８Ｌ，８Ｒからの音声出力を制御するために用いられる音声制御コマンド、遊技効果ランプ９や装飾用ＬＥＤの点灯動作などを制御するために用いられるランプ制御コマンドが含まれている。
【００９６】
図３（Ａ）は、本実施例で用いられる演出制御コマンドの内容の一例を示す説明図である。演出制御コマンドは、例えば２バイト構成であり、１バイト目はＭＯＤＥ（コマンドの分類）を示し、２バイト目はＥＸＴ（コマンドの種類）を表す。ＭＯＤＥデータの先頭ビット（ビット７）は必ず「１」とされ、ＥＸＴデータの先頭ビットは「０」とされる。尚、図３（Ａ）に示されたコマンド形態は一例であって、他のコマンド形態を用いてもよい。また、この例では、制御コマンドが２つの制御信号で構成されることになるが、制御コマンドを構成する制御信号数は、１であってもよいし、３以上の複数であってもよい。
【００９７】
図３（Ａ）に示す例において、コマンド８００１Ｈは、第１特別図柄表示器４Ａにおける第１特図を用いた特図ゲームにおける変動開始を指定する第１変動開始コマンドである。コマンド８００２Ｈは、第２特別図柄表示器４Ｂにおける第２特図を用いた特図ゲームにおける変動開始を指定する第２変動開始コマンドである。コマンド８１ＸＸＨは、特図ゲームにおける特別図柄の変動表示に対応して演出表示装置５における「左」、「中」、「右」の各演出図柄表示エリア５Ｌ，５Ｃ，５Ｒで変動表示される演出図柄などの変動パターン（変動時間）を指定する変動パターン指定コマンドである。ここで、ＸＸＨは不特定の１６進数であることを示し、演出制御コマンドによる指示内容に応じて任意に設定される値であればよい。尚、変動パターン指定コマンドでは、指定する変動パターンなどに応じて、異なるＥＸＴデータが設定される。
【００９８】
コマンド８ＣＸＸＨは、変動表示結果通知コマンドであり、特別図柄や演出図柄などの変動表示結果を指定する演出制御コマンドである。変動表示結果通知コマンドでは、例えば図３（Ｂ）に示すように、変動表示結果が「ハズレ」であるか「大当り」であるかの決定結果（事前決定結果）や、変動表示結果が「大当り」となる場合の大当り種別を複数種類のいずれとするかの決定結果（大当り種別決定結果）に応じて、異なるＥＸＴデータが設定される。
【００９９】
変動表示結果通知コマンドでは、例えば図３（Ｂ）に示すように、コマンド８Ｃ００Ｈは、変動表示結果が「ハズレ」となる旨の事前決定結果を示す第１変動表示結果指定コマンドである。コマンド８Ｃ０１Ｈは、変動表示結果が「大当り」で大当り種別が「確変大当りＡ」となる旨の事前決定結果及び大当り種別決定結果を通知する第２変動表示結果指定コマンドである。コマンド８Ｃ０２Ｈは、変動表示結果が「大当り」で大当り種別が「確変大当りＢ」となる旨の事前決定結果及び大当り種別決定結果を通知する第３変動表示結果指定コマンドである。コマンド８Ｃ０３Ｈは、変動表示結果が「大当り」で大当り種別が「非確変大当り」となる旨の事前決定結果及び大当り種別決定結果を通知する第４変動表示結果指定コマンドである。尚、小当りを発生させる場合には、小当りに対応する変動表示結果指定コマンド（例えば、コマンド８ＣＸ４Ｈ（Ｘは１〜３の任意の値））を設定して、変動表示結果が「小当り」となる旨の事前決定結果を通知すれば良い。
【０１００】
コマンド８Ｆ００Ｈは、演出表示装置５における「左」、「中」、「右」の各演出図柄表示エリア５Ｌ，５Ｃ，５Ｒで演出図柄の変動停止（確定）を指定する図柄確定コマンドである。コマンド９５ＸＸＨは、パチンコ遊技機１における現在の遊技状態を指定する遊技状態指定コマンドである。遊技状態指定コマンドでは、例えばパチンコ遊技機１における現在の遊技状態に応じて、異なるＥＸＴデータが設定される。具体的な一例として、コマンド９５００Ｈを時短制御と確変制御がいずれも行われない遊技状態（低確低ベース状態、通常状態）に対応した第１遊技状態指定コマンドとし、コマンド９５０１Ｈを時短制御が行われる一方で確変制御は行われない遊技状態（低確高ベース状態、時短状態）に対応した第２遊技状態指定コマンドとする。また、コマンド９５０２Ｈを確変制御が行われる一方で時短制御は行われない遊技状態（高確低ベース状態、時短なし確変状態）に対応した第３遊技状態指定コマンドとし、コマンド９５０３Ｈを時短制御と確変制御がともに行われる遊技状態（高確高ベース状態、時短付確変状態）に対応した第４遊技状態指定コマンドとする。
【０１０１】
コマンドＡ０ＸＸＨは、大当り遊技状態の開始を示す演出画像の表示を指定する大当り開始指定コマンド（「ファンファーレコマンド」ともいう）である。コマンドＡ１ＸＸＨは、大当り遊技状態において、大入賞口が開放状態となっている期間であることを通知する大入賞口開放中通知コマンドである。コマンドＡ２ＸＸＨは、大当り遊技状態において、大入賞口が開放状態から閉鎖状態に変化した期間であることを通知する大入賞口開放後通知コマンドである。コマンドＡ３ＸＸＨは、大当り遊技状態の終了時における演出画像の表示を指定する大当り終了指定コマンドである。
【０１０２】
大当り開始指定コマンドや大当り終了指定コマンドでは、例えば変動表示結果通知コマンドと同様のＥＸＴデータが設定されることなどにより、事前決定結果や大当り種別決定結果に応じて異なるＥＸＴデータが設定されてもよい。あるいは、大当り開始指定コマンドや大当り終了指定コマンドでは、事前決定結果及び大当り種別決定結果と設定されるＥＸＴデータとの対応関係を、変動表示結果通知コマンドにおける対応関係とは異ならせるようにしてもよい。大入賞口開放中通知コマンドや大入賞口開放後通知コマンドでは、例えば通常開放大当り状態や短期開放大当り状態におけるラウンドの実行回数（例えば「１」〜「１５」）に対応して、異なるＥＸＴデータが設定される。
【０１０３】
コマンドＢ１００Ｈは、普通入賞球装置６Ａが形成する第１始動入賞口を通過（進入）した遊技球が第１始動口スイッチ２２Ａにより検出されて始動入賞（第１始動入賞）が発生したことに基づき、第１特別図柄表示器４Ａにおける第１特図を用いた特図ゲームを実行するための第１始動条件が成立したことを通知する第１始動口入賞指定コマンドである。コマンドＢ２００Ｈは、普通可変入賞球装置６Ｂが形成する第２始動入賞口を通過（進入）した遊技球が第２始動口スイッチ２２Ｂにより検出されて始動入賞（第２始動入賞）が発生したことに基づき、第２特別図柄表示器４Ｂにおける第２特図を用いた特図ゲームを実行するための第２始動条件が成立したことを通知する第２始動口入賞指定コマンドである。
【０１０４】
コマンドＣ１ＸＸＨは、第１特図保留記憶数を通知する第１保留記憶数通知コマンドである。コマンドＣ２ＸＸＨは、第２特図保留記憶数を通知する第２保留記憶数通知コマンドである。第１保留記憶数通知コマンドは、例えば第１始動入賞口を遊技球が通過（進入）して第１始動条件が成立したことに基づいて、第１始動口入賞指定コマンドが送信されるときに、主基板１１から演出制御基板１２に対して送信される。第２保留記憶数通知コマンドは、例えば第２始動入賞口を遊技球が通過（進入）して第２始動条件が成立したことに基づいて、第２始動口入賞指定コマンドが送信されるときに、主基板１１から演出制御基板１２に対して送信される。また、第１保留記憶数通知コマンドや第２保留記憶数通知コマンドは、第１開始条件と第２開始条件のいずれかが成立したとき（保留記憶数が減少したとき）に、特図ゲームの実行が開始されることなどに対応して送信されるようにしてもよい。
【０１０５】
第１保留記憶数通知コマンドや第２保留記憶数通知コマンドに代えて、合計保留記憶数を通知する合計保留記憶数通知コマンドを送信するようにしてもよい。すなわち、合計保留記憶数の増加（または減少）を通知するための合計保留記憶数通知コマンドが用いられてもよい。
【０１０６】
コマンドＣ４ＸＸＨおよびコマンドＣ６ＸＸＨは、入賞時判定結果の内容を示す演出制御コマンド（入賞時判定結果指定コマンド）である。このうち、コマンドＣ４ＸＸＨは、入賞時判定結果として、変動表示結果が「大当り」となるか否か及び大当り種別（確変や非確変や突確）の判定結果を示す図柄指定コマンドである。また、コマンドＣ６ＸＸＨは、入賞時判定結果として、変動パターン判定用の乱数値ＭＲ３が、「非リーチ」、「スーパーリーチ」、「その他」のいずれの変動パターンとなるかの判定結果を示す変動カテゴリコマンドである。
【０１０７】
主基板１１に搭載された遊技制御用マイクロコンピュータ１００は、例えば１チップのマイクロコンピュータであり、遊技制御用のプログラムや固定データ等を記憶するＲＯＭ（Read Only Memory）１０１と、遊技制御用のワークエリアを提供するＲＡＭ（Random Access Memory）１０２と、遊技制御用のプログラムを実行して制御動作を行うＣＰＵ（Central Processing Unit）１０３と、ＣＰＵ１０３とは独立して乱数値を示す数値データの更新を行う乱数回路１０４と、Ｉ／Ｏ（Input/Outputport）１０５とを備えて構成される。
【０１０８】
一例として、遊技制御用マイクロコンピュータ１００では、ＣＰＵ１０３がＲＯＭ１０１から読み出したプログラムを実行することにより、パチンコ遊技機１における遊技の進行を制御するための処理が実行される。このときには、ＣＰＵ１０３がＲＯＭ１０１から固定データを読み出す固定データ読出動作や、ＣＰＵ１０３がＲＡＭ１０２に各種の変動データを書き込んで一時記憶させる変動データ書込動作、ＣＰＵ１０３がＲＡＭ１０２に一時記憶されている各種の変動データを読み出す変動データ読出動作、ＣＰＵ１０３がＩ／Ｏ１０５を介して遊技制御用マイクロコンピュータ１００の外部から各種信号の入力を受け付ける受信動作、ＣＰＵ１０３がＩ／Ｏ１０５を介して遊技制御用マイクロコンピュータ１００の外部へと各種信号を出力する送信動作なども行われる。
【０１０９】
図４は、主基板１１の側においてカウントされる乱数値を例示する説明図である。図４に示すように、本実施例では、主基板１１の側において、特図表示結果判定用の乱数値ＭＲ１、大当り種別判定用の乱数値ＭＲ２、変動パターン判定用の乱数値ＭＲ３、普図表示結果判定用の乱数値ＭＲ４のそれぞれを示す数値データが、カウント可能に制御される。尚、遊技効果を高めるために、これら以外の乱数値が用いられてもよい。こうした遊技の進行を制御するために用いられる乱数は、遊技用乱数ともいう。
【０１１０】
乱数回路１０４は、これらの乱数値ＭＲ１〜ＭＲ４の一部または全部を示す数値データをカウントするものであればよい。ＣＰＵ１０３は、例えば図８に示す遊技制御カウンタ設定部１５４に設けられたランダムカウンタといった、乱数回路１０４とは異なるランダムカウンタを用いて、ソフトウェアによって各種の数値データを更新することで、乱数値ＭＲ１〜ＭＲ４の一部を示す数値データをカウントするようにしてもよい。
【０１１１】
特図表示結果判定用の乱数値ＭＲ１は、特図ゲームにおける特別図柄などの変動表示結果を「大当り」として大当り遊技状態に制御するか否かを決定するために用いられる乱数値であり、例えば「１」〜「６５５３６」の範囲の値をとる。大当り種別判定用の乱数値ＭＲ２は、変動表示結果を「大当り」とする場合における大当り種別を「確変大当りＡ」、「確変大当りＢ」、「非確変」のいずれかに決定するために用いられる乱数値であり、例えば「１」〜「１００」の範囲の値をとる。
【０１１２】
変動パターン判定用の乱数値ＭＲ３は、特別図柄や演出図柄の変動表示における変動パターンを、予め用意された複数種類のいずれかに決定するために用いられる乱数値であり、例えば「１」〜「９９７」の範囲の値をとる。
【０１１３】
普図表示結果判定用の乱数値ＭＲ４は、普通図柄表示器２０による普図ゲームにおける変動表示結果を「普図当り」とするか「普図ハズレ」とするかなどの決定を行うために用いられる乱数値であり、例えば「３」〜「１３」の範囲の値をとる。
【０１１４】
図５は、本実施例における変動パターンを示している。本実施例では、変動表示結果が「ハズレ」となる場合のうち、演出図柄の変動表示態様が「非リーチ」である場合と「リーチ」である場合のそれぞれに対応して、また、変動表示結果が「大当り」となる場合などに対応して、複数の変動パターンが予め用意されている。尚、変動表示結果が「ハズレ」で演出図柄の変動表示態様が「非リーチ」である場合に対応した変動パターンは、非リーチ変動パターン（「非リーチハズレ変動パターン」ともいう）と称され、変動表示結果が「ハズレ」で演出図柄の変動表示態様が「リーチ」である場合に対応した変動パターンは、リーチ変動パターン（「リーチハズレ変動パターン」ともいう）と称される。また、非リーチ変動パターンとリーチ変動パターンは、変動表示結果が「ハズレ」となる場合に対応したハズレ変動パターンに含まれる。変動表示結果が「大当り」である場合に対応した変動パターンは、大当り変動パターンと称される。
【０１１５】
大当り変動パターンやリーチ変動パターンには、ノーマルリーチのリーチ演出が実行されるノーマルリーチ変動パターンと、スーパーリーチα、スーパーリーチβといったスーパーリーチのリーチ演出が実行されるスーパーリーチ変動パターンとがある。尚、本実施例では、ノーマルリーチ変動パターンを１種類のみしか設けていないが、本発明はこれに限定されるものではなく、スーパーリーチと同様に、ノーマルリーチα、ノーマルリーチβ、…のように、複数のノーマルリーチ変動パターンを設けても良い。また、スーパーリーチ変動パターンでも、スーパーリーチαやスーパーリーチβに加えてスーパーリーチγ…といった３以上のスーパーリーチ変動パターンを設けても良い。
【０１１６】
図５に示すように、本実施例におけるノーマルリーチのリーチ演出が実行されるノーマルリーチ変動パターンの特図変動時間については、スーパーリーチ変動パターンであるスーパーリーチα、スーパーリーチβよりも短く設定されている。また、本実施例におけるスーパーリーチα、スーパーリーチβといったスーパーリーチのリーチ演出が実行されるスーパーリーチ変動パターンの特図変動時間については、スーパーリーチβのスーパーリーチ演出が実行される変動パターンの方が、スーパーリーチαのスーパーリーチ演出が実行される変動パターンよりも特図変動時間が長く設定されている。
【０１１７】
尚、本実施例では、前述したようにスーパーリーチβ、スーパーリーチα、ノーマルリーチの順に変動表示結果が「大当り」となる大当り期待度が高くなるように設定されているため、ノーマルリーチ変動パターン及びスーパーリーチ変動パターンにおいては変動時間が長いほど大当り期待度が高くなっている。
【０１１８】
尚、本実施例においては、後述するように、これら変動パターンを、例えば、非リーチの種別や、ノーマルリーチの種別や、スーパーリーチの種別等のように、変動パターンの種別を先に決定してから、該決定した種別に属する変動パターンに属する変動パターンから実行する変動パターンを決定するのではなく、これらの種別を決定することなしに変動パターン判定用の乱数値ＭＲ３のみを用いて決定するようにしているが、本発明はこれに限定されるものではなく、たとえば、変動パターン判定用の乱数値ＭＲ３に加えて、変動パターン種別判定用の乱数値を設けて、これら変動パターン種別判定用の乱数値から変動パターンの種別を先に決定してから、該決定した種別に属する変動パターンに属する変動パターンから実行する変動パターンを決定するようにしても良い。
【０１１９】
図２に示す遊技制御用マイクロコンピュータ１００が備えるＲＯＭ１０１には、ゲーム制御用のプログラムの他にも、遊技の進行を制御するために用いられる各種の選択用データ、テーブルデータなどが格納されている。例えば、ＲＯＭ１０１には、ＣＰＵ１０３が各種の判定や決定、設定を行うために予め用意された複数の判定テーブルや決定テーブル、設定テーブルなどを構成するデータが記憶されている。また、ＲＯＭ１０１には、ＣＰＵ１０３が主基板１１から各種の制御コマンドとなる制御信号を送信するために用いられる複数のコマンドテーブルを構成するテーブルデータや、図５に示すような変動パターンを複数種類格納する変動パターンテーブルを構成するテーブルデータなどが、記憶されている。
【０１２０】
図６は、ＲＯＭ１０１に記憶される表示結果判定テーブルの構成例を示している。本実施例では、表示結果判定テーブルとして、第１特図と第２特図とで共通の表示結果判定テーブルを用いているが、本発明はこれに限定されるものではなく、例えば、小当りを発生させる場合において、小当りの当選確率を第１特図と第２特図とで異なるようにする場合には、第１特図と第２特図とで個別の表示結果判定テーブルを用いるようにしても良い。
【０１２１】
表示結果判定テーブルは、第１特別図柄表示器４Ａによる第１特図を用いた特図ゲームや第２特別図柄表示器４Ｂによる第２特図を用いた特図ゲームにおいて変動表示結果となる確定特別図柄が導出表示される以前に、その変動表示結果を「大当り」として大当り遊技状態に制御するか否かを、特図表示結果判定用の乱数値ＭＲ１に基づいて決定するために参照されるテーブルである。
【０１２２】
本実施例の表示結果判定テーブルでは、パチンコ遊技機１における遊技状態が通常状態または時短状態（低確状態）であるか、確変状態（高確状態）であるかに応じて、特図表示結果判定用の乱数値ＭＲ１と比較される数値（判定値）が、「大当り」や「ハズレ」の特図表示結果に割り当てられている。
【０１２３】
表示結果判定テーブルにおいて、特図表示結果判定用の乱数値ＭＲ１と比較される判定値を示すテーブルデータは、特図表示結果を「大当り」として大当り遊技状態に制御するか否かの決定結果に割り当てられる判定用データとなっている。本実施例の表示結果判定テーブルでは、遊技状態が確変状態（高確状態）であるときに、通常状態または時短状態（低確状態）であるときよりも多くの判定値が、「大当り」の特図表示結果に割り当てられている。これにより、パチンコ遊技機１において確変制御が行われる確変状態（高確状態）では、通常状態または時短状態（低確状態）であるときに特図表示結果を「大当り」として大当り遊技状態に制御すると決定される確率（本実施例では約１／３００）に比べて、特図表示結果を「大当り」として大当り遊技状態に制御すると決定される確率が高くなる（本実施例では約１／３０）。すなわち、表示結果判定テーブルでは、パチンコ遊技機１における遊技状態が確変状態（高確状態）であるときに、通常状態や時短状態であるときに比べて大当り遊技状態に制御すると決定される確率が高くなるように、判定用データが大当り遊技状態に制御するか否かの決定結果に割り当てられている。
【０１２４】
図７は、ＲＯＭ１０１に記憶される大当り種別決定テーブルの構成例を示している。本実施例の大当り種別決定テーブルは、特図表示結果を「大当り」として大当り遊技状態に制御すると決定されたときに、大当り種別判定用の乱数値ＭＲ２に基づき、大当り種別を複数種類のいずれかに決定するために参照されるテーブルである。大当り種別決定テーブルでは、特図ゲームにおいて変動表示（変動）が行われた特別図柄が第１特図（第１特別図柄表示器４Ａによる特図ゲーム）であるか第２特図（第２特別図柄表示器４Ｂによる特図ゲーム）であるかに応じて、大当り種別判定用の乱数値ＭＲ２と比較される数値（判定値）が、「非確変」や「確変大当りＡ」、「確変大当りＢ」といった複数種類の大当り種別に割り当てられている。
【０１２５】
ここで、本実施例における大当り種別について、図７（Ｂ）を用いて説明すると、本実施例では、大当り種別として、大当り遊技状態の終了後において高確制御と時短制御とが実行されて高確高ベース状態に移行する確変大当りＡや確変大当りＢと、大当り遊技状態の終了後において時短制御のみが実行されて低確高ベース状態に移行する非確変大当りとが設定されている。
【０１２６】
「確変大当りＡ」による大当り遊技状態と「非確変大当り」による大当り遊技状態では、前述したように、特別可変入賞球装置７を遊技者にとって有利な第１状態に変化させるラウンドが１６回（いわゆる１６ラウンド）、繰返し実行される通常開放大当りである。一方、「確変大当りＢ」による大当り遊技状態では、前述したように、特別可変入賞球装置７を遊技者にとって有利な第１状態に変化させるラウンドが５回（いわゆる５ラウンド）、繰返し実行される短期開放大当りである。よって、「確変大当りＡ」を１６ラウンド（１６Ｒ）確変大当りと呼称し、「確変大当りＢ」を５ラウンド（５Ｒ）確変大当りと呼称する場合がある。
【０１２７】
確変大当りＡや確変大当りＢの大当り遊技状態の終了後において実行される高確制御と時短制御は、該大当り遊技状態の終了後において再度大当りが発生するまで継続して実行される。よって、再度発生した大当りが確変大当りＡや確変大当りＢである場合には、大当り遊技状態の終了後に再度、高確制御と時短制御が実行されるので、大当り遊技状態が通常状態を介することなく連続的に発生する、いわゆる連荘状態となる。
【０１２８】
一方、「非確変大当り」による大当り遊技状態の終了後において実行される時短制御は、所定回数（本実施例では１００回）の特図ゲームが実行されること、或いは該所定回数の特図ゲームが実行される前に大当り遊技状態となることにより終了する。
【０１２９】
図７に示す大当り種別決定テーブルの設定例では、変動特図が第１特図であるか第２特図であるかに応じて、「確変大当りＡ」と「確変大当りＢ」の大当り種別に対する判定値の割当てが異なっている。すなわち、変動特図が第１特図である場合には、所定範囲の判定値（「８１」〜「１００」の範囲の値）がラウンド数の少ない「確変大当りＢ」の大当り種別に割り当てられる一方で、変動特図が第２特図である場合には、「確変大当りＢ」の大当り種別に対して判定値が割り当てられていない。このような設定により、第１特別図柄表示器４Ａによる第１特図を用いた特図ゲームを開始するための第１開始条件が成立したことに基づいて大当り種別を複数種類のいずれかに決定する場合と、第２特別図柄表示器４Ｂによる第２特図を用いた特図ゲームを開始するための第２開始条件が成立したことに基づいて大当り種別を複数種類のいずれかに決定する場合とで、大当り種別をラウンド数の少ない「確変大当りＢ」に決定する割合を、異ならせることができる。特に、第２特図を用いた特図ゲームでは大当り種別を「確変大当りＢ」としてラウンド数の少ない短期開放大当り状態に制御すると決定されることがないので、例えば時短制御に伴う高開放制御により、普通可変入賞球装置６Ｂが形成する第２始動入賞口に遊技球が進入しやすい遊技状態において、得られる賞球が少ない短期開放大当り状態の頻発を回避して遊技興趣が低下してしまうことを防止できるようになっている。
【０１３０】
尚、図７に示す大当り種別決定テーブルの設定例では、「非確変」の大当り種別に対する判定値の割当ては、変動特図が第１特図であるか第２特図であるかに係わらず同一とされているので、非確変の大当りとなる確率と確変の大当りとなる確率は、変動特図が第１特図であるか第２特図であるかにかかわらず同一とされている。
【０１３１】
よって、上記したように、「確変大当りＢ」に対する判定値の割り当てが、変動特図が第１特図であるか第２特図であるかに応じて異なることに応じて、「確変大当りＡ」に対する判定値の割り当ても変動特図が第１特図であるか第２特図であるかに応じて異なり、ラウンド数の多い「確変大当りＡ」については、変動特図が第２特図である場合の方が第１特図である場合よりも決定され易くなるように設定されている。
【０１３２】
尚、変動特図が第２特図である場合にも、変動特図が第１特図である場合とは異なる所定範囲の判定値が、「確変大当りＢ」の大当り種別に割り当てられるようにしてもよい。例えば、変動特図が第２特図である場合には、変動特図が第１特図である場合に比べて少ない判定値が、「確変大当りＢ」の大当り種別に割り当てられてもよい。あるいは、変動特図が第１特図であるか第２特図であるかにかかわらず、共通のテーブルデータを参照して、大当り種別の決定を行うようにしてもよい。
【０１３３】
また、ＲＯＭ１０１には、変動パターン判定用の乱数値ＭＲ３に基づいて変動パターンを決定するための変動パターン判定テーブルも記憶されており、変動パターンを、事前決定結果に応じて前述した複数種類のうちのいずれかの変動パターンに決定する。
【０１３４】
具体的には、変動パターン判定テーブルとしては、特図表示結果を「大当り」にすることが事前決定されたときに使用される大当り用変動パターン判定テーブルと、特図表示結果を「ハズレ」にすることが事前決定されたときに使用されるハズレ用変動パターン判定テーブルとが予め用意されている。
【０１３５】
大当り用変動パターン判定テーブルにおいては、ノーマルリーチ大当りの変動パターン（ＰＢ１−１）、スーパーリーチα大当りの変動パターン（ＰＢ１−２）、スーパーリーチβ大当りの変動パターン（ＰＢ１−３）の各変動パターンに対して、変動パターン判定用の乱数値ＭＲ３がとりうる範囲のうち所定の乱数値が判定値として割り当てられている。尚、本実施例では、これらの判定値が、大当りの種別が「確変大当りＡ」または「確変大当りＢ」である場合にはスーパーリーチβが決定され易く、大当りの種別が「非確変大当り」である場合には、スーパーリーチαが決定され易いように割り当てられていることで、スーパーリーチβの変動パターンが実行されたときには、「確変大当りＡ」または「確変大当りＢ」となるのではないかという遊技者の期待感を高めることできる。
【０１３６】
また、ハズレ用変動パターン判定テーブルには、保留記憶数が１個以下である場合に使用されるハズレ用変動パターン判定テーブルＡと、合計保留記憶数が２〜４個である場合に使用されるハズレ用変動パターン判定テーブルＢと、合計保留記憶数が５〜８個である場合に使用されるハズレ用変動パターン判定テーブルＣと、遊技状態が時短制御の実施されている高ベース状態である場合に使用されるハズレ用変動パターン判定テーブルＤとが予め用意されている。
【０１３７】
ハズレ用変動パターン判定テーブルＡにおいては、短縮なしの非リーチハズレの変動パターン（ＰＡ１−１）、ノーマルリーチハズレの変動パターン（ＰＡ２−１）、スーパーリーチαハズレの変動パターン（ＰＡ２−２）、スーパーリーチβハズレの変動パターン（ＰＡ２−３）に対して変動パターン判定用の乱数値ＭＲ３がとりうる範囲のうち所定の乱数値が判定値として割り当てられている。また、ハズレ用変動パターン判定テーブルＢにおいては、合計保留記憶数が２〜４個に対応する短縮の非リーチハズレの変動パターン（ＰＡ１−２）、ノーマルリーチハズレの変動パターン（ＰＡ２−１）、スーパーリーチαハズレの変動パターン（ＰＡ２−２）、スーパーリーチβハズレの変動パターン（ＰＡ２−３）に対して変動パターン判定用の乱数値ＭＲ３がとりうる範囲のうち所定の乱数値が判定値として割り当てられている。また、ハズレ用変動パターン判定テーブルＣにおいては、合計保留記憶数が５〜８個に対応する短縮の非リーチハズレの変動パターン（ＰＡ１−３）、ノーマルリーチハズレの変動パターン（ＰＡ２−１）、スーパーリーチαハズレの変動パターン（ＰＡ２−２）、スーパーリーチβハズレの変動パターン（ＰＡ２−３）に対して変動パターン判定用の乱数値ＭＲ３がとりうる範囲のうち所定の乱数値が判定値として割り当てられている。また、ハズレ用変動パターン判定テーブルＤにおいては、時短制御中に対応する短縮の非リーチハズレの変動パターン（ＰＡ１−４）、ノーマルリーチハズレの変動パターン（ＰＡ２−１）、スーパーリーチαハズレの変動パターン（ＰＡ２−２）、スーパーリーチβハズレの変動パターン（ＰＡ２−３）に対して変動パターン判定用の乱数値ＭＲ３がとりうる範囲のうち所定の乱数値が判定値として割り当てられている。
【０１３８】
尚、図５に示すように、短縮なしの非リーチハズレの変動パターン（ＰＡ１−１）よりも非リーチハズレの変動パターン（ＰＡ１−２）の方が変動時間は短く、さらに、変動パターン（ＰＡ１−２）よりも非リーチハズレの変動パターン（ＰＡ１−３）の方が変動時間は短い。よって、保留記憶数が増加した場合には、変動時間が短い非リーチハズレの変動パターンが決定されることにより、保留記憶が消化されやすくなって、保留記憶数が上限数である４に達しているときに始動入賞することで、保留記憶がなされない無駄な始動入賞が発生し難くなるようになるとともに、保留記憶数が減少した場合には、変動時間が長い短縮なしの非リーチハズレの変動パターン（ＰＡ１−１）が決定されることによって、変動表示の時間が長くなることにより、変動表示が実行されないことによる遊技の興趣低下を防ぐことができるようになる。
【０１３９】
図２に示す遊技制御用マイクロコンピュータ１００が備えるＲＡＭ１０２は、その一部または全部が所定の電源基板において作成されるバックアップ電源によってバックアップされているバックアップＲＡＭであればよい。すなわち、パチンコ遊技機１に対する電力供給が停止しても、所定期間（バックアップ電源としてのコンデンサが放電してバックアップ電源が電力供給不能になるまで）は、ＲＡＭ１０２の一部または全部の内容は保存される。特に、少なくとも、遊技状態すなわち遊技制御手段の制御状態に応じたデータ（特図プロセスフラグなど）と未払出賞球数を示すデータとは、バックアップＲＡＭに保存されるようにすればよい。遊技制御手段の制御状態に応じたデータとは、停電等が生じた後に復旧した場合に、そのデータにもとづいて、制御状態を停電等の発生前に復旧させるために必要なデータである。また、制御状態に応じたデータと未払出賞球数を示すデータとを遊技の進行状態を示すデータと定義する。
【０１４０】
このようなＲＡＭ１０２には、パチンコ遊技機１における遊技の進行などを制御するために用いられる各種のデータを保持する領域として、例えば図８に示すような遊技制御用データ保持エリア１５０が設けられている。図８に示す遊技制御用データ保持エリア１５０は、特図保留記憶部１５１Ａと、普図保留記憶部１５１Ｂと、遊技制御フラグ設定部１５２と、遊技制御タイマ設定部１５３と、遊技制御カウンタ設定部１５４と、遊技制御バッファ設定部１５５とを備えている。
【０１４１】
特図保留記憶部１５１Ａは、普通入賞球装置６Ａが形成する第１始動入賞口を遊技球が通過（進入）して始動入賞（第１始動入賞）が発生したものの未だ開始されていない特図ゲーム（第１特別図柄表示器４Ａにおける第１特図を用いた特図ゲーム）の保留データと、普通可変入賞球装置６Ｂが形成する第２始動入賞口を遊技球が通過（進入）して始動入賞（第２始動入賞）が発生したものの未だ開始されていない特図ゲーム（第２特別図柄表示器４Ｂにおける第２特図を用いた特図ゲーム）の保留データとを記憶する。一例として、特図保留記憶部１５１Ａは、第１始動入賞口への入賞順（遊技球の検出順）に保留番号と関連付けて、第１始動入賞口を遊技球が通過（進入）したかを示す始動入賞種別、その遊技球の通過（進入）における第１始動条件の成立に基づいてＣＰＵ１０３により乱数回路１０４等から抽出された特図表示結果判定用の乱数値ＭＲ１や大当り種別判定用の乱数値ＭＲ２、変動パターン判定用の乱数値ＭＲ３を示す数値データなどを保留データとして記憶する。こうして特図保留記憶部１５１Ａに記憶された保留データは、第１特図を用いた特図ゲームの実行が保留されていることを示し、この特図ゲームにおける変動表示結果（特図表示結果）に基づき大当りとなるか否かなどを判定可能にする保留情報となる。
【０１４２】
また、一例として、特図保留記憶部１５１Ａは、第２始動入賞口への入賞順（遊技球の検出順）に保留番号と関連付けて、第２始動入賞口を遊技球が通過（進入）したかを示す始動入賞種別、その遊技球の通過（進入）における第２始動条件の成立に基づいてＣＰＵ１０３により乱数回路１０４等から抽出された特図表示結果判定用の乱数値ＭＲ１や大当り種別判定用の乱数値ＭＲ２、変動パターン判定用の乱数値ＭＲ３を示す数値データなどを保留データとして記憶する。こうして特図保留記憶部１５１Ａに記憶された保留データは、第２特図を用いた特図ゲームの実行が保留されていることを示し、この特図ゲームにおける変動表示結果（特図表示結果）に基づき大当りとなるか否かなどを判定可能にする保留情報となる。尚、特図保留記憶部１５１Ａは、保留データの記憶数が所定の上限値（例えば「８」）に達するまで記憶する。
【０１４３】
尚、第１始動入賞口を遊技球が通過（進入）したことによる第１始動条件の成立に基づく保留情報（第１保留情報）と、第２始動入賞口を遊技球が通過（進入）したことによる第２始動入賞の成立に基づく保留情報（第２保留情報）とを、それぞれ別個の保留記憶部にて保留番号と対応付けて記憶するようにしてもよい。
【０１４４】
普図保留記憶部１５１Ｂは、通過ゲート４１を通過した遊技球がゲートスイッチ２１によって検出されたにもかかわらず、未だ普通図柄表示器２０により開始されていない普図ゲームの保留情報を記憶する。例えば、普図保留記憶部１５１Ｂは、遊技球が通過ゲート４１を通過した順に保留番号と対応付けて、その遊技球の通過に基づいてＣＰＵ１０３により乱数回路１０４等から抽出された普図表示結果判定用の乱数値ＭＲ４を示す数値データなどを保留データとして、その数が所定の上限値（例えば「４」）に達するまで記憶する。
【０１４５】
遊技制御フラグ設定部１５２には、パチンコ遊技機１における遊技の進行状況などに応じて状態を更新可能な複数種類のフラグが設けられている。例えば、遊技制御フラグ設定部１５２には、複数種類のフラグそれぞれについて、フラグの値を示すデータや、オン状態あるいはオフ状態を示すデータが記憶される。
【０１４６】
遊技制御タイマ設定部１５３には、パチンコ遊技機１における遊技の進行を制御するために用いられる各種のタイマが設けられている。例えば、遊技制御タイマ設定部１５３には、複数種類のタイマそれぞれにおけるタイマ値を示すデータが記憶される。
【０１４７】
遊技制御カウンタ設定部１５４には、パチンコ遊技機１における遊技の進行を制御するために用いられるカウント値を計数するための複数種類のカウンタが設けられている。例えば、遊技制御カウンタ設定部１５４には、複数種類のカウンタそれぞれにおけるカウント値を示すデータが記憶される。ここで、遊技制御カウンタ設定部１５４には、遊技用乱数の一部または全部をＣＰＵ１０３がソフトウェアにより更新可能にカウントするためのランダムカウンタが設けられてもよい。
【０１４８】
遊技制御カウンタ設定部１５４のランダムカウンタには、乱数回路１０４で生成されない乱数値、例えば、乱数値ＭＲ２〜ＭＲ４を示す数値データが、ランダムカウント値として記憶され、ＣＰＵ１０３によるソフトウェアの実行に応じて、定期的あるいは不定期に、各乱数値を示す数値データが更新される。ＣＰＵ１０３がランダムカウント値を更新するために実行するソフトウェアは、ランダムカウント値を乱数回路１０４における数値データの更新動作とは別個に更新するためのものであってもよいし、乱数回路１０４から抽出された数値データの全部又は一部にスクランブル処理や演算処理といった所定の処理を施すことによりランダムカウント値を更新するためのものであってもよい。
【０１４９】
遊技制御バッファ設定部１５５には、パチンコ遊技機１における遊技の進行を制御するために用いられるデータを一時的に記憶する各種のバッファが設けられている。例えば、遊技制御バッファ設定部１５５には、複数種類のバッファそれぞれにおけるバッファ値を示すデータが記憶される。
【０１５０】
図２に示す遊技制御用マイクロコンピュータ１００が備えるＩ／Ｏ１０５は、遊技制御用マイクロコンピュータ１００に伝送された各種信号を取り込むための入力ポートと、遊技制御用マイクロコンピュータ１００の外部へと各種信号を伝送するための出力ポートとを含んで構成されている。
【０１５１】
図２に示すように、演出制御基板１２には、プログラムに従って制御動作を行う演出制御用ＣＰＵ１２０と、演出制御用のプログラムや固定データ等を記憶するＲＯＭ１２１と、演出制御用ＣＰＵ１２０のワークエリアを提供するＲＡＭ１２２と、演出表示装置５における表示動作の制御内容を決定するための処理などを実行する表示制御部１２３と、演出制御用ＣＰＵ１２０とは独立して乱数値を示す数値データの更新を行う乱数回路１２４と、Ｉ／Ｏ１２５とが搭載されている。
【０１５２】
一例として、演出制御基板１２では、演出制御用ＣＰＵ１２０がＲＯＭ１２１から読み出した演出制御用のプログラムを実行することにより、演出用の電気部品による演出動作を制御するための処理が実行される。このときには、演出制御用ＣＰＵ１２０がＲＯＭ１２１から固定データを読み出す固定データ読出動作や、演出制御用ＣＰＵ１２０がＲＡＭ１２２に各種の変動データを書き込んで一時記憶させる変動データ書込動作、演出制御用ＣＰＵ１２０がＲＡＭ１２２に一時記憶されている各種の変動データを読み出す変動データ読出動作、演出制御用ＣＰＵ１２０がＩ／Ｏ１２５を介して演出制御基板１２の外部から各種信号の入力を受け付ける受信動作、演出制御用ＣＰＵ１２０がＩ／Ｏ１２５を介して演出制御基板１２の外部へと各種信号を出力する送信動作なども行われる。
【０１５３】
演出制御用ＣＰＵ１２０、ＲＯＭ１２１、ＲＡＭ１２２は、演出制御基板１２に搭載された１チップの演出制御用マイクロコンピュータに含まれてもよい。
【０１５４】
演出制御基板１２には、演出表示装置５に対して映像信号を伝送するための配線や、音声制御基板１３に対して音番号データを示す情報信号としての効果音信号を伝送するための配線、ランプ制御基板１４に対してランプデータを示す情報信号としての電飾信号を伝送するための配線などが接続されている。
【０１５５】
尚、演出制御基板１２の側においても、主基板１１と同様に、例えば、予告演出等の各種の演出の種別を決定するための乱数値（演出用乱数ともいう）が設定されている。
【０１５６】
図２に示す演出制御基板１２に搭載されたＲＯＭ１２１には、演出制御用のプログラムの他にも、演出動作を制御するために用いられる各種のデータテーブルなどが格納されている。例えば、ＲＯＭ１２１には、演出制御用ＣＰＵ１２０が各種の判定や決定、設定を行うために用意された複数の判定テーブルを構成するテーブルデータ、各種の演出制御パターンを構成するパターンデータなどが記憶されている。
【０１５７】
一例として、ＲＯＭ１２１には、演出制御用ＣＰＵ１２０が各種の演出装置（例えば演出表示装置５やスピーカ８Ｌ，８Ｒ、遊技効果ランプ９及び装飾用ＬＥＤ、演出用模型など）による演出動作を制御するために使用する演出制御パターンを複数種類格納した演出制御パターンテーブルが記憶されている。演出制御パターンは、パチンコ遊技機１における遊技の進行状況に応じて実行される各種の演出動作に対応して、その制御内容を示すデータなどから構成されている。演出制御パターンテーブルには、例えば特図変動時演出制御パターンと、予告演出制御パターンと、各種演出制御パターン等が、格納されていればよい。
【０１５８】
特図変動時演出制御パターンは、複数種類の変動パターンに対応して、特図ゲームにおいて特別図柄の変動が開始されてから特図表示結果となる確定特別図柄が導出表示されるまでの期間における、演出図柄の変動表示動作やリーチ演出、再抽選演出などにおける演出表示動作、あるいは、演出図柄の変動表示を伴わない各種の演出表示動作といった、様々な演出動作の制御内容を示すデータなどから構成されている。予告演出制御パターンは、例えば、予め複数パターンが用意された予告パターンに対応して実行される予告演出となる演出動作の制御内容を示すデータなどから構成されている。各種演出制御パターンは、パチンコ遊技機１における遊技の進行状況に応じて実行される各種の演出動作に対応して、その制御内容を示すデータなどから構成されている。
【０１５９】
特図変動時演出制御パターンのうちには、例えばリーチ演出を実行する変動パターンごとに、それぞれのリーチ演出における演出態様を異ならせた複数種類のリーチ演出制御パターンが含まれてもよい。
【０１６０】
図２に示す演出制御基板１２に搭載されたＲＡＭ１２２には、演出動作を制御するために用いられる各種データを保持する領域として、例えば図９（Ａ）に示すような演出制御用データ保持エリア１９０が設けられている。図９（Ａ）に示す演出制御用データ保持エリア１９０は、演出制御フラグ設定部１９１と、演出制御タイマ設定部１９２と、演出制御カウンタ設定部１９３と、演出制御バッファ設定部１９４とを備えている。
【０１６１】
演出制御フラグ設定部１９１には、例えば演出表示装置５の画面上における演出画像の表示状態などといった演出動作状態や主基板１１から送信された演出制御コマンド等に応じて状態を更新可能な複数種類のフラグが設けられている。例えば、演出制御フラグ設定部１９１には、複数種類のフラグそれぞれについて、フラグの値を示すデータや、オン状態あるいはオフ状態を示すデータが記憶される。
【０１６２】
演出制御タイマ設定部１９２には、例えば演出表示装置５の画面上における演出画像の表示動作などといった各種演出動作の進行を制御するために用いられる複数種類のタイマが設けられている。例えば、演出制御タイマ設定部１９２には、複数種類のタイマそれぞれにおけるタイマ値を示すデータが記憶される。
【０１６３】
演出制御カウンタ設定部１９３には、各種演出動作の進行を制御するために用いられる複数種類のカウンタが設けられている。例えば、演出制御カウンタ設定部１９３には、複数種類のカウンタそれぞれにおけるカウント値を示すデータが記憶される。
【０１６４】
演出制御バッファ設定部１９４には、各種演出動作の進行を制御するために用いられるデータを一時的に記憶する各種のバッファが設けられている。例えば、演出制御バッファ設定部１９４には、複数種類のバッファそれぞれにおけるバッファ値を示すデータが記憶される。
【０１６５】
本実施例では、図９（Ｂ）に示すような始動入賞時受信コマンドバッファ１９４Ａを構成するデータが、演出制御バッファ設定部１９４の所定領域に記憶される。始動入賞時受信コマンドバッファ１９４Ａには、特図保留記憶の合計保留記憶数の最大値（例えば「８」）に対応した格納領域（バッファ番号「１」〜「８」に対応した領域）が設けられている。第１始動入賞口や第２始動入賞口への始動入賞があったときには、始動口入賞指定コマンド（第１始動口入賞指定コマンドまたは第２始動口入賞指定コマンド）、図柄指定コマンド、変動カテゴリ指定コマンドという３つのコマンドが１セットとして、主基板１１から演出制御基板１２へと送信される。始動入賞時受信コマンドバッファ１９４Ａにおける特図保留記憶に対応した格納領域は、これらの始動口入賞指定コマンド、図柄指定コマンド、変動カテゴリ指定コマンドを対応付けて、格納するための格納領域（エントリ）が確保されている。
【０１６６】
尚、主基板１１から演出制御基板１２へ通知される保留記憶数通知コマンド（第１保留記憶数通知コマンドまたは第２保留記憶数通知コマンド）を格納領域（エントリ）に格納しても良い。
【０１６７】
これら格納領域（エントリ）の記憶内容は、開始条件が成立して最上位の保留記憶（バッファ番号「１」）の変動表示が開始されるときに、最上位の保留記憶がクリアされ、１つずつ上位にシフトされていく。
【０１６８】
尚、該開始条件が成立した保留記憶の内容を格納するバッファ番号「０」の格納領域を設けるようにして、その記憶内容は、当該変動表示を終了するときに実行される演出図柄変動停止処理においてクリアされるようにしても良い。
【０１６９】
更に、本実施例の始動入賞時受信コマンドバッファ１９４Ａには、後述する先読み予告演出決定処理（図２２）において先読み予告演出の実行の有無の決定に伴う演出パターンの決定が未決定であるか否か、つまり、新たな始動入賞の発生によって、始動口入賞指定コマンド、図柄指定コマンド、変動カテゴリ指定コマンドが新たに格納されたことにより演出パターンの決定が未決定である旨を示す表示未決定フラグと、保留記憶表示の演出パターン（表示態様）に応じたフラグ値がセットされる保留表示フラグと、を特図保留記憶に対応する各バッファ番号に対応付けて格納できるように記憶領域が、各格納領域（エントリ）毎に確保されている。
【０１７０】
尚、保留表示フラグには、後述する先読み予告演出決定処理において、先読み予告演出の実行が決定されなかった場合には、通常の保留記憶表示の演出パターンに対応する「０」がセットされることで、通常の表示態様（例えば、丸形「○」の表示態様）の保留記憶表示が保留記憶表示エリア５Ｄに表示され、先読み予告演出の実行が決定された場合には、通常の表示態様とは異なる特別態様の保留記憶表示の演出パターンに対応する「１」（例えば、四角形「◇」の表示態様）または「２」（例えば、星形「☆」の表示態様）がセットされることで、通常の表示態様とは異なる特別態様の保留記憶表示が保留記憶表示エリア５Ｄに表示されて、該保留記憶表示に対応する変動表示において、大当りとなる可能性やスーパーリーチとなる可能性が高いことが予告されるようになっている。
【０１７１】
また、本実施例では、先読み予告演出の一態様である後述する変動停止演出の実行が決定された場合には、保留表示フラグとして変動停止演出用として対応する「３」がセットされる。そして、後述するように、変動停止演出が実行されることで、該変動停止演出に対応する保留記憶にもとづく変動表示において、大当りとなる可能性やスーパーリーチとなる可能性が高いことが予告されるようになっている。後述するように、この変動停止演出では、変動表示中の表示画面の演出画像が停止した状態となるとともに、演出図柄の変動表示が消去され（図３２（Ｂ）参照）、先読み予告の対象となる保留記憶にもとづいて変動表示が開始されるまで当該演出画像が停止した状態が維持される。そして、当該変動表示が開始されるとともに、変動停止演出が解除されるようになっている。
【０１７２】
演出制御用ＣＰＵ１２０は、第１始動入賞口または第２始動入賞口への始動入賞時には、コマンドを始動入賞時受信コマンドバッファ１９４Ａの特図保留記憶に対応する空きエントリにおける先頭（バッファ番号の最も若いエントリ）から格納していく。始動入賞時には、始動口入賞指定コマンドから変動カテゴリ指定コマンドまでが順次送信される。したがって、コマンド受信が行われれば、特図保留記憶に対応するバッファ番号の末尾「１」〜「８」のそれぞれに対応する格納領域に、始動口入賞指定コマンド、図柄指定コマンド、変動カテゴリ指定コマンドの順に格納されていくことになる。
【０１７３】
図９（Ｂ）に示す始動入賞時受信コマンドバッファ１９４Ａに格納されているコマンドは、演出図柄の変動表示を開始するごとに、バッファ番号「１」に対応したエントリ（該開始する変動表示の保留記憶に対応したエントリ）に格納されているものが削除されるとともに、バッファ番号「２」以降に対応したエントリ（バッファ番号「２」〜「８」）の記憶内容がシフトされる。例えば、図９（Ｂ）に示す格納状態において特図保留記憶の演出図柄の変動表示が終了した場合には、バッファ番号「１」に格納されている各コマンドが削除され、バッファ番号「２」に格納されている各コマンドがバッファ番号「１」にシフトされるとともに、バッファ番号「３」に対応した領域にて格納されている各コマンドがバッファ番号「２」に対応した領域にシフトされ、バッファ番号「４」〜「８」のそれぞれに対応した領域にて格納されている各コマンドが、バッファ番号「３」〜「７」に対応した領域にシフトされる。
【０１７４】
次に、本実施例におけるパチンコ遊技機１の動作（作用）を説明する。主基板１１では、所定の電源基板からの電力供給が開始されると、遊技制御用マイクロコンピュータ１００が起動し、ＣＰＵ１０３によって遊技制御メイン処理となる所定の処理が実行される。遊技制御メイン処理を開始すると、ＣＰＵ１０３は、割込み禁止に設定した後、必要な初期設定を行う。この初期設定では、例えばＲＡＭ１０２がクリアされる。また、遊技制御用マイクロコンピュータ１００に内蔵されたＣＴＣ（カウンタ／タイマ回路）のレジスタ設定を行う。これにより、以後、所定時間（例えば、２ミリ秒）ごとにＣＴＣから割込み要求信号がＣＰＵ１０３へ送出され、ＣＰＵ１０３は定期的にタイマ割込み処理を実行することができる。初期設定が終了すると、割込みを許可した後、ループ処理に入る。尚、遊技制御メイン処理では、パチンコ遊技機１の内部状態を前回の電力供給停止時における状態に復帰させるための処理を実行してから、ループ処理に入るようにしてもよい。
【０１７５】
こうした遊技制御メイン処理を実行したＣＰＵ１０３は、ＣＴＣからの割込み要求信号を受信して割込み要求を受け付けると、図１０のフローチャートに示す遊技制御用タイマ割込み処理を実行する。図１０に示す遊技制御用タイマ割込み処理を開始すると、ＣＰＵ１０３は、まず、所定のスイッチ処理を実行することにより、スイッチ回路１１０を介してゲートスイッチ２１、第１始動口スイッチ２２Ａ、第２始動口スイッチ２２Ｂ、カウントスイッチ２３といった各種スイッチから入力される検出信号の状態を判定する（Ｓ１１）。続いて、所定のメイン側エラー処理を実行することにより、パチンコ遊技機１の異常診断を行い、その診断結果に応じて必要ならば警告を発生可能とする（Ｓ１２）。この後、所定の情報出力処理を実行することにより、例えばパチンコ遊技機１の外部に設置されたホール管理用コンピュータに供給される大当り情報、始動情報、確率変動情報などのデータを出力する（Ｓ１３）。
【０１７６】
情報出力処理に続いて、主基板１１の側で用いられる乱数値ＭＲ１〜ＭＲ４といった遊技用乱数の少なくとも一部をソフトウェアにより更新するための遊技用乱数更新処理を実行する（Ｓ１４）。この後、ＣＰＵ１０３は、特別図柄プロセス処理を実行する（Ｓ１５）。特別図柄プロセス処理では、遊技制御フラグ設定部１５２に設けられた特図プロセスフラグの値をパチンコ遊技機１における遊技の進行状況に応じて更新し、第１特別図柄表示器４Ａや第２特別図柄表示器４Ｂにおける表示動作の制御や、特別可変入賞球装置７における大入賞口の開閉動作設定などを、所定の手順で行うために、各種の処理が選択されて実行される。
【０１７７】
特別図柄プロセス処理に続いて、普通図柄プロセス処理が実行される（Ｓ１６）。ＣＰＵ１０３は、普通図柄プロセス処理を実行することにより、普通図柄表示器２０における表示動作（例えばセグメントＬＥＤの点灯、消灯など）を制御して、普通図柄の変動表示や普通可変入賞球装置６Ｂにおける可動翼片の傾動動作設定などを可能にする。
【０１７８】
普通図柄プロセス処理を実行した後、ＣＰＵ１０３は、コマンド制御処理を実行することにより、主基板１１から演出制御基板１２などのサブ側の制御基板に対して制御コマンドを伝送させる（Ｓ１７）。これらの一例として、コマンド制御処理では、遊技制御バッファ設定部１５５に設けられた送信コマンドバッファの値によって指定されたコマンド送信テーブルにおける設定に対応して、Ｉ／Ｏ１０５に含まれる出力ポートのうち、演出制御基板１２に対して演出制御コマンドを送信するための出力ポートに制御データをセットした後、演出制御ＩＮＴ信号の出力ポートに所定の制御データをセットして演出制御ＩＮＴ信号を所定時間にわたりオン状態としてからオフ状態とすることなどにより、コマンド送信テーブルでの設定に基づく演出制御コマンドの伝送を可能とする。コマンド制御処理を実行した後には、割込み許可状態に設定してから、遊技制御用タイマ割込み処理を終了する。
【０１７９】
図１１は、特別図柄プロセス処理として、図１０に示すＳ１５にて実行される処理の一例を示すフローチャートである。この特別図柄プロセス処理において、ＣＰＵ１０３は、まず、始動入賞判定処理を実行する（Ｓ２１）。該始動入賞判定処理を実行した後、ＣＰＵ１０３は、遊技制御フラグ設定部１５２に設けられた特図プロセスフラグの値に応じて、Ｓ２２〜Ｓ２９の処理のいずれかを選択して実行する。
【０１８０】
Ｓ２１の始動入賞判定処理では、図１２に示すように、ＣＰＵ１０３は、まず、普通入賞球装置６Ａが形成する第１始動入賞口に対応して設けられた第１始動口スイッチ２２Ａからの検出信号に基づき、第１始動口スイッチ２２Ａがオンであるか否かを判定する（Ｓ１０１）。このとき、第１始動口スイッチ２２Ａがオンであれば（Ｓ１０１；Ｙ）、第１特図を用いた特図ゲームの保留記憶数である第１特図保留記憶数が、所定の上限値（例えば上限記憶数としての「４」）となっているか否かを判定する（Ｓ１０２）。ＣＰＵ１０３は、例えば遊技制御カウンタ設定部１５４に設けられた第１保留記憶数カウンタの格納値である第１保留記憶数カウント値を読み取ることにより、第１特図保留記憶数を特定できればよい。Ｓ１０２にて第１特図保留記憶数が上限値ではないときには（Ｓ１０２；Ｎ）、例えば遊技制御バッファ設定部１５５に設けられた始動口バッファの格納値を、「１」に設定する（Ｓ１０３）。
【０１８１】
Ｓ１０１にて第１始動口スイッチ２２Ａがオフであるときや（Ｓ１０１；Ｎ）、Ｓ１０２にて第１特図保留記憶数が上限値に達しているときには（Ｓ１０２；Ｙ）、普通可変入賞球装置６Ｂが形成する第２始動入賞口に対応して設けられた第２始動口スイッチ２２Ｂからの検出信号に基づき、第２始動口スイッチ２２Ｂがオンであるか否かを判定する（Ｓ１０４）。このとき、第２始動口スイッチ２２Ｂがオンであれば（Ｓ１０４；Ｙ）、第２特図を用いた特図ゲームの保留記憶数である第２特図保留記憶数が、所定の上限値（例えば上限記憶数としての「４」）となっているか否かを判定する（Ｓ１０５）。ＣＰＵ１０３は、例えば遊技制御カウンタ設定部１５４に設けられた第２保留記憶数カウンタの格納値である第２保留記憶数カウント値を読み取ることにより、第２特図保留記憶数を特定できればよい。Ｓ１０５にて第２特図保留記憶数が上限値ではないときには（Ｓ１０５；Ｎ）、例えば遊技制御バッファ設定部１５５に設けられた始動口バッファの格納値を、「２」に設定する（Ｓ１０６）。
【０１８２】
Ｓ１０３，Ｓ１０６の処理のいずれかを実行した後には、始動口バッファの格納値である始動口バッファ値に応じた特図保留記憶数を１加算するように更新する（Ｓ１０７）。例えば、始動口バッファ値が「１」であるときには第１保留記憶数カウント値を１加算する一方で、始動口バッファ値が「２」であるときには第２保留記憶数カウント値を１加算する。こうして、第１保留記憶数カウント値は、第１始動入賞口を遊技球が通過（進入）して第１特図を用いた特図ゲームに対応した第１始動条件が成立したときに、１増加するように更新される。また、第２保留記憶数カウント値は、第２始動入賞口を遊技球が通過（進入）して第２特図を用いた特図ゲームに対応した第２始動条件が成立したときに、１増加するように更新される。このときには、合計保留記憶数も１加算するように更新する（Ｓ１０８）。例えば、遊技制御カウンタ設定部１５４に設けられた合計保留記憶数カウンタの格納値である合計保留記憶数カウント値を、１加算するように更新すればよい。
【０１８３】
Ｓ１０８の処理を実行した後に、ＣＰＵ１０３は、乱数回路１０４や遊技制御カウンタ設定部１５４のランダムカウンタによって更新されている数値データのうちから、特図表示結果判定用の乱数値ＭＲ１や大当り種別判定用の乱数値ＭＲ２、変動パターン判定用の乱数値ＭＲ３を示す数値データを抽出する（Ｓ１０９）。こうして抽出した各乱数値を示す数値データは、始動口バッファ値に応じた特図保留記憶部における空きエントリの先頭に、保留情報としてセットされることで記憶される（Ｓ１１０）。例えば、始動口バッファ値が「１」であるときには、特図保留記憶部１５１Ａに乱数値ＭＲ１〜ＭＲ３を示す数値データが格納される一方、始動口バッファ値が「２」であるときには、特図保留記憶部１５１Ａに乱数値ＭＲ１〜ＭＲ３を示す数値データが格納される。
【０１８４】
特図表示結果判定用の乱数値ＭＲ１や大当り種別判定用の乱数値ＭＲ２を示す数値データは、特別図柄や演出図柄の変動表示結果を「大当り」とするか否か、さらには変動表示結果を「大当り」とする場合の大当り種別を判定するために用いられる。変動パターン判定用の乱数値ＭＲ３は、特別図柄や演出図柄の変動表示時間を含む変動パターンを判定するために用いられる。ＣＰＵ１０３は、Ｓ１０９の処理を実行することにより、特別図柄や演出図柄の変動表示結果や変動表示時間を含む変動表示態様の判定に用いられる乱数値のうち全部を示す数値データを抽出する。
【０１８５】
Ｓ１１０の処理に続いて、始動口バッファ値に応じた始動口入賞指定コマンドの送信設定が行われる（Ｓ１１１）。例えば、始動口バッファ値が「１」であるときにはＲＯＭ１０１における第１始動口入賞指定コマンドテーブルの記憶アドレスを送信コマンドバッファにおいて送信コマンドポインタにより指定されたバッファ領域に格納することなどにより、演出制御基板１２に対して第１始動口入賞指定コマンドを送信するための設定を行う。これに対して、始動口バッファ値が「２」であるときにはＲＯＭ１０１における第２始動口入賞指定コマンドテーブルの記憶アドレスを送信コマンドバッファのバッファ領域に格納することなどにより、演出制御基板１２に対して第２始動口入賞指定コマンドを送信するための設定を行う。こうして設定された始動口入賞指定コマンドは、例えば特別図柄プロセス処理が終了した後、図１０に示すＳ１７のコマンド制御処理が実行されることなどにより、主基板１１から演出制御基板１２に対して伝送される。
【０１８６】
Ｓ１１１の処理に続いて、入賞時乱数値判定処理を実行する（Ｓ１１２）。入賞時乱数値判定処理（図１３参照）を実行した後には、始動口バッファ値が「１」であるか否かを判定する（Ｓ１１４）。このとき、始動口バッファ値が「１」であれば（Ｓ１１４でＹ）始動口バッファをクリアして、その格納値を「０」に初期化してから（Ｓ１１５）、Ｓ１０４の処理に進む。これに対して、始動口バッファ値が「２」であるときには（Ｓ１１４でＮ）、始動口バッファをクリアして、その格納値を「０」に初期化してから（Ｓ１１６）、始動入賞判定処理を終了する。これにより、第１始動口スイッチ２２Ａと第２始動口スイッチ２２Ｂの双方が同時に有効な遊技球の始動入賞を検出した場合でも、確実に双方の有効な始動入賞の検出に基づく処理を完了できる。
【０１８７】
図１３（Ａ）は、入賞時乱数値判定処理として、図１２のＳ１１２にて実行される処理の一例を示すフローチャートである。本実施例において、特別図柄や演出図柄の変動表示が開始されるときには、後述する特別図柄通常処理（図１１のＳ２２、図１５）により、特図表示結果（特別図柄の変動表示結果）を「大当り」として大当り遊技状態に制御するか否かの判定が行われる。また、後述する変動パターン設定処理（図１１のＳ２３、図１６）において、演出図柄の変動表示態様を具体的に規定する変動パターンの判定などが行われる。他方、これらの判定とは別に、遊技球が始動入賞口（第１始動入賞口または第２始動入賞口）にて検出されたタイミングで、ＣＰＵ１０３がＳ１１２の入賞時乱数値判定処理を実行することにより、特図表示結果として大当り図柄を導出表示すると判定されるか否かの判定や、演出図柄の変動表示態様がスーパーリーチを伴う所定表示態様となるか否かの判定などを行う。これにより、始動入賞口に進入した遊技球の検出に基づく特別図柄や演出図柄の変動表示が開始されるより前、つまり、該変動表示の開始時に大当りとするか否かが判定されるよりも前に、特図表示結果が「大当り」となることや、演出図柄の変動表示態様がいずれのカテゴリの変動表示態様となるかを判定し、この判定結果に基づいて、演出制御用ＣＰＵ１２０などにより、後述するように、先読み予告演出の実行の有無が決定されるようになる。
【０１８８】
図１３（Ａ）に示す入賞時乱数値判定処理において、ＣＰＵ１０３は、まず、例えば遊技制御フラグ設定部１５２などに設けられた時短フラグや確変フラグの状態を確認することなどにより、パチンコ遊技機１における現在の遊技状態を特定する（Ｓ１２１）。ＣＰＵ１０３は、確変フラグがオンであるときには確変状態であることを特定し、確変フラグがオフで時短フラグがオンであるときには時短状態であることを特定し、確変フラグと時短フラグがともにオフであるときには通常状態であることを特定すればよい。
【０１８９】
Ｓ１２１の処理に続いて、図６に示す表示結果判定テーブルを選択してセットする（Ｓ１２２）。その後、図１２のＳ１０９にて抽出された特図表示結果判定用の乱数値ＭＲ１を示す数値データが所定の大当り判定範囲内であるか否かを判定する（Ｓ１２３）。大当り判定範囲には、Ｓ１２２の処理により選択された表示結果判定用テーブルにおいて「大当り」の特図表示結果に割り当てられた個々の判定値が設定され、ＣＰＵ１０３が乱数値ＭＲ１と各判定値とを逐一比較することにより、乱数値ＭＲ１と合致する判定値の有無を判定できればよい。あるいは、大当り判定範囲に含まれる判定値の最小値（下限値）と最大値（上限値）とを示す数値を設定して、ＣＰＵ１０３が乱数値ＭＲ１と大当り判定範囲の最小値や最大値とを比較することにより、乱数値ＭＲ１が大当り判定範囲の範囲内であるか否かを判定できればよい。このとき、乱数値ＭＲ１が大当り判定範囲の範囲内であると判定されることにより、その乱数値ＭＲ１を含む保留データに基づく変動表示結果が「大当り」に決定されると判定できる。
【０１９０】
Ｓ１２３にて大当り判定範囲内ではないと判定された場合、つまり、変動表示時に大当りとならないと判定された場合には（Ｓ１２３；Ｎ）、変動表示結果が「ハズレ」となることに応じた図柄指定コマンドの送信設定を実行し（Ｓ１２４）、時短フラグがセットされているか否か、つまり、現在の遊技状態が時短状態であるか否かを判定する（Ｓ１２５）。時短フラグがセットされていない場合は（Ｓ１２５；Ｎ）、ハズレ用変動パターン判定テーブルＡを選択してセットし、時短フラグがセットされている場合は（Ｓ１２５；Ｙ）、ハズレ用変動パターン判定テーブルＤを選択してセットする（Ｓ１２７）。
【０１９１】
尚、ハズレ用変動パターン判定テーブルＡは、保留記憶数が１個以下である場合に使用されるハズレ用変動パターン判定テーブルである。また、ハズレ用変動パターン判定テーブルＤは、遊技状態が時短制御の実行されている高ベース状態である場合に使用されるハズレ用変動パターン判定テーブルである。
【０１９２】
尚、本実施例では、これらのハズレ用変動パターン判定テーブルＡやハズレ用変動パターン判定テーブルＤに加えて、合計保留記憶数が２〜４個である場合に使用されるハズレ用変動パターン判定テーブルＢと、合計保留記憶数が５〜８個である場合に使用されるハズレ用変動パターン判定テーブルＣが予め用意されているが、図１４に示すように、これらハズレ用変動パターン判定テーブルＡ〜Ｃのうち、ハズレ用変動パターン判定テーブルＡでは、非リーチの変動パターンに対して変動パターン判定用の乱数値ＭＲ３がとりうる範囲のうち０〜Ａまでの値が割り当てられており、ハズレ用変動パターン判定テーブルＢ，Ｃでは、非リーチの変動パターンに対して変動パターン判定用の乱数値ＭＲ３がとりうる範囲のうち０〜Ａを超える値が割り当てられている。一方、ハズレ用変動パターン判定テーブルＡ〜Ｃでは、スーパーリーチの変動パターンに対して変動パターン判定用の乱数値ＭＲ３がとりうる範囲のうちＢ〜９９７までの値が割り当てられている。
【０１９３】
このため、Ｓ１２６においてハズレ用変動パターン判定テーブルＡを用いて変動パターンを判定することで、非リーチとスーパーリーチの判定は、該判定後に保留記憶数が変化しても必ず非リーチまたはスーパーリーチの変動パターンとなるので、始動入賞時の判定においては、ハズレ用変動パターン判定テーブルＡを用いて判定するようになっている。
【０１９４】
図１３（Ａ）に示すように、Ｓ１２３にて大当り判定範囲内であると判定された場合、つまり、変動表示時に大当りとなると判定された場合には（Ｓ１２３；Ｙ）、大当り種別判定用の乱数値ＭＲ２に基づいて、大当り種別を判定する（Ｓ１２８）。このとき、ＣＰＵ１０３は、始動口バッファ値に対応して特定される変動特図（「１」に対応する「第１特図」または「２」に対応する「第２特図」）に応じて、大当り種別判定テーブルを構成するテーブルデータから大当り種別判定用テーブルデータを選択する。そして、選択した大当り種別判定用テーブルデータを参照することにより、大当り種別が複数種別のいずれに判定されるかを判定する。
【０１９５】
また、Ｓ１２８において判定した大当り種別に応じた図柄指定コマンドの送信設定を実行し（Ｓ１２９）、大当り変動パターンを複数のいずれかに判定するためのテーブルとして、大当り用変動パターン判定テーブルを選択してセットする（Ｓ１３０）。
【０１９６】
Ｓ１２６，Ｓ１２７，Ｓ１３０の処理のいずれかを実行した後には、Ｓ１２６，Ｓ１２７，Ｓ１３０の処理にて設定された変動パターン判定テーブルと変動パターン判定用の乱数値ＭＲ３を示す数値データとを用いて、乱数値ＭＲ３が含まれる判定値の範囲に応じた変動カテゴリを判定する（Ｓ１３１）。本実施例では、図１３（Ｂ）に示すように、少なくとも変動表示結果が「ハズレ」となる場合に、合計保留記憶数にかかわらず共通して「非リーチ」の変動表示態様となる変動カテゴリと、「スーパーリーチ」の変動表示態様となる変動カテゴリと、「非リーチ」と「スーパーリーチ」以外の変動表示態様（例えばノーマルリーチ）となる「その他」の変動カテゴリと、を設け、乱数値ＭＲ３に基づいて、このような変動カテゴリに決定されるか否かを判定できればよい。
【０１９７】
その後、Ｓ１３１の処理による判定結果に応じた変動カテゴリ指定コマンドを、演出制御基板１２に対して送信するための設定を行ってから（Ｓ１３２）、入賞時乱数値判定処理を終了する。
【０１９８】
尚、入賞時乱数値判定処理において、後述する変動停止演出フラグがセットされているとき、つまり変動停止演出が実行中であるときに始動入賞があった場合には、ノーマルリーチやスーパーリーチの変動パターン判定用の乱数値の割り当てのないハズレ用変動パターン判定テーブルＤを用いて変動パターンを決定するようにしても良い。
【０１９９】
Ｓ２２の特別図柄通常処理は、特図プロセスフラグの値が“０”のときに実行される。この特別図柄通常処理では、特図保留記憶部１５１Ａに記憶されている保留データの有無などに基づいて、第１特別図柄表示器４Ａや第２特別図柄表示器４Ｂによる特図ゲームを開始するか否かの判定が行われる。また、特別図柄通常処理では、特図表示結果判定用の乱数値ＭＲ１を示す数値データに基づき、特別図柄や演出図柄の変動表示結果を「大当り」とするか否かを、その変動表示結果が導出表示される前に決定（事前決定）する。さらに、特別図柄通常処理では、特図ゲームにおける特別図柄の変動表示結果に対応して、第１特別図柄表示器４Ａや第２特別図柄表示器４Ｂによる特図ゲームにおける確定特別図柄（大当り図柄やハズレ図柄のいずれか）が設定される。特別図柄通常処理では、特別図柄や演出図柄の変動表示結果を事前決定したときに、特図プロセスフラグの値が“１”に更新される。
【０２００】
Ｓ２３の変動パターン設定処理は、特図プロセスフラグの値が“１”のときに実行される。この変動パターン設定処理には、変動表示結果を「大当り」とするか否かの事前決定結果などに基づき、変動パターン判定用の乱数値ＭＲ３を示す数値データを用いて変動パターンを複数種類のいずれかに決定する処理などが含まれている。変動パターン設定処理が実行されて特別図柄の変動表示が開始されたときには、特図プロセスフラグの値が“２”に更新される。
【０２０１】
Ｓ２２の特別図柄通常処理やＳ２３の変動パターン設定処理により、特別図柄の変動表示結果となる確定特別図柄や特別図柄および演出図柄の変動表示時間を含む変動パターンが決定される。すなわち、特別図柄通常処理や変動パターン設定処理は、特図表示結果判定用の乱数値ＭＲ１、大当り種別判定用の乱数値ＭＲ２、変動パターン判定用の乱数値ＭＲ３を用いて、特別図柄や演出図柄の変動表示態様を決定する処理を含んでいる。
【０２０２】
Ｓ２４の特別図柄変動処理は、特図プロセスフラグの値が“２”のときに実行される。この特別図柄変動処理には、第１特別図柄表示器４Ａや第２特別図柄表示器４Ｂにおいて特別図柄を変動させるための設定を行う処理や、その特別図柄が変動を開始してからの経過時間を計測する処理などが含まれている。例えば、Ｓ２４の特別図柄変動処理が実行されるごとに、遊技制御タイマ設定部１５３に設けられた特図変動タイマにおける格納値である特図変動タイマ値を１減算あるいは１加算して、第１特別図柄表示器４Ａにおける第１特図を用いた特図ゲームであるか、第２特別図柄表示器４Ｂにおける第２特図を用いた特図ゲームであるかにかかわらず、共通のタイマによって経過時間の測定が行われる。また、計測された経過時間が変動パターンに対応する特図変動時間に達したか否かの判定も行われる。このように、Ｓ２４の特別図柄変動処理は、第１特別図柄表示器４Ａにおける第１特図を用いた特図ゲームでの特別図柄の変動や、第２特別図柄表示器４Ｂにおける第２特図を用いた特図ゲームでの特別図柄の変動を、共通の処理ルーチンによって制御する処理となっていればよい。そして、特別図柄の変動を開始してからの経過時間が特図変動時間に達したときには、特図プロセスフラグの値が“３”に更新される。
【０２０３】
Ｓ２５の特別図柄停止処理は、特図プロセスフラグの値が“３”のときに実行される。この特別図柄停止処理には、第１特別図柄表示器４Ａや第２特別図柄表示器４Ｂにて特別図柄の変動を停止させ、特別図柄の変動表示結果となる確定特別図柄を停止表示（導出）させるための設定を行う処理が含まれている。そして、遊技制御フラグ設定部１５２に設けられた大当りフラグがオンとなっているか否かの判定などが行われ、大当りフラグがオンである場合には特図プロセスフラグの値が“４”に更新される。その一方で、大当りフラグがオフである場合には、特図プロセスフラグの値が“０”に更新される。
【０２０４】
Ｓ２６の大当り開放前処理は、特図プロセスフラグの値が“４”のときに実行される。この大当り開放前処理には、変動表示結果が「大当り」となったことなどに基づき、大当り遊技状態においてラウンドの実行を開始して大入賞口を開放状態とするための設定を行う処理などが含まれている。このときには、例えば大当り種別が「非確変大当り」、「確変大当りＡ」、「確変大当りＢ」のいずれであるかに対応して、大入賞口を開放状態とする期間の上限を設定するようにしてもよい。一例として、大当り種別に関係なく、大入賞口を開放状態とする期間の上限を「２９秒」に設定するとともに、ラウンドを実行する上限回数となる大入賞口の開放回数を、「非確変大当り」または「確変大当りＡ」である場合には、「１６回」に設定することにより、通常開放大当り状態とする設定が行われればよい。一方、大当り種別が「確変大当りＢ」である場合には、ラウンドを実行する上限回数となる大入賞口の開放回数を「５回」に設定することにより、短期開放大当り状態とする設定が行われればよい。このときには、特図プロセスフラグの値が“５”に更新される。
【０２０５】
Ｓ２７の大当り開放中処理は、特図プロセスフラグの値が“５”のときに実行される。この大当り開放中処理には、大入賞口を開放状態としてからの経過時間を計測する処理や、その計測した経過時間やカウントスイッチ２３によって検出された遊技球の個数などに基づいて、大入賞口を開放状態から閉鎖状態に戻すタイミングとなったか否かを判定する処理などが含まれている。そして、大入賞口を閉鎖状態に戻すときには、大入賞口扉用のソレノイド８２に対するソレノイド駆動信号の供給を停止させる処理などを実行した後、特図プロセスフラグの値が“６”に更新される。
【０２０６】
Ｓ２８の大当り開放後処理は、特図プロセスフラグの値が“６”のときに実行される。この大当り開放後処理には、大入賞口を開放状態とするラウンドの実行回数が大入賞口開放回数最大値に達したか否かを判定する処理や、大入賞口開放回数最大値に達した場合に大当り終了指定コマンドを送信するための設定を行う処理などが含まれている。そして、ラウンドの実行回数が大入賞口開放回数最大値に達していないときには、特図プロセスフラグの値が“５”に更新される一方、大入賞口開放回数最大値に達したときには、特図プロセスフラグの値が“７”に更新される。
【０２０７】
Ｓ２９の大当り終了処理は、特図プロセスフラグの値が“７”のときに実行される。この大当り終了処理には、演出表示装置５やスピーカ８Ｌ，８Ｒ、遊技効果ランプ９などといった演出装置により、大当り遊技状態の終了を報知する演出動作としてのエンディング演出が実行される期間に対応した待ち時間が経過するまで待機する処理や、大当り遊技状態の終了に対応して確変制御や時短制御を開始するための各種の設定（確変フラグや時短フラグのセット）を行う処理などが含まれている。こうした設定が行われたときには、特図プロセスフラグの値が“０”に更新される。
【０２０８】
尚、大当り終了処理においては、遊技制御バッファ設定部１５５に記憶されている大当り種別バッファ値を読み出して、大当り種別が「非確変大当り」、「確変大当りＡ」、「確変大当りＢ」のいずれであったかを特定する。そして、特定した大当り種別が「非確変大当り」ではないと判定された場合には、確変制御を開始するための設定（確変フラグのセット）を行う。
【０２０９】
また、特定した大当り種別が「非確変大当り」である場合には、時短制御を開始するための設定（時短フラグのセットと時短制御中に実行可能な特図ゲームの上限値に対応して予め定められたカウント初期値（本実施例では「１００」）を時短回数カウンタにセット）を行う。
【０２１０】
図１５は、特別図柄通常処理として、図１１のＳ２２にて実行される処理の一例を示すフローチャートである。図１５に示す特別図柄通常処理において、ＣＰＵ１０３は、まず、現在の合計保留記憶数の値を確認する（Ｓ１４１）。具体的には、合計保留記憶数カウンタのカウント値を確認する。現在の合計保留記憶数が０であれば処理を終了する。
【０２１１】
現在の合計保留記憶数が０でなければ、ＣＰＵ１０３は、特図保留記憶部１５１Ａ（図８参照）に設定されているデータのうち１番目のデータが「第１」を示すデータであるか否か確認する（Ｓ１４２）。特図保留記憶部１５１Ａに設定されている１番目のデータが「第１」を示すデータでない（すなわち、「第２」を示すデータである）場合（Ｓ１４２；Ｎ）、ＣＰＵ１０３は、特別図柄ポインタ（第１特別図柄について特別図柄プロセス処理を行っているのか第２特別図柄について特別図柄プロセス処理を行っているのかを示すフラグ）に「第２」を示すデータを設定する（Ｓ１４４）。特図保留記憶部１５１Ａに設定されている１番目のデータが「第１」を示すデータである場合（Ｓ１４２；Ｙ）、ＣＰＵ１０３は、特別図柄ポインタに「第１」を示すデータを設定する（Ｓ１４３）。
【０２１２】
Ｓ１４１〜Ｓ１４４の処理が実行されることによって、本実施例では、第１始動入賞口と第２始動入賞口とに遊技球が入賞した始動入賞順に従って、第１特別図柄の変動表示または第２特別図柄の変動表示が実行される。
【０２１３】
次いで、ＣＰＵ１０３は、ＲＡＭ１０２において、特別図柄ポインタが示す方の保留記憶数＝１に対応する特図保留記憶部に格納されている各乱数値を読み出してＲＡＭ１０２の乱数バッファ領域に格納する（Ｓ１４５）。
【０２１４】
そして、ＣＰＵ１０３は、特別図柄ポインタが示す方の保留記憶数カウンタのカウント値を１減算し、特図保留記憶部１５１Ａの内容をシフトする（Ｓ１４６）。また、ＣＰＵ１０３は、特別図柄ポインタが「第１」を示している場合には、第１保留記憶数カウンタのカウント値を１減算し、かつ、特図保留記憶部１５１Ａにおける各エントリの内容をシフトする。また、特別図柄ポインタが「第２」を示している場合に、第２保留記憶数カウンタのカウント値を１減算し、かつ、特図保留記憶部１５１Ａにおける各エントリの内容をシフトする。
【０２１５】
ここで、ＣＰＵ１０３は、ＲＡＭ１０２の特図保留記憶部１５１Ａにおいて保留記憶数＝ｎ（ｎ＝２〜８）に対応するエントリに格納されている各乱数値を、保留記憶数＝ｎ−１に対応するエントリに格納する。
【０２１６】
よって、合計保留記憶数に対応するそれぞれの保存領域（エントリ）に格納されている各乱数値が抽出された順番は、常に、保留記憶数＝１〜８の順番と一致するようになっている。
【０２１７】
なお、ＣＰＵ１０３は、Ｓ１４６において、特別図柄ポインタが示す方の保留記憶数カウンタのカウント値を１減算すると、減算された保留記憶数カウンタのカウント値にもとづいて第１保留表示器２５Ａまたは第２保留表示器２５Ｂの表示を変更する制御も行う。
【０２１８】
そして、ＣＰＵ１０３は、合計保留記憶数カウンタのカウント値をＲＡＭ１０２の所定の領域に保存した後（Ｓ１４７）、現在の合計保留記憶数の値を１減らす。すなわち、合計保留記憶数カウンタのカウント値を１減算する（Ｓ１４８）。
【０２１９】
また、ＣＰＵ１０３は、減算後の特別図柄ポインタが示す方の保留記憶数カウンタの値にもとづいて、特別図柄ポインタが示す方の保留記憶数指定コマンドを演出制御基板１２に送信するための制御（送信設定）を行う（Ｓ１４９）。この場合、特別図柄ポインタに「第１」を示す値が設定されている場合には、ＣＰＵ１０３は、第１保留記憶数指定コマンドを送信するための制御（送信設定）を行う。また、特別図柄ポインタに「第２」を示す値が設定されている場合には、ＣＰＵ１０３は、第２保留記憶数指定コマンドを送信するための制御（送信設定）を行う。
【０２２０】
特別図柄通常処理では、最初に、第１始動入賞口を対象として処理を実行することを示す「第１」を示すデータ、すなわち第１特別図柄を対象として処理を実行することを示す「第１」を示すデータ、または第２始動入賞口を対象として処理を実行することを示す「第２」を示すデータすなわち第２特別図柄を対象として処理を実行することを示す「第２」を示すデータが、特別図柄ポインタに設定される。そして、特別図柄プロセス処理における以降の処理では、特別図柄ポインタに設定されているデータに応じた処理が実行される。
【０２２１】
次いで、ＣＰＵ１０３は、特図表示結果判定用乱数ＭＲ１の数値を読み出し、該読み出したＭＲ１の数値が大当りの範囲内であるか否かを判定する（Ｓ１５０）。具体的には、ＣＰＵ１０３は、確変フラグがセットされていない場合、つまり、遊技状態が通常状態または時短状態である場合は、図６に示すように、読み出したＭＲ１の数値が大当り判定値の１〜２１９の範囲内であるか否かを判定し、確変フラグがセットされている場合、つまり、遊技状態が確変状態である場合は、読み出したＭＲ１の数値が大当り判定値１００００〜１２１８０の範囲内であるか否かを判定する。
【０２２２】
ＭＲ１の値が大当り判定値の範囲内でない場合は（Ｓ１５０；Ｎ）、ＣＰＵ１０３はＳ１５５に移行し、ＭＲ１の値が大当り判定値の範囲内である場合は（Ｓ１５０；Ｙ）、ＣＰＵ１０３はＳ１５１に移行する。
【０２２３】
Ｓ１５１では、ＣＰＵ１０３は、大当りであることを示す大当りフラグをセットする。そして、大当り種別を複数種類のうちのいずれかに決定するために使用するテーブルとして、図７（Ａ）に示す種別判定テーブルを選択する（Ｓ１５２）。
【０２２４】
次いで、ＣＰＵ１０３は、選択した大当り種別判定テーブルを用いて、大当り種別判定用の乱数ＭＲ２の値と一致する値に対応した種別（「非確変大当り」、「確変大当りＡ」または「確変大当りＢ」）を大当りの種別に決定する（Ｓ１５３）。
【０２２５】
また、ＣＰＵ１０３は、決定した大当りの種別を示すデータをＲＡＭ１０２における大当り種別バッファに設定する（Ｓ１５４）。例えば、大当り種別が「確変大当りＡ」の場合には大当り種別を示すデータとして「０１」が設定され、大当り種別が「確変大当りＢ」の場合には大当り種別を示すデータとして「０２」が設定され、大当り種別が「非確変大当り」の場合には大当り種別を示すデータとして「０３」が設定される。
【０２２６】
次いで、ＣＰＵ１０３は、特別図柄の停止図柄を決定する（Ｓ１５５）。具体的には、大当りフラグおよび小当りフラグのいずれもセットされていない場合には、はずれ図柄となる「−」を特別図柄の停止図柄に決定する。大当りフラグがセットされている場合には、大当り種別の決定結果に応じて、大当り図柄となる「１」、「３」、「７」のいずれかを特別図柄の停止図柄に決定する。すなわち、大当り種別を「確変大当りＢ」に決定した場合には「１」を特別図柄の停止図柄に決定し、「非確変大当り」に決定した場合には「３」を特別図柄の停止図柄に決定し、「確変大当りＡ」に決定した場合には「７」を特別図柄の停止図柄に決定する。
【０２２７】
そして、特別図柄プロセスフラグの値を変動パターン設定処理（Ｓ２３）に対応した値に更新する（Ｓ１５６）。
【０２２８】
図１６は、変動パターン設定処理として、図１１のＳ２３にて実行される処理の一例を示すフローチャートである。図１６に示す変動パターン設定処理において、ＣＰＵ１０３は、まず、大当りフラグがオンであるか否かを判定する（Ｓ１６１）。そして、大当りフラグがオンであれば（Ｓ１６１；Ｙ）、変動パターンを複数種別のいずれかに決定するための使用テーブルとして、大当り用変動パターン判定テーブルを選択してセットする（Ｓ１６２）。
【０２２９】
Ｓ１６１にて大当りフラグがオフであるときには（Ｓ１６１；Ｎ）、例えば遊技制御フラグ設定部１５２に設けられた時短フラグがオンであるか否か（セットされているか）を判定することなどにより、遊技状態が確変状態や時短状態で時短制御が行われる時短制御中であるか否かを判定する（Ｓ１６３）。そして、時短フラグがオンであれば（Ｓ１６３；Ｙ）、変動パターンを複数種類のいずれかに決定するための使用テーブルとして、ハズレ用変動パターン判定テーブルＤを選択してセットする（Ｓ１６４）。
【０２３０】
一方、時短制御中ではないとき、つまり、時短フラグがオフであるとき（セットされていないとき）には（Ｓ１６３；Ｎ）、例えば遊技制御カウンタ設定部１５４に設けられた合計保留記憶数カウンタの格納値を読み取ることなどにより、合計保留記憶数を特定し、該特定した合計保留記憶数が２以上であるか否かを判定する（Ｓ１６５）。
【０２３１】
特定した合計保留記憶数が２以上でない場合（Ｓ１６５；Ｎ）には、変動パターンを複数種類のいずれかに決定するための使用テーブルとして、ハズレ用変動パターン判定テーブルＡを選択してセットする（Ｓ１６６）。
【０２３２】
また、特定した合計保留記憶数が２以上である場合（Ｓ１６５；Ｙ）には、Ｓ１６７に進んで、合計保留記憶数が５以上であるか否かをさらに判定する（Ｓ１６７）。
【０２３３】
合計保留記憶数が５以上でない場合（Ｓ１６７；Ｎ）には、変動パターンを複数種類のいずれかに決定するための使用テーブルとして、ハズレ用変動パターン判定テーブルＢを選択してセットする（Ｓ１６８）。
【０２３４】
また、合計保留記憶数が５以上である場合（Ｓ１６７；Ｙ）には、変動パターンを複数種類のいずれかに決定するための使用テーブルとして、ハズレ用変動パターン判定テーブルＣを選択してセットする（Ｓ１６９）。
【０２３５】
Ｓ１６２，Ｓ１６４，Ｓ１６６，Ｓ１６８，Ｓ１６９の処理のいずれかを実行した後には、例えば変動用乱数バッファなどに格納されている変動パターン判定用の乱数値ＭＲ３を示す数値データなどに基づき、選択された大当り用変動パターン判定テーブルまたはハズレ用変動パターン判定テーブルＡ〜Ｄのいずれかを参照することにより、変動パターンを複数種類のいずれかに決定する（Ｓ１７０）。
【０２３６】
尚、大当りフラグがオフであるときには、Ｓ１７０の処理にて変動パターンを決定することにより、演出図柄の変動表示態様を「リーチ」とするか否かが決定される。すなわち、Ｓ１７０の処理には、変動表示結果が「ハズレ」となる場合に、演出図柄の変動表示状態をリーチ状態とするか否かを決定する処理が含まれている。
【０２３７】
Ｓ１７０にて変動パターンを決定した後には、変動特図指定バッファ値に応じて、第１特別図柄表示器４Ａにおける第１特図を用いた特図ゲームと、第２特別図柄表示器４Ｂにおける第２特図を用いた特図ゲームのいずれかを開始させるように、特別図柄の変動を開始させるための設定を行う（Ｓ１７１）。一例として、変動特図指定バッファ値が「１」であれば、第１特別図柄表示器４Ａにおける第１特図の表示を更新させる駆動信号を送信するための設定を行う。一方、変動特図指定バッファ値が「２」であれば、第２特別図柄表示器４Ｂにおける第２特図の表示を更新させる駆動信号を送信するための設定を行う。
【０２３８】
Ｓ１７１の処理に続いて、特別図柄の変動開始時用となる各種コマンドを送信するための設定を行う（Ｓ１７２）。例えば、変動特図指定バッファ値が「１」である場合に、ＣＰＵ１０３は、主基板１１から演出制御基板１２に対して遊技状態指定コマンド、第１変動開始コマンド、変動パターン指定コマンド、変動表示結果通知コマンド、第１保留記憶数通知コマンドを順次に送信するために、予め用意された第１変動開始用コマンドテーブルのＲＯＭ１０１における記憶アドレス（先頭アドレス）を示す設定データを、遊技制御バッファ設定部１５５に設けられた送信コマンドバッファにおいて送信コマンドポインタによって指定されたバッファ領域に格納する。他方、変動特図指定バッファ値が「２」である場合に、ＣＰＵ１０３は、主基板１１から演出制御基板１２に対して遊技状態指定コマンド、第２変動開始コマンド、変動パターン指定コマンド、変動表示結果通知コマンド、第２保留記憶数通知コマンドを順次に送信するために、予め用意された第２変動開始用コマンドテーブルのＲＯＭ１０１における記憶アドレスを示す設定データを、送信コマンドバッファにおいて送信コマンドポインタによって指定されたバッファ領域に格納する。
【０２３９】
Ｓ１７２の処理を実行した後、その変動パターンの決定結果に応じた特別図柄の変動表示時間である特図変動時間を設定する（Ｓ１７３）。特別図柄の変動表示時間となる特図変動時間は、特図ゲームにおいて特別図柄の変動を開始してから変動表示結果（特図表示結果）となる確定特別図柄が導出表示されるまでの所要時間である。その後、特図プロセスフラグの値を特別図柄変動処理に対応した値である“２”に更新してから（Ｓ１７４）、変動パターン設定処理を終了する。
【０２４０】
Ｓ１７２でのコマンド送信設定に基づいて、変動パターン設定処理が終了してから図１０に示すＳ１７のコマンド制御処理が実行されるごとに、主基板１１から演出制御基板１２に対して遊技状態指定コマンド、第１変動開始コマンドまたは第２変動開始コマンド、変動パターン指定コマンド、変動表示結果通知コマンド、第１保留記憶数通知コマンドまたは第２保留記憶数通知コマンドが、順次に送信されることになる。尚、これらの演出制御コマンドが送信される順番は任意に変更可能であり、例えば変動表示結果通知コマンドを最初に送信してから、第１変動開始コマンドまたは第２変動開始コマンド、変動パターン指定コマンド、遊技状態指定コマンド、第１保留記憶数通知コマンドまたは第２保留記憶数通知コマンドの順などで送信されるようにしてもよい。
【０２４１】
図１７は、特別図柄停止処理として、図１１のＳ２５にて実行される処理の一例を示すフローチャートである。特別図柄停止処理において、ＣＰＵ１０３は、Ｓ３２の特別図柄表示制御処理で参照される終了フラグをセットして特別図柄の変動を終了させ、第１特別図柄表示器４Ａや第２特別図柄表示器４Ｂに停止図柄を導出表示する制御を行う（Ｓ１８１）。尚、変動特図指定バッファ値が第１特図を示す「１」である場合には、第１特別図柄表示器４Ａでの第１特別図柄の変動を終了させ、変動特図指定バッファ値が第２特図を示す「２」である場合には、第２特別図柄表示器４Ｂでの第２特別図柄の変動を終了させる。また、演出制御基板１２に図柄確定コマンドを送信する制御を行う（Ｓ１８２）。そして、大当りフラグがセットされているか否かを判定し（Ｓ１８３）、大当りフラグがセットされていない場合（Ｓ１８３；Ｎ）には、Ｓ１９０に移行する。
【０２４２】
一方、大当りフラグがセットされている場合（Ｓ１８３；Ｙ）には、ＣＰＵ１０３は、確変フラグや時短フラグがセットされていれば、確変フラグおよび時短フラグをクリアし（Ｓ１８４）、演出制御基板１２に、記憶されている大当りの種別に応じて大当り開始１指定コマンド（確変Ａ）、大当り開始２指定コマンド（確変Ｂ）、大当り開始３指定コマンド（非確変）を送信するための設定を行う（Ｓ１８５）。
【０２４３】
さらにＣＰＵ１０３は、演出制御基板１２に通常状態を示す遊技状態指定コマンドを送信するための設定を行う（Ｓ１８６）。
【０２４４】
そして、大当り表示時間タイマに大当り表示時間（大当りが発生したことを、例えば、演出表示装置５において報知する時間）に相当する値を設定する（Ｓ１８７）。また、大入賞口開放回数カウンタに開放回数（例えば、非確変大当りや確変大当りＡの場合には１６回。確変大当りＢの場合には５回。）をセットする（Ｓ１８８）。そして、特別図柄プロセスフラグの値を大当り開放前処理（Ｓ２６）に対応した値である“４”に更新する（Ｓ１８９）。
【０２４５】
一方、Ｓ１９０においてＣＰＵ１０３は、時短回数カウンタの値が「０」であるか否かを判定する。時短回数カウンタの値が「０」である場合（Ｓ１９０；Ｙ）には、Ｓ１９６に進む。
【０２４６】
一方、時短回数カウンタの値が「０」でない場合（Ｓ１９０；Ｎ）、つまり、時短回数が残存している高ベース状態である場合には、該時短回数カウンタの値を−１する（Ｓ１９１）。そして、減算後の時短回数カウンタの値が「０」であるか否かを判定し（Ｓ１９３）、「０」でない場合（Ｓ１９３；Ｎ）にはＳ１９６に進み、時短回数カウンタの値が「０」である場合（Ｓ１９３；Ｙ）には、時短制御を終了させるために、時短フラグをクリアした後（Ｓ１９４）、確変フラグまたは時短フラグのセット状態に対応した遊技状態（具体的には低確低ベース）に対応した遊技状態指定コマンドの送信設定を行った後（Ｓ１９５）、Ｓ１９６に進む。
【０２４７】
Ｓ１９６では、特図プロセスフラグの値を特別図柄通常処理に対応した値である“０”に更新してから、当該特別図柄停止処理を終了する。
【０２４８】
図１８は、大当り終了処理として、図１１のＳ２９にて実行される処理の一例を示すフローチャートである。
【０２４９】
大当り終了処理において、ＣＰＵ１０３は、大当り終了表示タイマが動作中、つまりタイマカウント中であるか否かを判定する（Ｓ２０１）。大当り終了表示タイマが動作中でない場合（Ｓ２０１；Ｎ）には、大当り終了表示タイマに、演出表示装置５において大当り終了表示を行う時間（大当り終了表示時間）に対応する表示時間に相当する値を設定し（Ｓ２０４）、処理を終了する。
【０２５０】
一方、大当り終了表示タイマが動作中である場合（Ｓ２０１；Ｙ）には、大当り終了表示タイマの値を１減算する（Ｓ２０５）。そして、ＣＰＵ１０３は、大当り終了表示タイマの値が０になっているか否か、すなわち、大当り終了表示時間が経過したか否か確認する（Ｓ２０６）。経過していなければ処理を終了する。
【０２５１】
大当り終了表示時間を経過していれば（Ｓ２０６；Ｙ）、ＣＰＵ１０３は、記憶されている大当り種別が確変大当りＡまたは確変大当りＢであるかを判定する（Ｓ２０７）。
【０２５２】
大当り種別が確変大当りＡまたは確変大当りＢである場合（Ｓ２０７；Ｙ）には、確変フラグをセットし（Ｓ２０８）、時短フラグをセットし（Ｓ２０９）、時短回数カウンタに「０」をセットした後（Ｓ２１０）、Ｓ２１３に進む。
【０２５３】
一方、大当り種別が確変大当りＡまたは確変大当りＢでない場合（Ｓ２０７；Ｎ）には、Ｓ２１１とＳ２１２を実行することで、時短フラグをセットするとともに時短回数カウンタに「１００」をセットした後、Ｓ２１３に進む。
【０２５４】
Ｓ２１３では、大当りフラグをリセットし、大当り種別に応じた大当り終了指定コマンドの送信設定を行う（Ｓ２１４）。そして、セットされた確変フラグや時短フラグに基づく遊技状態を演出制御基板１２に通知するための遊技状態指定コマンドの送信設定を行った後（Ｓ２１５）、特図プロセスフラグの値を特別図柄通常処理に対応した値である“０”に更新する（Ｓ２１６）。
【０２５５】
次に、演出制御基板１２の動作を説明する。図１９は、演出制御基板１２に搭載されている演出制御用ＣＰＵ１２０が実行する演出制御メイン処理を示すフローチャートである。演出制御用ＣＰＵ１２０は、電源が投入されると、メイン処理の実行を開始する。メイン処理では、まず、ＲＡＭ領域のクリアや各種初期値の設定、また演出制御の起動間隔（例えば、２ｍｓ）を決めるためのタイマの初期設定等を行うための初期化処理を行う（Ｓ５１）。その後、演出制御用ＣＰＵ１２０は、タイマ割込フラグの監視（Ｓ５２）を行うループ処理に移行する。タイマ割込が発生すると、演出制御用ＣＰＵ１２０は、タイマ割込処理においてタイマ割込フラグをセットする。メイン処理において、タイマ割込フラグがセット（オン）されていたら、演出制御用ＣＰＵ１２０は、そのフラグをクリアし（Ｓ５３）、以下の処理を実行する。
【０２５６】
演出制御用ＣＰＵ１２０は、まず、受信した演出制御コマンドを解析し、受信した演出制御コマンドに応じたフラグをセットする処理等を行う（コマンド解析処理：Ｓ５４）。このコマンド解析処理において演出制御用ＣＰＵ１２０は、受信コマンドバッファに格納されている主基板１１から送信されてきたコマンドの内容を確認する。尚、遊技制御用マイクロコンピュータ１００から送信された演出制御コマンドは、演出制御ＩＮＴ信号にもとづく割込処理で受信され、ＲＡＭに形成されているバッファ領域に保存されている。コマンド解析処理では、バッファ領域に保存されている演出制御コマンドがどのコマンド（図３参照）であるのか解析する。
【０２５７】
次いで、演出制御用ＣＰＵ１２０は、演出制御プロセス処理を行う（Ｓ５５）。演出制御プロセス処理では、制御状態に応じた各プロセスのうち、現在の制御状態（演出制御プロセスフラグ）に対応した処理を選択して演出表示装置５の表示制御を実行する。
【０２５８】
次いで、大当り図柄判定用乱数などの演出用乱数を生成するためのカウンタのカウント値を更新する演出用乱数更新処理を実行し（Ｓ５６）、その後、Ｓ５２に移行する。
【０２５９】
尚、遊技制御用マイクロコンピュータ１００から送信された演出制御コマンドは、演出制御ＩＮＴ信号にもとづく割込処理で受信され、ＲＡＭに形成されているバッファ領域に保存されている。コマンド解析処理では、バッファ領域に保存されている演出制御コマンドがどのコマンド（図３参照）であるのかを、図２０に示すように解析する。
【０２６０】
図２０は、コマンド解析処理として、図１９のＳ５４にて実行される処理の一例を示すフローチャートである。図２０に示すコマンド解析処理において、演出制御用ＣＰＵ１２０は、まず、演出制御コマンド受信用バッファの記憶内容を確認することなどにより、中継基板１５を介して伝送された主基板１１からの受信コマンドがあるか否かを判定する（Ｓ２２１）。このとき、受信コマンドがなければ（Ｓ２２１；Ｎ）、当該コマンド解析処理を終了する。
【０２６１】
Ｓ２２１にて受信コマンドがある場合には（Ｓ２２１；Ｙ）、例えば受信コマンドのＭＯＤＥデータを確認することなどにより、その受信コマンドが第１始動口入賞指定コマンドまたは第２始動口入賞指定コマンドであるか否かを判定する（Ｓ２２２）。そして、第１始動口入賞指定コマンドまたは第２始動口入賞指定コマンドであるときには（Ｓ２２２；Ｙ）、変動カテゴリ待ち時間を設定し（Ｓ２２３）、Ｓ２２９に移行する。例えば、Ｓ２２３の処理では、変動カテゴリコマンドの受信待ち時間に対応して予め定められたタイマ初期値が、演出制御タイマ設定部１９２に設けられたコマンド受信制御タイマにセットされればよい。尚、当該変動カテゴリ待ち時間内に変動カテゴリコマンドが受信されなかった場合には、ノイズ等の影響によりコマンドが正常に受信できなかったものとして所定のエラー処理を行う。また、当該受信できなかったコマンドに対応する格納領域に既に格納された受信済みのコマンドを以後の制御に用いないようにしても良い。
【０２６２】
Ｓ２２２にて受信コマンドが第１始動口入賞指定コマンドまたは第２始動口入賞指定コマンドではない場合には（Ｓ２２２；Ｎ）、その受信コマンドは図柄指定コマンドであるか否かを判定する（Ｓ２２４）。ここで、Ｓ２２４にて受信コマンドが図柄指定コマンドである場合には（Ｓ２２４；Ｙ）、Ｓ２２９に移行し、Ｓ２２４にて受信コマンドが図柄指定コマンドではない場合には（Ｓ２２４；Ｎ）、その受信コマンドは変動カテゴリコマンドであるか否かを判定する（Ｓ２２５）。
【０２６３】
尚、Ｓ２２９にて演出制御用ＣＰＵ１２０は、受信コマンドを始動入賞時受信コマンドバッファ（図９（Ｂ）参照）における空き領域の先頭に格納し、Ｓ２２１に戻る。
【０２６４】
Ｓ２２５にて受信コマンドが変動カテゴリコマンドでない場合には（Ｓ２２５；Ｎ）、Ｓ２３０に移行する。Ｓ２３０にて演出制御用ＣＰＵ１２０は、その他の受信コマンドに応じた設定を行い、Ｓ２２１に戻る。
【０２６５】
Ｓ２２５にて受信コマンドが変動カテゴリコマンドである場合には（Ｓ２２５；Ｙ）、演出制御用ＣＰＵ１２０は、該受信コマンドを始動入賞時受信コマンドバッファ（図９（Ｂ）参照）における空き領域の先頭に格納し（Ｓ２２５＋）、Ｓ２２６に移行する。
【０２６６】
Ｓ２２６にて演出制御用ＣＰＵ１２０は、変動カテゴリ待ち時間をクリアし、Ｓ２２７に移行する。
【０２６７】
Ｓ２２７にて演出制御用ＣＰＵ１２０は、格納したエントリの表示未決定フラグに、保留表示態様が未決定である旨を示す「１」をセットし、Ｓ２２１に戻る。
【０２６８】
図２１は、演出制御メイン処理における演出制御プロセス処理（Ｓ５５）を示すフローチャートである。演出制御プロセス処理では、演出制御用ＣＰＵ１２０は、先ず、変動停止演出の有無とともに保留記憶表示の演出パターンを決定する先読み予告演出決定処理を実行し（Ｓ７１）、次いで、演出表示装置５の保留記憶表示エリア５Ｄにおける保留記憶表示を、始動入賞時受信コマンドバッファ１９４Ａの記憶内容に応じた表示に更新する保留表示更新処理を実行する（Ｓ７２）。
【０２６９】
その後、演出制御用ＣＰＵ１２０は、演出制御プロセスフラグの値に応じてＳ７３〜Ｓ７９のうちのいずれかの処理を行う。各処理において、以下のような処理を実行する。
【０２７０】
変動パターン指定コマンド受信待ち処理（Ｓ７３）：遊技制御用マイクロコンピュータ１００から変動パターン指定コマンドを受信しているか否か確認する。具体的には、コマンド解析処理で変動パターン指定コマンドを受信しているか否か確認する。変動パターン指定コマンドを受信していれば、演出制御プロセスフラグの値を演出図柄変動開始処理（Ｓ７４）に対応した値に変更する。
【０２７１】
演出図柄変動開始処理（Ｓ７４）：演出図柄の変動が開始されるように制御する。そして、演出制御プロセスフラグの値を演出図柄変動中処理（Ｓ７５）に対応した値に更新する。
【０２７２】
演出図柄変動中処理（Ｓ７５）：変動パターンを構成する各変動状態（変動速度）の切替タイミング等を制御するとともに、変動時間の終了を監視する。そして、変動時間が終了したら、演出制御プロセスフラグの値を演出図柄変動停止処理（Ｓ７６）に対応した値に更新する。
【０２７３】
演出図柄変動停止処理（Ｓ７６）：全図柄停止を指示する演出制御コマンド（図柄確定コマンド）を受信したことにもとづいて、演出図柄の変動を停止し表示結果（停止図柄）を導出表示する制御を行う。そして、演出制御プロセスフラグの値を大当り表示処理（Ｓ７７）または変動パターン指定コマンド受信待ち処理（Ｓ７３）に対応した値に更新する。
【０２７４】
大当り表示処理（Ｓ７７）：変動時間の終了後、演出表示装置５に大当りの発生を報知するための画面を表示する制御を行う。そして、演出制御プロセスフラグの値を大当り遊技中処理（Ｓ７８）に対応した値に更新する。
【０２７５】
大当り遊技中処理（Ｓ７８）：大当り遊技中の制御を行う。例えば、大入賞口開放中指定コマンドや大入賞口開放後指定コマンドを受信したら、演出表示装置５におけるラウンド数の表示制御等を行う。そして、演出制御プロセスフラグの値を大当り終了演出処理（Ｓ７９）に対応した値に更新する。
【０２７６】
大当り終了演出処理（Ｓ７９）：演出表示装置５において、大当り遊技状態が終了したことを遊技者に報知する表示制御を行う。そして、演出制御プロセスフラグの値を変動パターン指定コマンド受信待ち処理（Ｓ７３）に対応した値に更新する。
【０２７７】
図２２は、先読み予告演出決定処理として、図２１のＳ７１にて実行される処理の一例を示すフローチャートである。図２２に示す先読み予告演出決定処理において、演出制御用ＣＰＵ１２０は、先ず、始動入賞時受信コマンドバッファ１９４Ａをチェックし（Ｓ２４１）、始動入賞時のコマンドの新たな格納が有るか否かを、表示未決定フラグに「１」がセットされているエントリが存在するか否かにより判定する（Ｓ２４２）。
【０２７８】
表示未決定フラグに「１」がセットされているエントリが無い場合は（Ｓ２４２；Ｎ）、先読み予告演出決定処理を終了し、表示未決定フラグに「１」がセットされているエントリが有る場合は（Ｓ２４２；Ｙ）、Ｓ２４２ａに進む。
【０２７９】
Ｓ２４２ａにおいて演出制御用ＣＰＵ１２０は、演出制御プロセスフラグの値が「２」であるか否か、つまり演出図柄変動中処理（Ｓ７５）が実行中であるか否かを判定する。ここで、演出制御プロセスフラグの値が「２」でない場合（演出図柄が変動中でない場合）は（Ｓ２４２ａ；Ｎ）、後述するＳ２４３に進む。一方、演出制御プロセスフラグの値が「２」である場合（演出図柄が変動中である場合）は（Ｓ２４２ａ；Ｙ）、Ｓ２４２ｂに進む。
【０２８０】
Ｓ２４２ｂにおいて演出制御用ＣＰＵ１２０は、表示未決定フラグに「１」がセットされているエントリより前のエントリに大当りに対応する図柄指定コマンドが格納されたエントリが有るか否かを判定する。ここで、大当りに対応する図柄指定コマンドが格納されたエントリが有る場合は（Ｓ２４２ｂ；Ｙ）、後述するＳ２４３に進む。一方、大当りに対応する図柄指定コマンドが格納されたエントリが無い場合は（Ｓ２４２ｂ；Ｎ）、Ｓ２４２ｃに進む。
【０２８１】
Ｓ２４２ｃにおいて演出制御用ＣＰＵ１２０は、後述する変動停止演出フラグがセットされているか否かを判定する。ここで、変動停止演出フラグがセットされている場合は（Ｓ２４２ｃ；Ｙ）、後述するＳ２４３に進む。一方、変動停止演出フラグがセットされていない場合は（Ｓ２４２ｃ；Ｎ）、Ｓ２４２ｄに進む。
【０２８２】
Ｓ２４２ｄにおいて演出制御用ＣＰＵ１２０は、現在実行中の変動表示の演出図柄においてリーチ成立中であるか否かを判定する。ここで、リーチ成立中でない場合は（Ｓ２４２ｄ；Ｎ）、後述するＳ２５２に進む。一方、リーチ成立中である場合は（Ｓ２４２ｄ；Ｙ）、Ｓ２４３に進む。
【０２８３】
本実施例では、演出制御プロセスフラグの値が「２」である場合、大当りに対応する図柄指定コマンドが格納されたエントリが無い場合、変動停止演出フラグがセットされていない場合、リーチ成立中でない場合の各条件（変動停止演出の実行決定条件）が成立したときのみ、後述する変動停止演出の実行の決定が可能なＳ２５２以降の各ステップに進むようになっている。
【０２８４】
尚、本実施例では、Ｓ２４２ｂにおいて大当りに対応する図柄指定コマンドが格納されたエントリが有るか否かを判定し、大当りに対応する図柄指定コマンドが格納されたエントリが無い場合に、変動停止演出の実行を決定可能とすることで、実行される変動停止演出は、１の保留記憶、つまり変動停止演出が実行される直前の始動入賞により発生した保留記憶にもとづくものであることが分かり易くなり、変動停止演出の対象となる保留記憶と無関係に大当りが発生することが無いようになっている。
【０２８５】
また、Ｓ２４２ｃにおいて変動停止演出フラグがセットされているか否かを判定し、変動停止演出フラグがセットされていない場合に、変動停止演出の実行を決定可能とすることで、変動停止演出が重複して実行されることを防止している。
【０２８６】
また、Ｓ２４２ｄにおいてリーチ成立中であるか否かを判定し、リーチ成立中でない場合に、変動停止演出の実行を決定可能とすることで、リーチ成立中などの遊技興趣が向上する演出を実行中に、変動停止演出が実行されてしまって遊技興趣が低下してしまうことを防止している。
【０２８７】
Ｓ２４３において演出制御用ＣＰＵ１２０は、表示未決定フラグに「１」がセットされているエントリの図柄指定コマンドが第１図柄指定コマンドであるか否か、つまり、図柄指定コマンドがハズレを示すコマンドであるか否かを判定する。該エントリの図柄指定コマンドが第１図柄指定コマンドでない場合、つまり、大当り（確変大当りＡ、確変大当りＢ、非確変大当りのいずれか）を示すコマンドである場合は（Ｓ２４３；Ｎ）、当該エントリの図柄指定コマンドから大当り種別を特定する（Ｓ２４４）。
【０２８８】
そして、例えば乱数回路１２４や演出制御カウンタ設定部１９３のランダムカウンタなどから抽出した先読み予告演出用の乱数値を示す数値データとＳ２４４において特定した大当り種別に基づいて、図示しない大当り時先読み予告演出決定テーブルを参照することにより、先読み予告演出を実行するか否かと、先読み予告演出を実行する場合における演出パターンと、を決定する（Ｓ２４５）。
【０２８９】
Ｓ２４５においては、例えば、図２４（Ａ）に示すような決定割合で先読み予告演出の実行の有無と演出パターン（予告種別）とを決定する。図２４（Ａ）に示す決定割合の設定例では、Ｓ２４４の処理において特定した大当り種別に応じて、先読み予告演出の有無や演出パターン（予告種別）の決定割合を異ならせている。
【０２９０】
具体的には、先読み予告演出の演出パターン（予告種別）として、演出パターンαと演出パターンβと変動停止演出の３種類が設けられている。このうち、先読み予告演出の演出パターンが演出パターンαに決定された場合には、保留記憶表示が白色の四角形（◇）で保留記憶表示エリア５Ｄに表示される。また、先読み予告演出の演出パターン（予告種別）が演出パターンβに決定された場合には、保留記憶表示が白色の星形（☆）で保留記憶表示エリア５Ｄに表示される。
【０２９１】
尚、変動表示結果が大当りとなる場合は、先読み予告演出が非実行に決定される場合が無く、必ず先読み予告演出の実行が決定されて先読み予告演出の演出パターン（予告種別）として演出パターンαまたは演出パターンβのどちらかの演出パターンが決定される。また、本実施例では、前述した変動停止演出の実行決定条件（Ｓ２４２ａ〜Ｓ２４２ｄ）が成立していない場合は、変動停止演出が決定される場合が無い。
【０２９２】
また、図２４（Ａ）に示すように、大当り種別が「確変大当りＡ」である場合には、演出パターン（予告種別）として演出パターンβが決定される割合は、演出パターンαが決定される割合よりも高く設定されている。一方で、大当り種別が「確変大当りＢ」または「非確変大当り」である場合には、演出パターン（予告種別）として演出パターンβが決定される割合は、演出パターンαが決定される割合よりも低く設定されている。
【０２９３】
このような設定により、変動表示結果が「大当り」であり、かつ演出パターン（予告種別）として演出パターンβの表示が実行された場合は、演出パターンαの表示が実行された場合よりも大当り種別が確変大当りＡである割合が高くなり、遊技者の確変大当りＡとなることに対する期待度を高めることができる。
【０２９４】
尚、本実施例では、変動表示結果が「大当り」である場合は、必ず先読み予告演出の実行を決定することで保留記憶表示を白色の四角（◇）に表示する演出パターンαまたは白色の星形（☆）に表示する演出パターンβのいずれか一方の演出パターンを実行しているが、本発明はこれに限定されるものではなく、変動表示結果が「大当り」である場合であっても、変動表示結果が「ハズレ」である場合と同様に先読み予告演出の非実行を決定する場合を設けても良い。尚、その場合には、変動表示結果が「大当り」である場合は、変動表示結果が「ハズレ」である場合よりも先読み予告演出を非実行にする割合を低くする、つまり、変動表示結果が「大当り」である場合の方が先読み予告演出を実行され易くすることが望ましい。
【０２９５】
また、Ｓ２４３において、表示未決定フラグに「１」がセットされているエントリの図柄指定コマンドが第１図柄指定コマンドである場合、つまり、ハズレを示すコマンドである場合は（Ｓ２４３；Ｙ）、新たな格納のあったエントリの変動カテゴリ指定コマンドが示す変動カテゴリを特定する（Ｓ２４７）。具体的には、該エントリの変動カテゴリ指定コマンドがＣ６００Ｈであれば、「非リーチ」の変動パターンのカテゴリであると特定し、Ｃ６０１Ｈであれば、「スーパーリーチ」の変動パターンのカテゴリであると特定し、Ｃ６０２Ｈであれば、ノーマルリーチを含む「その他」の変動パターンのカテゴリであると特定すれば良い。
【０２９６】
そして、例えば乱数回路１２４や演出制御カウンタ設定部１９３のランダムカウンタなどから抽出した先読み予告演出用の乱数値を示す数値データと、Ｓ２４７において特定した変動パターンのカテゴリとに基づいて、図示しないハズレ時先読み予告演出決定テーブルを参照することにより、先読み予告演出を実行するか否かと、先読み予告演出を実行する場合における演出パターン（予告種別）と、を決定する（Ｓ２４８）。
【０２９７】
Ｓ２４８においては、例えば、図２４（Ｂ）に示すような決定割合で先読み予告演出の実行の有無と演出パターン（予告種別）とを決定する。図２４（Ｂ）に示す決定割合の設定例では、Ｓ２４７の処理において特定した変動パターンのカテゴリに応じて、先読み予告演出の実行の有無や演出パターン（予告種別）の決定割合を異ならせている。
【０２９８】
具体的には、先読み予告演出の演出パターン（予告種別）として、演出パターンαと演出パターンβと変動停止演出の３種類が設けられている。このうち、先読み予告演出の演出パターンが演出パターンαに決定された場合には、保留記憶表示が白色の四角形（◇）で保留記憶表示エリア５Ｄに表示される。また、先読み予告演出の演出パターンが演出パターンβに決定された場合には、保留記憶表示が白色の星形（☆）で保留記憶表示エリア５Ｄに表示される。尚、先読み予告演出が非実行に決定される場合は、保留記憶表示が丸型（○）で保留記憶表示エリア５Ｄに表示される。また、本実施例では、前述した変動停止演出の実行決定条件（Ｓ２４２ａ〜Ｓ２４２ｄ）が成立していない場合は、変動停止演出が決定される場合が無い。
【０２９９】
図２４（Ｂ）に示すように、変動表示結果が「ハズレ」であり、変動パターンのカテゴリが「その他」である場合には、変動表示結果が「ハズレ」であり、変動パターンのカテゴリが「非リーチ」である場合よりも先読み予告演出が実行される割合（「予告演出なし」以外に決定される割合）が高く設定されている。また、変動表示結果が「ハズレ」であり、変動パターンのカテゴリが「スーパーリーチ」である場合には、変動表示結果が「ハズレ」であり、変動パターンのカテゴリが「その他」である場合よりも先読み予告演出が実行される割合（「予告演出なし」以外に決定される割合）が高く設定されている。
【０３００】
変動表示結果が「ハズレ」である場合において先読み予告演出の実行が決定される際には、変動カテゴリが「その他」である場合には、変動パターンのカテゴリが「非リーチ」である場合よりも演出パターンαが決定される割合が高く設定されている。また、変動パターンのカテゴリが「スーパーリーチ」である場合には、変動パターンのカテゴリが「その他」である場合よりも演出パターンαが決定される割合が高く設定されている。更に、変動表示結果が「ハズレ」である場合において先読み予告演出の実行が決定される際には、変動パターンのカテゴリが「その他」である場合には、変動パターンのカテゴリが「非リーチ」である場合よりも演出パターンβが決定される割合が高く設定されており、変動パターンのカテゴリが「スーパーリーチ」である場合には、変動パターンのカテゴリが「その他」である場合よりも演出パターンβが決定される割合が高く設定されている。
【０３０１】
尚、変動表示結果が「ハズレ」である場合においては、変動パターンのカテゴリが「非リーチ」、「その他」、「スーパーリーチ」のいずれにおいても、先読み予告演出が非実行に決定される割合が最も高く設定されている。
【０３０２】
更に、図２４（Ａ）に示すように、変動表示結果が「大当り」である場合においては、先読み予告演出が非実行（予告演出なし）に決定されることがないとともに、先読み予告演出が実行に決定され、かつ演出パターンαまたは演出パターンβが決定される割合は、変動表示結果が「ハズレ」である場合の何れの変動パターンのカテゴリにおける演出パターンαまたは演出パターンβが決定される割合よりも高く設定されている。
【０３０３】
更に、変動表示結果が「ハズレ（非リーチ）」、「ハズレ（スーパーリーチ）」、「ハズレ（その他）」である場合において、先読み予告演出の実行が決定される際には、演出パターンαが決定される割合が、演出パターンβが決定される割合よりも高く設定されている。一方、変動表示結果が「大当り（確変Ａ）」である場合において、先読み予告演出の実行が決定される際には、演出パターンβが決定される割合が、演出パターンαが決定される割合よりも高く設定されている。
【０３０４】
このような設定により、先読み予告演出の演出パターン（予告種別）として演出パターンαまたは演出パターンβが実行（表示）された場合には、演出パターンαまたは演出パターンβが実行（表示）されない場合よりも変動表示結果が「大当り」となる可能性が高く、特に演出パターンβが実行（表示）された場合には、変動表示結果が「大当り」であり、かつ大当り種別が「確変大当りＡ」となる割合が高まるため、遊技者の期待度を高めることができる。
【０３０５】
Ｓ２４８の実行後、演出制御用ＣＰＵ１２０は、先読み予告演出の実行が決定されたか否か、つまり、演出パターン（予告種別）を演出パターンαと演出パターンβのいずれかに決定したか否かを判定する（Ｓ２４９）。
【０３０６】
Ｓ２４５の実行後または先読み予告演出の実行が決定された場合は（Ｓ２４９；Ｙ）、決定した演出パターン（予告種別）に対応するフラグ値を表示未決定フラグに「１」がセットされているエントリの保留表示フラグにセットする（Ｓ２４６）。具体的には、Ｓ２４５またはＳ２４８において決定した演出パターン（予告種別）が保留記憶表示を「◇」で示す演出パターンαであれば当該エントリの保留表示フラグに「１」をセットし、Ｓ２４５またはＳ２４８において決定した演出パターン（予告種別）が保留記憶表示を「☆」で示す演出パターンβであれば当該エントリの保留表示フラグに「２」をセットした後、Ｓ２５１に進む。
【０３０７】
また、Ｓ２４９において、先読み予告演出の実行が決定されていない場合は（Ｓ２４９；Ｎ）、表示未決定フラグに「１」がセットされているエントリの保留表示フラグに、白色の「○」を示す「０」をセットした後（Ｓ２５０）、Ｓ２５１に進む。
【０３０８】
尚、Ｓ２４６またはＳ２５０実行後、演出制御用ＣＰＵ１２０は、表示未決定フラグに「１」がセットされているエントリの表示未決定フラグの値を「０」に変更して（Ｓ２５１）、先読み予告演出決定処理を終了する。
【０３０９】
また、前述した変動停止演出の実行決定条件（Ｓ２４２ａ〜Ｓ２４２ｄ）が成立した場合に進むＳ２５２において、演出制御用ＣＰＵ１２０は、該エントリの図柄指定コマンドが第１図柄指定コマンドであるか否か、つまり、図柄指定コマンドがハズレを示すコマンドであるか否かを判定する。該エントリの図柄指定コマンドが第１図柄指定コマンドでない場合、つまり、大当り（確変大当りＡ、確変大当りＢ、非確変大当りのいずれか）を示すコマンドである場合は（Ｓ２５２；Ｎ）、当該エントリの図柄指定コマンドから大当り種別を特定する（Ｓ２５３）。
【０３１０】
そして、例えば乱数回路１２４や演出制御カウンタ設定部１９３のランダムカウンタなどから抽出した先読み予告演出用の乱数値を示す数値データとＳ２５３において特定した大当り種別に基づいて、図示しない大当り時先読み予告演出決定テーブルを参照することにより、先読み予告演出を実行するか否かと、先読み予告演出を実行する場合における演出パターンと、を決定する（Ｓ２５４）。
【０３１１】
Ｓ２５４においては、例えば、図２４（Ｃ）に示すような決定割合で先読み予告演出の実行の有無と演出パターン（予告種別）とを決定する。図２４（Ｃ）に示す決定割合の設定例では、Ｓ２５３の処理において特定した大当り種別に応じて、先読み予告演出の有無や演出パターン（予告種別）の決定割合を異ならせている。
【０３１２】
具体的には、先読み予告演出の演出パターン（予告種別）として、演出パターンαと演出パターンβと変動停止演出の３種類が設けられている。このうち、先読み予告演出の演出パターンが演出パターンαに決定された場合には、保留記憶表示が白色の四角形（◇）で保留記憶表示エリア５Ｄに表示される。また、先読み予告演出の演出パターン（予告種別）が演出パターンβに決定された場合には、保留記憶表示が白色の星形（☆）で保留記憶表示エリア５Ｄに表示される。また、先読み予告演出の演出パターンが変動停止演出に決定された場合には、変動停止演出の実行が開始される。
【０３１３】
尚、変動表示結果が大当りとなる場合は、先読み予告演出が非実行に決定される場合が無く、必ず先読み予告演出の実行が決定されて先読み予告演出の演出パターン（予告種別）として、演出パターンα、演出パターンβ、変動停止演出のいずれかの演出パターンが決定される。
【０３１４】
また、図２４（Ｃ）に示すように、大当り種別が「確変大当りＡ」である場合には、演出パターン（予告種別）として演出パターンβが決定される割合は、演出パターンαや変動停止演出が決定される割合よりも高く設定されている。一方で、大当り種別が「確変大当りＢ」または「非確変大当り」である場合には、演出パターン（予告種別）として演出パターンβや変動停止演出が決定される割合は、演出パターンαが決定される割合よりも低く設定されている。
【０３１５】
このような設定により、変動表示結果が「大当り」であり、かつ演出パターン（予告種別）として演出パターンβの表示が実行された場合は、演出パターンαの表示が実行された場合よりも大当り種別が確変大当りＡである割合が高くなり、遊技者の確変大当りＡとなることに対する期待度を高めることができる。
【０３１６】
尚、変動停止演出が決定される割合は、大当り種別が「確変大当りＢ」または「非確変大当り」である場合よりも大当り種別が「確変大当りＡ」である場合の方が高く設定されている。つまり、変動停止演出が実行された場合においては、遊技者の確変大当りＡとなることに対する期待度を高めることができる。
【０３１７】
尚、本実施例では、変動表示結果が「大当り」である場合は、必ず先読み予告演出の実行を決定することで、保留記憶表示を白色の四角（◇）に表示する演出パターンα、白色の星形（☆）に表示する演出パターンβ、変動停止演出のいずれかの演出パターンを実行しているが、本発明はこれに限定されるものではなく、変動表示結果が「大当り」である場合であっても、変動表示結果が「ハズレ」である場合と同様に先読み予告演出の非実行を決定する場合を設けても良い。
【０３１８】
また、Ｓ２５２において、表示未決定フラグに「１」がセットされているエントリの図柄指定コマンドが第１図柄指定コマンドである場合、つまり、ハズレを示すコマンドである場合は（Ｓ２５２；Ｙ）、新たな格納のあったエントリの変動カテゴリ指定コマンドが示す変動カテゴリを特定する（Ｓ２５５）。具体的には、該エントリの変動カテゴリ指定コマンドがＣ６００Ｈであれば、「非リーチ」の変動パターンのカテゴリであると特定し、Ｃ６０１Ｈであれば、「スーパーリーチ」の変動パターンのカテゴリであると特定し、Ｃ６０２Ｈであれば、ノーマルリーチを含む「その他」の変動パターンのカテゴリであると特定すれば良い。
【０３１９】
そして、例えば乱数回路１２４や演出制御カウンタ設定部１９３のランダムカウンタなどから抽出した先読み予告演出用の乱数値を示す数値データと、Ｓ２５５において特定した変動パターンのカテゴリとに基づいて、図示しないハズレ時先読み予告演出決定テーブルを参照することにより、先読み予告演出を実行するか否かと、先読み予告演出を実行する場合における演出パターン（予告種別）と、を決定する（Ｓ２５６）。
【０３２０】
Ｓ２５６においては、例えば、図２４（Ｄ）に示すような決定割合で先読み予告演出の実行の有無と演出パターン（予告種別）とを決定する。図２４（Ｄ）に示す決定割合の設定例では、Ｓ２５５の処理において特定した変動パターンのカテゴリに応じて、先読み予告演出の実行の有無や演出パターン（予告種別）の決定割合を異ならせている。
【０３２１】
具体的には、先読み予告演出の演出パターン（予告種別）として、演出パターンαと演出パターンβと変動停止演出の３種類が設けられている。このうち、先読み予告演出の演出パターンが演出パターンαに決定された場合には、保留記憶表示が白色の四角形（◇）で保留記憶表示エリア５Ｄに表示される。また、先読み予告演出の演出パターンが演出パターンβに決定された場合には、保留記憶表示が白色の星形（☆）で保留記憶表示エリア５Ｄに表示される。尚、先読み予告演出が非実行に決定される場合は、保留記憶表示が丸型（○）で保留記憶表示エリア５Ｄに表示される。また、先読み予告演出の演出パターンが変動停止演出に決定された場合には、変動停止演出の実行が開始される。
【０３２２】
図２４（Ｄ）に示すように、変動表示結果が「ハズレ」であり、変動パターンのカテゴリが「その他」である場合には、変動表示結果が「ハズレ」であり、変動パターンのカテゴリが「非リーチ」である場合よりも先読み予告演出が実行される割合（「予告演出なし」以外に決定される割合）が高く設定されている。また、変動表示結果が「ハズレ」であり、変動パターンのカテゴリが「スーパーリーチ」である場合には、変動表示結果が「ハズレ」であり、変動パターンのカテゴリが「その他」である場合よりも先読み予告演出が実行される割合（「予告演出なし」以外に決定される割合）が高く設定されている。
【０３２３】
変動表示結果が「ハズレ」である場合において先読み予告演出の実行が決定される際には、変動カテゴリが「その他」である場合には、変動パターンのカテゴリが「非リーチ」である場合よりも演出パターンαが決定される割合が高く設定されている。また、変動パターンのカテゴリが「スーパーリーチ」である場合には、変動パターンのカテゴリが「その他」である場合よりも演出パターンαが決定される割合が高く設定されている。更に、変動表示結果が「ハズレ」である場合において先読み予告演出の実行が決定される際には、変動パターンのカテゴリが「その他」である場合には、変動パターンのカテゴリが「非リーチ」である場合よりも演出パターンβが決定される割合が高く設定されており、変動パターンのカテゴリが「スーパーリーチ」である場合には、変動パターンのカテゴリが「その他」である場合よりも演出パターンβが決定される割合が高く設定されている。
【０３２４】
更に、変動表示結果が「ハズレ」である場合において先読み予告演出の実行が決定される際には、変動パターンのカテゴリが「非リーチ」または「その他」である場合には、変動停止演出が決定されないように設定されており、変動パターンのカテゴリが「スーパーリーチ」である場合には、変動停止演出が決定される割合が決定されるように設定されている。尚、変動表示結果が「ハズレ」である場合において先読み予告演出の実行が決定される際には、変動停止演出が決定される割合が、演出パターンαや演出パターンβと比較して低く設定されている。
【０３２５】
尚、変動表示結果が「ハズレ」である場合においては、変動パターンのカテゴリが「非リーチ」、「その他」、「スーパーリーチ」のいずれにおいても、先読み予告演出が非実行に決定される割合が最も高く設定されており、先読み予告演出が実行に決定され、かつ変動停止演出が決定される割合が最も低く設定されている。
【０３２６】
更に、図２４（Ｃ）に示すように、変動表示結果が「大当り」である場合においては、先読み予告演出が非実行（予告演出なし）に決定されることがないとともに、先読み予告演出が実行に決定され、かつ演出パターンαや演出パターンβや変動停止演出が決定される割合は、変動表示結果が「ハズレ」である場合の何れの変動パターンのカテゴリにおける演出パターンαや演出パターンβや変動停止演出が決定される割合よりも高く設定されている。
【０３２７】
更に、変動表示結果が「ハズレ（非リーチ）」、「ハズレ（スーパーリーチ）」、「ハズレ（その他）」である場合において、先読み予告演出の実行が決定される際には、演出パターンαが決定される割合が、演出パターンβや変動停止演出が決定される割合よりも高く設定されている。一方、変動表示結果が「大当り（確変Ａ）」である場合において、先読み予告演出の実行が決定される際には、演出パターンβが決定される割合が、演出パターンαや変動停止演出が決定される割合よりも高く設定されている。
【０３２８】
このような設定により、先読み予告演出の演出パターン（予告種別）として演出パターンαや演出パターンβや変動停止演出が実行（表示）された場合には、演出パターンαや演出パターンβや変動停止演出が実行（表示）されない場合よりも変動表示結果が「大当り」となる可能性が高く、特に演出パターンβが実行（表示）された場合には、変動表示結果が「大当り」であり、かつ大当り種別が「確変大当りＡ」となる割合が高まるため、遊技者の期待度を高めることができる。
【０３２９】
Ｓ２５６の実行後、演出制御用ＣＰＵ１２０は、先読み予告演出の実行が決定されたか否か、つまり、演出パターン（予告種別）を演出パターンαと演出パターンβと変動停止演出とのいずれかに決定したか否かを判定する（Ｓ２５７）。
【０３３０】
Ｓ２５４の実行後または先読み予告演出の実行が決定された場合は（Ｓ２５７；Ｙ）、演出パターン（予告種別）として変動停止演出を決定したか否かを判定する（Ｓ２５８）。ここで、変動停止演出を決定していない場合は（Ｓ２５８；Ｎ）、決定した演出パターン（予告種別）に対応するフラグ値を当該エントリの保留表示フラグにセットする（Ｓ２６１）。具体的には、Ｓ２５４またはＳ２５６において決定した演出パターン（予告種別）が保留記憶表示を「◇」で示す演出パターンαであれば当該エントリの保留表示フラグに「１」をセットし、Ｓ２５４またはＳ２５６において決定した演出パターン（予告種別）が保留記憶表示を「☆」で示す演出パターンβであれば当該エントリの保留表示フラグに「２」をセットした後、Ｓ２５１に進む。
【０３３１】
一方、変動停止演出を決定した場合は（Ｓ２５８；Ｙ）、変動停止演出フラグをセットするとともに、保留記憶数に対応した値を変動停止演出シフトカウンタにセットする（Ｓ２５９）。
【０３３２】
尚、本実施例における変動停止演出シフトカウンタは、変動停止演出の対象となる保留記憶（ターゲット保留）にもとづく変動が開始されるまでに、始動入賞時受信コマンドバッファ１９４Ａの保留記憶がシフトされる回数である。本実施例では、変動停止演出シフトカウンタにセットされる値は、ターゲット保留の始動入賞時の保留記憶数と同じ値となっている。例えば、ターゲット保留を含む合計保留記憶数が現在「４」である場合は、ターゲット保留にもとづく変動が開始されるまでのシフト回数は４回となるため、変動停止演出シフトカウンタにセットされる値は、「４」となる。そして、保留記憶がシフトされる度に変動停止演出シフトカウンタが１減算され、ターゲット保留にもとづく変動が開始される時点で、変動停止演出シフトカウンタの値は、「０」になる（図２６のＳ２７６ｃ参照）。
【０３３３】
次いで、演出制御用ＣＰＵ１２０は、当該エントリの保留表示フラグに、変動停止演出の実行決定を示す「３」をセットした後（Ｓ２６０）、Ｓ２５１に進む。
【０３３４】
また、Ｓ２５７において、先読み予告演出の実行が決定されていない場合は（Ｓ２５７；Ｎ）、当該エントリの保留表示フラグに、白色の「○」を示す「０」をセットした後（Ｓ２６２）、Ｓ２５１に進む。
【０３３５】
尚、Ｓ２６０、Ｓ２６１、Ｓ２６２実行後、演出制御用ＣＰＵ１２０は、当該エントリの表示未決定フラグの値を「０」に変更して（Ｓ２５１）、先読み予告演出決定処理を終了する。
【０３３６】
尚、本実施例では、Ｓ２４２において始動入賞時のコマンドの新たな格納が有ることを条件に該始動入賞における保留記憶での先読み予告演出の実行と非実行を決定しているが、第１始動入賞口への始動入賞と第２始動入賞口への始動入賞が同時に発生したことによりＳ２４２において第１特図と第２特図との双方で始動入賞時のコマンドの新たな格納が有ると判定された場合、つまり、表示未決定フラグに「１」がセットされているエントリが第１特図保留記憶にも第２特図保留記憶にも存在する場合には、双方のエントリを先読み予告演出の実行と非実行の決定対象としても良い。第１特図における始動入賞時のコマンドが新たに格納された保留記憶と第２特図における始動入賞時のコマンドが新たに格納された保留記憶の双方を先読み予告演出の実行と非実行の決定対象とする場合は、先読み予告演出の実行を示す「１」または「２」の保留表示フラグのエントリが存在しなければ第１特図の保留記憶の保留表示と第２特図の保留表示の双方において先読み予告演出が同時に実行される場合がある。その場合には、変動停止演出の実行の決定を制限するようにしても良い。
【０３３７】
尚、本実施例では、上述のように第１始動入賞口への始動入賞と第２始動入賞口への始動入賞が同時に発生した場合には、第１特図における始動入賞時のコマンドが新たに格納された保留記憶と第２特図における始動入賞時のコマンドが新たに格納された保留記憶の双方を先読み予告演出の実行と非実行の決定の対象としているが、本発明はこれに限定されるものではなく、このような場合は、第１特図における保留記憶での先読み予告演出の実行と非実行、第２特図における保留記憶での先読み予告演出の実行と非実行を、いずれか一方のみで決定するようにしても良い。
【０３３８】
具体的には、遊技状態が、高開放制御が行われない通常状態である場合は、第１特図における保留記憶での先読み予告演出の実行と非実行の決定を第２特図における保留記憶での先読み予告演出の実行と非実行の決定よりも優先して行う。そして、第１特図における保留記憶での先読み予告演出の実行を決定した場合は、第２特図における保留記憶の先読み予告演出の実行を一義的に非実行に決定し、第１特図における保留記憶での先読み予告演出の非実行を決定した場合は、第２特図における保留記憶の先読み予告演出の実行と非実行を決定すれば良い。
【０３３９】
一方、遊技状態が、高開放制御が行われる時短状態（高確高ベース状態・低確高ベース状態）である場合は、第２特図における保留記憶での先読み予告演出の実行と非実行の決定を第１特図における保留記憶での先読み予告演出の実行と非実行の決定よりも優先して行う。そして、第２特図における保留記憶での先読み予告演出の実行を決定した場合は、第１特図における保留記憶の先読み予告演出の実行を一義的に非実行に決定し、第２特図における保留記憶での先読み予告演出の非実行を決定した場合は、第１特図における保留記憶の先読み予告演出の実行と非実行を決定すれば良い。
【０３４０】
図２５（Ａ）は、Ｓ７２において実行される保留表示更新処理の処理内容を示すフローチャートである。本実施例の保留表示更新処理において、演出制御用ＣＰＵ１２０は、まず、変動停止演出フラグがセットされているか否か、つまり変動停止演出を実行中であるか否かを判定する（Ｓ４００）。ここで、変動停止演出フラグがセットされていない場合は、後述するＳ４０１に進む。一方、変動停止演出フラグがセットされている場合は、Ｓ４０４に進む。
【０３４１】
Ｓ４０４において演出制御用ＣＰＵ１２０は、保留記憶表示エリア５Ｄに保留記憶表示を表示中か否かを判定する。ここで、保留記憶表示を表示中でない場合は、当該保留表示更新処理を終了する。一方、保留記憶表示を表示中である場合は、表示中の保留記憶表示を消去し（Ｓ４０５）、当該保留表示更新処理を終了する。つまり、本実施例では、変動停止演出を実行中である場合には、表示中の保留記憶表示を消去する制御がなされる。
【０３４２】
Ｓ４０１において演出制御用ＣＰＵ１２０は、図９（Ｂ）に示す始動入賞時受信コマンドバッファ１９４Ａに記憶されている保留記憶数（現在の合計保留記憶数）を特定し、その時点において保留記憶表示エリア５Ｄにおける保留記憶の表示数と一致しているか否か、つまり、保留記憶数に変化（増加または減少）があったか否かを判定する（Ｓ４０２）。該判定において一致している場合（保留記憶数に変化がない場合）には、保留表示更新処理を終了し、一致していない場合（保留記憶数に変化がある場合）には、Ｓ４０３に進んで、保留記憶表示エリア５Ｄの表示を行うための表示バッファデータを、その時点で始動入賞時受信コマンドバッファ１９４Ａにおける特図保留記憶のそれぞれのエントリに格納されている保留表示フラグから特定される表示態様の表示データに上書き更新することにより、保留記憶表示エリア５Ｄの表示を更新し、その後、保留表示更新処理を終了する。
【０３４３】
尚、本実施例では、前述したように、保留記憶数に変化がある場合には、保留記憶表示エリア５Ｄの表示を更新し、保留記憶数に変化がない場合には、保留記憶表示エリア５Ｄの表示を更新しない形態を例示しているが、本発明はこれに限定されるものではなく、保留記憶数の増減に関係なく、保留記憶表示エリア５Ｄの表示を更新するようにしても良いし、或いは、保留記憶数が減少する場合、つまり、保留記憶表示が左にスライドする場合には、保留記憶表示エリア５Ｄの表示が大きく変化するので、これら保留記憶表示エリア５Ｄの表示を全て一旦消去（表示バッファデータを消去）してから、始動入賞時受信コマンドバッファ１９４Ａにおける第１特図保留記憶または第２特図保留記憶のそれぞれのエントリに格納されている保留表示フラグから特定される表示態様の表示データを表示バッファデータに描画することにより、保留記憶表示エリア５Ｄの表示を変更するようにしても良い。
【０３４４】
このような処理を行うことにより、変動表示の開始時に実行される、後述する演出図柄変動開始処理において保留記憶が消費されて、始動入賞時受信コマンドバッファ１９４Ａの保留記憶がシフトされた場合には、シフト後の始動入賞時受信コマンドバッファ１９４Ａの保留記憶に基づいて、図２５（Ｂ）に示すように、保留記憶表示エリア５Ｄにおける保留記憶表示もシフトされて表示されるとともに、始動入賞により、新たな保留記憶があった場合には、該保留表示更新処理の前に実行される前述した先読み予告演出決定処理にて、当該保留記憶の演出パターンが決定されて保留表示フラグにセットされ、該保留表示フラグにセットされたフラグ値に応じた表示態様にて、保留記憶表示エリア５Ｄに表示されるようになる。
【０３４５】
具体的には、図２５（Ｂ）に示すように、特図保留記憶数が１つであれば１つの保留記憶表示を表示する。この保留記憶表示の表示態様としては、該保留記憶に対応する保留表示フラグのフラグ値が「０」である場合には、図２５（Ｂ）に示すように、白抜きの「○」の表示態様にて表示され、保留表示フラグのフラグ値が「１」である場合には、四角形「◇」の表示態様にて表示され、保留表示フラグのフラグ値が「２」である場合には、星形「☆」の表示態様にて表示される。尚、特図保留記憶数が２つであれば、２つの保留記憶表示が表示され、それぞれの保留記憶表示が、対応する保留記憶の保留表示フラグにセットされたフラグ値に応じた態様にて保留記憶表示エリア５Ｄに表示される。また、特図保留記憶数が３つであれば、３つの保留記憶表示が表示され、それぞれの保留記憶表示が、対応する保留記憶の保留表示フラグにセットされたフラグ値に応じた態様にて保留記憶表示エリア５Ｄに表示される。また、特図保留記憶数が４つであれば、４つの保留記憶表示が表示され、それぞれの保留記憶表示が、対応する保留記憶の保留表示フラグにセットされたフラグ値に応じた態様にて保留記憶表示エリア５Ｄに表示される。そして、特図保留記憶数が５〜８つである場合も同様に、５〜８の保留記憶表示が、それぞれの保留記憶表示が対応する保留記憶の保留表示フラグにセットされたフラグ値に応じた態様にて保留記憶表示エリア５Ｄに表示される。
【０３４６】
そして、変動表示が実行される毎に、保留記憶が減少（消費）されることに応じて、図２５（Ｂ）に示すように、保留記憶表示も、所定のシフト方向（本実施例では画面の左方向）にシフトする。
【０３４７】
尚、遊技中に電源供給が停止される電断が発生した場合に、当該電断から復帰後に保留記憶表示がなされるようになっている。尚、変動停止演出の実行中に電源供給が停止される電断が発生した場合に、当該電断から復帰後に保留記憶表示がなされるようにしても良い。その場合に、保留表示フラグのフラグ値が「３」の保留記憶、つまり変動停止演出の対象となる保留記憶は表示されないようにし、変動停止演出が再開されるものであっても良い。本実施例では、保留表示フラグのフラグ値が「３」の保留記憶は、その始動入賞時から当該保留記憶にもとづく変動が開始されるまで表示されずに消化される。
【０３４８】
図２６は、図２１に示された演出制御プロセス処理における演出図柄変動開始処理（Ｓ７４）を示すフローチャートである。演出図柄変動開始処理において、演出制御用ＣＰＵ１２０は、始動入賞時受信コマンドバッファ１９４Ａの内容をシフトし（Ｓ２７２）、Ｓ２７５に移行する。
【０３４９】
Ｓ２７２の実行後、演出制御用ＣＰＵ１２０は、変動パターン指定コマンド格納領域から変動パターン指定コマンドを読み出す（Ｓ２７５）。
【０３５０】
次いで、表示結果指定コマンド格納領域に格納されているデータ（すなわち、受信した表示結果指定コマンド）に応じて演出図柄の表示結果（停止図柄）を決定する（Ｓ２７６）。この場合、演出制御用ＣＰＵ１２０は、表示結果指定コマンドで指定される表示結果に応じた演出図柄の停止図柄を決定し、決定した演出図柄の停止図柄を示すデータを演出図柄表示結果格納領域に格納する。
【０３５１】
尚、この実施例では、受信した変動表示結果指定コマンドが確変大当りＡに該当する第２変動表示結果指定コマンドである場合において、演出制御用ＣＰＵ１２０は、例えば、停止図柄として３図柄が「７」で揃った演出図柄の組合せ（大当り図柄）を決定する。また、受信した変動表示結果指定コマンドが確変大当りＢに該当する第３変動表示結果指定コマンドである場合においては、停止図柄として、「７」以外の奇数図柄の複数の組合せ（例えば「１１１」、「３３３」、「５５５」、「９９９」などの演出図柄の組合せ）の中から決定する。また、受信した変動表示結果指定コマンドが非確変大当りに該当する第４変動表示結果指定コマンドである場合において、演出制御用ＣＰＵ１２０は、例えば、停止図柄として３図柄が偶数図柄で揃った演出図柄の組合せ（大当り図柄）を決定する。また、受信した変動表示結果指定コマンドが、はずれに該当する第１変動表示結果指定コマンドである場合には、停止図柄として３図柄が不揃いとなる演出図柄の組合せ（はずれ図柄）を決定する。
【０３５２】
これら停止図柄の決定においては、演出制御用ＣＰＵ１２０は、例えば、停止図柄を決定するための乱数を抽出し、演出図柄の組合せを示すデータと数値とが対応付けられている停止図柄決定テーブルを用いて、演出図柄の停止図柄を決定すれば良い。すなわち、抽出した乱数に一致する数値に対応する演出図柄の組合せを示すデータを選択することによって停止図柄を決定すれば良い。
【０３５３】
次いで、演出制御用ＣＰＵ１２０は、変動停止演出フラグがセットされているか否かを判定する（Ｓ２７６ａ）。ここで、変動停止演出フラグがセットされていない場合は、後述するＳ２７７に進む。一方、変動停止演出フラグがセットされている場合は、変動停止演出シフトカウンタを１減算し（Ｓ２７６ｂ）、Ｓ２７６ｃに進む。
【０３５４】
Ｓ２７６ｃにおいて演出制御用ＣＰＵ１２０は、変動停止演出シフトカウンタの値が「０」であるか否かを判定する。ここで、変動停止演出シフトカウンタの値が「０」でない場合は、変動パターンに応じた変動停止演出用プロセステーブルを選択し（Ｓ２７６ｅ）、後述するＳ２８２に進む。一方、変動停止演出シフトカウンタの値が「０」である場合は、変動停止演出フラグをクリアするとともにターゲット変動フラグをセットし（Ｓ２７６ｄ）、Ｓ２７７に進む。
【０３５５】
尚、変動停止演出用プロセステーブルには、変動停止演出中に表示される画像である演出画像や演出装置などの各種制御データが記述されており、当該変動停止演出用プロセステーブルにもとづいて変動停止演出中の制御が実行される。また、変動停止演出中に表示される小図柄の制御や第四図柄などの制御も変動停止演出用プロセステーブルにもとづいて実行される。
【０３５６】
Ｓ２７７において演出制御用ＣＰＵ１２０は、図２７に示す予告演出決定処理を実施して、当該変動表示において予告演出を実行するか否かを決定する。
【０３５７】
尚、本実施例では、予告演出決定処理において、予告演出の一例としてキャラクタが登場するキャラクタ予告演出を決定するようにしている。更に、当該変動表示に対応する保留記憶が変動停止演出の対象である場合（ターゲット変動である場合）に、変動停止演出が終了するときに実行される変動停止演出の解除演出（図３２（Ｆ）参照）が、予告演出の一態様として実行が決定される。
【０３５８】
また、本実施例では、予告演出として、その他の態様の予告演出、例えば、予告画像が段階的に変化するステップアップ予告や、所定のキャラクタの一群が表示領域を横切る群予告等の実行を決定するようにしても良く、これら異なる態様の予告演出を決定する場合には、予告演出を開始するタイミングが予告演出の態様に応じて異なるので、後述する予告演出開始待ちタイマに、予告演出の態様に応じた異なる期間を設定すれば良い。
【０３５９】
本実施例の予告演出決定処理において演出制御用ＣＰＵ１２０は、まず、ターゲット変動フラグがセットされているか否かが判定される（Ｓ２９０）。ここで、ターゲット変動フラグがセットされている場合は、後述するＳ２９６に進む。一方、ターゲット変動フラグがセットされていない場合は、Ｓ２９１に進む。
【０３６０】
Ｓ２９１において演出制御用ＣＰＵ１２０は、変動表示結果と変動パターンとを特定する。変動表示結果は、変動開始時において主基板１１から送信される変動表示結果（はずれ、確変大当りＡ、確変大当りＢ、非確変大当り）を指定するための変動表示結果指定コマンドを格納するための変動表示結果指定コマンド格納領域に記憶されている変動表示結果指定コマンドにより特定することができる。また、変動パターンは、前述したように、変動パターン指定コマンド格納領域に記憶されている変動パターン指定コマンドにて特定できる。尚、本実施例では、予告演出の対象が、大当り（確変大当りＡ、確変大当りＢ、非確変大当り）、スーパーリーチ、ノーマルリーチであるので、具体的には、変動表示結果が大当り（確変大当りＡ、確変大当りＢ、非確変大当り）であるのか否かを変動表示結果指定コマンドにより特定し、変動パターンがスーパーリーチであるのか否か、ノーマルリーチであるのか否かを変動パターン指定コマンドにて特定すれば良い。
【０３６１】
そして、予告演出決定用乱数を抽出するとともに、図２８（Ａ）に示すターゲット変動以外用の予告演出種別決定用テーブルＡを用いて予告演出の実行の有無と、実行する場合の予告演出の種別とを決定する（Ｓ２９２）。
【０３６２】
尚、本実施例では、予告演出決定用乱数は、１〜１００の範囲の乱数とされていて１〜１００の範囲のいずれかの値が抽出される。つまり、予告演出決定用乱数の判定値数の１〜１００の範囲の１００個とされているが、本発明はこれに限定されるものではなく、これら予告演出決定用乱数の範囲等は適宜に決定すれば良い。また、これら予告演出決定用乱数を生成するための予告演出決定用乱数カウンタがＲＡＭ１２２に設定されており、該予告演出決定用乱数カウンタが乱数更新処理にてタイマ割込毎に更新される。
【０３６３】
本実施例では、予告演出として、キャラクタＡが登場する予告演出Ａと、キャラクタＢが登場する予告演出Ｂと、変動停止演出の解除演出である予告演出Ｃとが実行可能とされている。
【０３６４】
ターゲット変動以外用の予告演出種別決定用テーブルＡにおいては、図２８（Ａ）に示すように、「予告演出Ａ」、「予告演出Ｂ」、「予告演出Ｃ」、「予告演出なし」のそれぞれに対して、変動表示結果が大当りとなる場合、変動パターンがスーパーリーチはずれである場合、変動パターンがノーマルリーチはずれである場合、のそれぞれに異なる判定値が、図２８（Ａ）に示す判定値数となるように、割り当てられている。
【０３６５】
具体的には、変動表示結果が大当りとなる場合については、「予告演出Ａ」に対して２５個の判定値が割り当てられ、「予告演出Ｂ」に対して６５個の判定値が割り当てられ、「予告演出Ｃ」に対して０個の判定値が割り当てられ、「予告演出なし」に対して１０個の判定値が割り当てられている。また、変動パターンがスーパーリーチはずれである場合については、「予告演出Ａ」に対して４０個の判定値が割り当てられ、「予告演出Ｂ」に対して４０個の判定値が割り当てられ、「予告演出Ｃ」に対して０個の判定値が割り当てられ、「予告演出なし」に対して２０個の判定値が割り当てられている。また、変動パターンがノーマルリーチはずれである場合については、「予告演出Ａ」に対して６０個の判定値が割り当てられ、「予告演出Ｂ」に対して１０個の判定値が割り当てられ、「予告演出Ｃ」に対して０個の判定値が割り当てられ、「予告演出なし」に対して３０個の判定値が割り当てられている。
【０３６６】
このように判定値が割り当てられていることにより、当該変動表示において大当りとなる場合には、スーパーリーチはずれやノーマルリーチはずれとなる場合よりも予告演出が実行され易くなるとともに、「予告演出Ｂ」が実行され易くなっている。また、スーパーリーチはずれである場合については、「予告演出Ａ」が実行され易くなっている。ノーマルリーチはずれである場合については、「予告演出なし」が、大当りとなる場合やスーパーリーチはずれの場合よりも決定されやすくなっている。尚、いずれの変動パターンであっても、「予告演出Ｃ」に対して０個の判定値が割り当てられていることで、ターゲット変動以外の変動パターンでは、変動停止演出の解除演出である「予告演出Ｃ」が実行されないようになっている。
【０３６７】
図２８（Ａ）に示すようにターゲット変動以外用の予告演出種別決定用テーブルＡが設定されていることにより、当該変動表示において大当りとなる場合には、スーパーリーチはずれ及びノーマルリーチはずれとなる場合に比較して、「予告演出Ｂ」が決定され易くなるように設定されているとともに、スーパーリーチはずれである場合については、その他のノーマルリーチはずれである場合よりも、「予告演出Ａ」が決定され易くなるように設定されている。一方、当該変動表示においてノーマルリーチはずれとなる場合には、当該変動表示において大当りとなる場合やスーパーリーチはずれとなる場合よりも「予告演出なし」が決定され易くなるように設定されている。
【０３６８】
このように設定されていることにより、予告演出が実行されないときよりも、予告演出が実行されるときの方が、大当り期待度が高くなっている。更に、予告演出においては、予告演出Ａが実行されるときよりも、予告演出Ｂが実行されるときの方が、大当り期待度が高くなっている。
【０３６９】
尚、各予告演出の大当り期待度（信頼度）とは、各予告演出が実行されて大当りとなる確率を、各予告演出が実行されて大当りとなる確率と各予告演出が実行されてハズレとなる確率の和で除算した数値である。
【０３７０】
図２７に戻り、次いで、演出制御用ＣＰＵ１２０は、いずれかの予告演出の実行を決定したか否か、つまり「予告演出Ａ」、「予告演出Ｂ」のいずれかを決定したか否かを判定する（Ｓ２９３）。ここで、「予告演出Ａ」、「予告演出Ｂ」のいずれの予告演出も決定していない場合、つまり、「予告演出なし」を決定した場合には、当該予告演出決定処理を終了する。一方、「予告演出Ａ」、「予告演出Ｂ」のいずれかを決定した場合には、Ｓ２９４に進んで、決定した予告演出の種別をＲＡＭ１２２の所定領域に記憶する。そして、Ｓ２９５に進んで、予告演出実行決定フラグをセットした後、当該予告演出決定処理を終了する。
【０３７１】
また、前述したターゲット変動フラグがセットされている場合に進むＳ２９６において、演出制御用ＣＰＵ１２０は、予告演出決定用乱数を抽出するとともに、図２８（Ｂ）に示すターゲット変動時用の予告演出種別決定用テーブルＢを用いて予告演出の実行の有無と、実行する場合の予告演出の種別とを決定する。
【０３７２】
ターゲット変動時用の予告演出種別決定用テーブルＢにおいては、図２８（Ｂ）に示すように、「予告演出Ａ」、「予告演出Ｂ」、「予告演出Ｃ」、「予告演出なし」のそれぞれに対して、変動パターンに係らず同一の判定値が、図２８（Ｂ）に示す判定値数となるように、割り当てられている。
【０３７３】
具体的には、「予告演出なし」に対して０個の判定値が割り当てられ、「予告演出Ａ」に対して０個の判定値が割り当てられ、「予告演出Ｂ」に対して０個の判定値が割り当てられ、「予告演出Ｃ」（変動停止演出の解除演出）に対して１００個の判定値が割り当てられている。
【０３７４】
このように判定値が割り当てられていることにより、ターゲット変動時用の予告演出種別決定用テーブルＢを用いて予告演出の種別が決定される場合には、必ず「予告演出Ｃ」（変動停止演出の解除演出）が決定され、変動停止演出の解除演出が実行される。
【０３７５】
尚、本実施例では、ターゲット変動時用の予告演出種別決定用テーブルＢを用いることで、必ず「予告演出Ｃ」（変動停止演出の解除演出）が決定され、変動停止演出の解除演出が実行されるようになっているが、本発明はこれに限定されるものではなく、「予告演出Ｃ」（変動停止演出の解除演出）と、他の予告演出Ａ及びＢとをそれぞれ異なるテーブルを用いて実行の有無を決定しても良い。例えば、「予告演出Ａ」、「予告演出Ｂ」、「予告演出なし」のそれぞれに判定値が割り当てられたテーブルと、「予告演出Ｃ」（変動停止演出の解除演出）、「予告演出なし」のそれぞれに判定値が割り当てられたテーブルとを用いて、「予告演出Ｃ」と「予告演出Ａ」の双方の実行を決定したり、「予告演出Ｃ」と「予告演出Ｂ」の双方の実行を決定したりしても良い。また、ターゲット変動時に「予告演出Ｃ」が実行されない態様、つまり、変動停止演出の解除演出が行われずに、変動表示が開始（または予告演出が開始）される態様であっても良い。
【０３７６】
図２７に戻り、次いで、演出制御用ＣＰＵ１２０は、ターゲット変動フラグをクリアし（Ｓ２９７）、Ｓ２９４に進んで、決定した予告演出の種別をＲＡＭ１２２の所定領域に記憶する。そして、Ｓ２９５に進んで、予告演出実行決定フラグをセットした後、当該予告演出決定処理を終了する。
【０３７７】
図２６に戻り、Ｓ２７７の予告演出決定処理の後に、Ｓ２７８において演出制御用ＣＰＵ１２０は、予告演出実行決定フラグがセットされているか否か、つまり、Ｓ２７７の予告演出決定処理において「予告演出Ａ」、「予告演出Ｂ」、「予告演出Ｃ」のいずれかの予告演出が決定されたか否かを判定する。
【０３７８】
予告演出実行決定フラグがセットされている場合には、Ｓ２７９に進んで、予告演出開始待ちタイマに、予告演出開始までの期間として予告演出に対応する期間を設定し（Ｓ２７９）、予告演出実行決定フラグをクリアして（Ｓ２８０）、Ｓ２８１に進み。一方、予告演出実行決定フラグがセットされていない場合には、Ｓ２７９経由することなくＳ２８１に進む。
【０３７９】
これら予告演出開始までの期間としては、例えば、キャラクタが登場する予告演出が開始されるタイミングの前に、キャラクタが登場することの前兆を示す演出（図示略）が実施され、該前兆を開始するタイミングが予告演出の開始タイミングとされているので、予告演出を開始するまでの期間よりも短い期間が設定され、これら予告演出の開始タイミングは、予告演出の開始から実行される予告演出のプロセステーブルに基づいて特定されて予告演出が開始されるようになっているが、本発明はこれに限定されるものではなく、これら前兆の演出を予告演出において実施しない場合にあっては、予告演出の開始タイミングが予告演出の開始タイミングとなるので、予告演出の開始タイミングまでの期間を予告演出開始待ちタイマに設定すれば良い。
【０３８０】
Ｓ２８１において演出制御用ＣＰＵ１２０は、変動パターン指定コマンドに応じた演出制御パターン（プロセステーブル）を選択する。そして、選択したプロセステーブルのプロセスデータ１におけるプロセスタイマをスタートさせる（Ｓ２８２）。
【０３８１】
尚、プロセステーブルには、演出表示装置５の表示を制御するための表示制御実行データ、各ＬＥＤの点灯を制御するためのランプ制御実行データ、スピーカ８Ｌ，８Ｒから出力する音の制御するための音制御実行データや、プッシュボタン３１Ｂやスティックコントローラ３１Ａの操作を制御するための操作部制御実行データ等が、各プロセスデータｎ（１〜Ｎ番まで）に対応付けて時系列に順番配列されている。
【０３８２】
次いで、演出制御用ＣＰＵ１２０は、プロセスデータ１の内容（表示制御実行データ１、ランプ制御実行データ１、音制御実行データ１、操作部制御実行データ１）に従って演出装置（演出用部品としての演出表示装置５、演出用部品としての各種ランプおよび演出用部品としてのスピーカ８Ｌ，８Ｒ、操作部（プッシュボタン３１Ｂ、スティックコントローラ３１Ａ等））の制御を実行する（Ｓ２８３）。例えば、演出表示装置５において変動パターンに応じた画像を表示させるために、表示制御部１２３に指令を出力する。また、各種ランプを点灯／消灯制御を行わせるために、ランプ制御基板１４に対して制御信号（ランプ制御実行データ）を出力する。また、スピーカ８Ｌ，８Ｒからの音声出力を行わせるために、音声制御基板１３に対して制御信号（音番号データ）を出力する。
【０３８３】
尚、この実施例では、演出制御用ＣＰＵ１２０は、変動パターン指定コマンドに１対１に対応する変動パターンによる演出図柄の変動表示が行われるように制御するが、演出制御用ＣＰＵ１２０は、変動パターン指定コマンドに対応する複数種類の変動パターンから、使用する変動パターンを選択するようにしてもよい。
【０３８４】
そして、変動時間タイマに、変動パターン指定コマンドで特定される変動時間に相当する値を設定する（Ｓ２８４）。また、変動制御タイマに所定時間を設定する（Ｓ２８５）。尚、例えば、所定時間は３０ｍｓであり、演出制御用ＣＰＵ１２０は、所定時間が経過する毎に左中右の演出図柄の表示状態を示す画像データをＶＲＡＭに書き込み、表示制御部１２３がＶＲＡＭに書き込まれた画像データに応じた信号を演出表示装置５に出力し、演出表示装置５が信号に応じた画像を表示することによって演出図柄の変動が実現される。次いで、演出制御プロセスフラグの値を演出図柄変動中処理（Ｓ７５）に対応した値にする（Ｓ２８６）。
【０３８５】
図２９は、演出制御プロセス処理における演出図柄変動中処理（Ｓ７５）を示すフローチャートである。演出図柄変動中処理において、演出制御用ＣＰＵ１２０は、プロセスタイマ、変動時間タイマ、変動制御タイマのそれぞれの値を−１する（Ｓ３０１，Ｓ３０２，Ｓ３０３）。
【０３８６】
次いで、演出制御用ＣＰＵ１２０は、変動停止演出フラグがセットされているか否かを判定する（Ｓ３０３ａ）。ここで、変動停止演出フラグがセットされていない場合は（Ｓ３０３ａ；Ｎ）、後述するＳ３０４に進む。一方、変動停止演出フラグがセットされている場合は（Ｓ３０３ａ；Ｙ）、Ｓ３０３ｂに進む。
【０３８７】
Ｓ３０３ｂにおいて演出制御用ＣＰＵ１２０は、変動停止演出用プロセステーブルが選択（セット）されているか否かを判定する。ここで、変動停止演出用プロセステーブルが選択されている場合は（Ｓ３０３ｂ；Ｙ）、後述するＳ３０６に進む。一方、変動停止演出用プロセステーブルが選択されていない場合は（Ｓ３０３ｂ；Ｎ）、Ｓ３０３ｃに進む。
【０３８８】
Ｓ３０３ｃにおいて演出制御用ＣＰＵ１２０は、ＶＲＡＭの描画領域に書き込まれている表示画面に表示中の演出画像（演出図柄以外の背景画像等）を変動停止演出用画像としてＲＡＭ１２２の保持領域にストア（格納）する。尚、ＶＲＡＭの保持領域にストアされるものであっても良い。尚、表示画面に表示中の演出画像ではなく、予め用意された静止画像をＲＡＭ１２２の保持領域に変動停止演出用画像としてストア（格納）するようにしても良い。
【０３８９】
次いで、演出制御用ＣＰＵ１２０は、実行中の変動パターンに対応する変動停止演出用プロセステーブルを選択し（Ｓ３０３ｄ）、当該選択した変動停止演出用プロセステーブルにおけるプロセスタイマ（現在のプロセスタイマ値）に対応するプロセスデータ（制御データ）を特定する（Ｓ３０３ｅ）。そして、ＲＡＭ１２２の保持領域にストアした変動停止演出用画像と特定したプロセスデータ（制御データ）の内容に従って演出装置等の制御を実行し（Ｓ３０３ｆ）、Ｓ３０６に進む。
【０３９０】
つまり、本実施例では、当該変動中に変動停止演出の対象となる保留記憶（ターゲット保留）の始動入賞がある場合には、当該演出図柄変動中処理において変動停止演出用プロセステーブルがセットされ、変動停止演出の実行が開始される。つまり、変動表示を行っている演出図柄が消去され、変動の途中で停止したかのような演出の実行が開始される。更に、当該変動に続く次の変動開始時には、演出図柄変動開始処理（図２６参照）において変動停止演出用プロセステーブルがセットされ、変動停止演出の実行が継続される。そして、ターゲット保留にもとづく変動（ターゲット変動）が開始されるまで、変動停止演出が継続されるようになっている。尚、予告演出中に変動停止演出の実行が開始された場合は、予告演出中に表示された画面が停止する演出態様となり、ターゲット保留にもとづく変動（ターゲット変動）が開始されるまで、変動停止演出が継続されるようになっている。
【０３９１】
前述した変動停止演出フラグがセットされていない場合に進むＳ３０４において、演出制御用ＣＰＵ１２０は、予告演出開始待ちタイマがセットされている（予告演出を行うことに決定されている）か否か、または、予告演出実行中フラグがセットされている（予告演出の実行中である）か否かを判定する。ここで、予告演出開始待ちタイマがセットされている場合、または、予告演出実行中フラグがセットされている場合は（Ｓ３０４；Ｙ）、図３０に示す予告演出処理を実行する（Ｓ３０５）。予告演出開始待ちタイマも予告演出実行中フラグもセットされていない場合には、Ｓ３０５の予告演出処理を実施することなく、Ｓ３０６に進む。
【０３９２】
Ｓ３０６において演出制御用ＣＰＵ１２０は、プロセスタイマがタイマアウトしたか否か確認する。プロセスタイマがタイマアウトしていたら、プロセスデータの切り替えを行う（Ｓ３０７）。すなわち、プロセステーブルにおける次に設定されているプロセスタイマ設定値をプロセスタイマに設定することによってプロセスタイマをあらためてスタートさせる（Ｓ３０８）。また、その次に設定されている表示制御実行データ、ランプ制御実行データ、音制御実行データ、操作部制御データ等にもとづいて演出装置（演出用部品）に対する制御状態を変更する（Ｓ３０９）。
【０３９３】
次に、変動制御タイマがタイマアウトしているか否かを確認する（Ｓ３１０）。変動制御タイマがタイマアウトしている場合には（Ｓ３１０；Ｙ）、演出制御用ＣＰＵ１２０は、左中右の演出図柄の次表示画面（前回の演出図柄の表示切り替え時点から３０ｍｓ経過後に表示されるべき画面）の画像データを作成し、ＶＲＡＭの描画領域に書き込む（Ｓ３１１）。そのようにして、演出表示装置５において、演出図柄の変動制御が実現される。表示制御部１２３は、設定されている背景画像等の所定領域の画像データと、プロセステーブルに設定されている表示制御実行データにもとづく画像データとを重畳したデータに基づく信号を演出表示装置５に出力する。そのようにして、演出表示装置５において、演出図柄の変動における背景画像、キャラクタ画像および演出図柄が表示される。また、変動制御タイマに所定値を再セットする（Ｓ３１２）。
【０３９４】
尚、変動停止演出が実行中である場合は、演出図柄の次表示画面の画像データの作成は実行されず、ＲＡＭ１２２の保持領域にストアした変動停止演出用画像がＶＲＡＭの描画領域に書き込まれる。そして、表示制御部１２３は、変動停止演出用画像の画像データに基づく信号を演出表示装置５に出力する。そのようにして、演出表示装置５において、同一の変動停止演出用画像の表示が繰り返して行われ、当該変動停止演出用画像が変化（動作）しないので、表示画面が停止しているような演出画像（背景画像）が表示される。
【０３９５】
また、プロセスタイマがタイマアウトしていない場合（Ｓ３０６；Ｎ）、変動制御タイマがタイマアウトしていない場合（Ｓ３１０；Ｎ）、Ｓ３１２の実行後、演出制御用ＣＰＵ１２０は、変動時間タイマがタイマアウトしているか否か確認する（Ｓ３１３）。変動時間タイマがタイマアウトしていれば、演出制御プロセスフラグの値を演出図柄変動停止処理（Ｓ７６）に応じた値に更新する（Ｓ３１５）。変動時間タイマがタイマアウトしていなくても、図柄確定指定コマンドを受信したことを示す確定コマンド受信フラグがセットされていたら（Ｓ３１４；Ｙ）、演出制御プロセスフラグの値を演出図柄変動停止処理（Ｓ７６）に応じた値に更新する（Ｓ３１５）。変動時間タイマがタイマアウトしていなくても図柄確定指定コマンドを受信したら変動を停止させる制御に移行するので、例えば、基板間でのノイズ等に起因して長い変動時間を示す変動パターン指定コマンドを受信したような場合でも、正規の変動時間経過時（特別図柄の変動終了時）に、演出図柄の変動を終了させることができる。
【０３９６】
尚、演出図柄の変動制御に用いられているプロセステーブルには、演出図柄の変動表示中のプロセスデータが設定されている。つまり、プロセステーブルにおけるプロセスデータ１〜ｎのプロセスタイマ設定値の和は演出図柄の変動時間に相当する。よって、Ｓ３０６の処理において最後のプロセスデータｎのプロセスタイマがタイマアウトしたときには、切り替えるべきプロセスデータ（表示制御実行データやランプ制御実行データ等）はなく、プロセステーブルにもとづく演出図柄の演出制御は終了する。
【０３９７】
図３０は、予告演出処理の一例を示すフローチャートである。予告演出処理において、演出制御用ＣＰＵ１２０は、予告演出実行中フラグがセットされているか否か、つまり、予告演出が開始されている場合であるか否かを判定する（Ｓ３２１）。
【０３９８】
予告演出実行中フラグがセットされていない場合には（Ｓ３２１；Ｎ）、Ｓ３２２において、演出制御用ＣＰＵ１２０は、予告演出開始待ちタイマの値を−１する。尚、予告演出開始待ちタイマは、演出図柄変動開始処理において、予告演出を行うことに決定されたときに、プロセステーブルの選択においてセットされる。予告演出開始待ちタイマがタイマアウトしていなければ（Ｓ３２３；Ｎ）、処理を終了する。予告演出開始待ちタイマがタイマアウトしている場合、つまり、予告演出の開始タイミングである場合には（Ｓ３２３；Ｙ）、Ｓ３２４に移行する。
【０３９９】
Ｓ３２４では、演出制御用ＣＰＵ１２０は、予告演出の実行中であることを示す予告演出実行中フラグをセットする。また、予告演出に該当する予告演出期間に相当する値を予告演出期間タイマにセットする（Ｓ３２５）。
【０４００】
次いで、演出制御用ＣＰＵ１２０は、実行する予告演出（予告演出Ａ、予告演出Ｂ、予告演出Ｃ）に対応した予告演出プロセステーブルを読み出してセットした後（Ｓ３２６）、選択したプロセステーブルのプロセスデータ１における予告演出プロセスタイマをスタートさせる（Ｓ３２７）。尚、本実施例では、各予告演出（予告演出Ａ、予告演出Ｂ、予告演出Ｃ）の全ての組合せに対応する予告演出プロセステーブルが、予めＲＯＭ１２１に記憶されている。
【０４０１】
そして演出制御用ＣＰＵ１２０は、セットした予告演出プロセステーブルの最初のプロセスデータ１の内容（表示制御実行データ１、ランプ制御実行データ１、音制御実行データ１、操作部制御実行データ１等）に従って演出装置（演出用部品としての演出表示装置５、演出用部品としての遊技効果ランプ９および演出用部品としてのスピーカ８Ｌ，８Ｒ、スティックコントローラ３１Ａ、プッシュボタン３１Ｂ）の制御を開始する（Ｓ３２８）。
【０４０２】
また、Ｓ３２１において予告演出実行中フラグがセットされている場合には、Ｓ３２９に進んで、演出制御用ＣＰＵ１２０は、予告演出のプロセスを変更するための予告演出プロセスタイマの値を−１する。そして、予告演出期間の終了を計時するための予告演出期間タイマの値を−１する（Ｓ３３０）。予告演出期間タイマがタイマアウト（値が０になる）した場合には（Ｓ３３１；Ｙ）、予告演出実行中フラグをクリアして予告演出処理を終了する（Ｓ３３６）。
【０４０３】
予告演出期間タイマがタイマアウトしていない場合（Ｓ３３１；Ｎ）に演出制御用ＣＰＵ１２０は、予告演出プロセスタイマがタイマアウトしたか否か確認する（Ｓ３３２）。予告演出プロセスタイマがタイマアウトしていたら、予告演出の予告演出プロセスデータの切り替えを行う（Ｓ３３３）。すなわち、予告演出プロセステーブルにおける次に設定されている予告演出プロセスタイマ設定値をプロセスタイマに設定することによってプロセスタイマをあらためてスタートさせる（Ｓ３３４）。また、その次に設定されている予告演出プロセスデータに含まれる表示制御実行データ、ランプ制御実行データ、音制御実行データ、操作部制御実行データ等にもとづいて演出装置（演出用部品）に対する制御状態を変更し（Ｓ３３５）、当該予告演出処理を終了する。
【０４０４】
このように、予告演出プロセステーブルと予告演出プロセスタイマとに基づいて予告演出の制御が実行されることにより、予告演出プロセステーブルにおける開始タイミングにおいて予告演出が開始されて、順次、予告演出プロセステーブルに記述されている予告演出の制御内容が実行されていくことで予告演出が、予告演出の期間が終了するまで実行される。
【０４０５】
図３１は、演出制御プロセス処理における演出図柄変動停止処理（Ｓ７６）を示すフローチャートである。演出図柄変動停止処理において、演出制御用ＣＰＵ１２０は、確定コマンド受信フラグがセットされているか否か確認する（Ｓ８５１）。ここで、確定コマンド受信フラグがセットされていない場合は、当該演出図柄変動停止処理を終了する。一方、確定コマンド受信フラグがセットされている場合は、確定コマンド受信フラグをリセットし（Ｓ８５２）、Ｓ８５３に進む。
【０４０６】
Ｓ８５３において演出制御用ＣＰＵ１２０は、変動停止演出フラグがセットされているか否かを判定する。ここで、変動停止演出フラグがセットされている場合は、演出図柄表示結果格納領域に格納されているデータ（停止図柄を示すデータ）に従って小図柄表示エリアに変動表示結果（停止図柄）を導出表示する制御を行い（Ｓ８５５）、後述するＳ８５７に進む。一方、変動停止演出フラグがセットされていない場合は、演出図柄表示結果格納領域に格納されているデータ（停止図柄を示すデータ）に従って演出図柄表示エリアに変動表示結果（停止図柄）を導出表示する制御を行い（Ｓ８５４）、Ｓ８５６に進む。
【０４０７】
Ｓ８５６において演出制御用ＣＰＵ１２０は、大当りとすることに決定されているか否か確認する（Ｓ８５６）。大当りとすることに決定されているか否かは、例えば、表示結果指定コマンド格納領域に格納されている表示結果指定コマンドによって確認できる。なお、この実施の形態では、決定されている停止図柄によって、大当りとすることに決定されているか否か確認することもできる。ここで、大当りとすることに決定されていない場合には、後述するＳ８５７に進む。一方、大当りとすることに決定されている場合には、Ｓ８５８に進み、演出制御プロセスフラグの値を大当り表示処理（Ｓ８０４）に応じた値に更新し、当該演出図柄変動停止処理を終了する。
【０４０８】
Ｓ８５７において演出制御用ＣＰＵ１２０は、演出制御プロセスフラグの値を変動パターン指定コマンド受信待ち処理（Ｓ７３）に応じた値に更新する（Ｓ８５７）。
【０４０９】
なお、この実施の形態では、演出制御基板１２は、図柄確定指定コマンドを受信したことを条件に、演出図柄の変動（可変表示）を終了させる。しかし、受信した変動パターン指定コマンドにもとづく変動時間タイマがタイムアウトしたら、図柄確定指定コマンドを受信しなくても、演出図柄の変動を終了させるように制御してもよい。その場合、遊技制御用マイクロコンピュータ１００は、変動表示の終了を指定する図柄確定指定コマンドを送信しないようにしてもよい。
【０４１０】
次に、変動停止演出実行時の具体例（画面例）について説明する。図３２は、変動停止演出の演出態様の一例を示す図である。
【０４１１】
図３２（Ａ）に示すように、演出図柄の変動表示中において、演出表示装置５の表示領域（画面中央部の領域）の演出図柄表示エリアに表示中の演出図柄が変動（動作）されている。そして、演出図柄の背景画像となる演出画像には、多数の星画像や飛行するキャラクタ画像などが表示されている。この演出画像はアニメーション表示として動作している。尚、演出表示装置５の表示領域の右下隅の第四図柄表示エリアに表示中の第四図柄は変動（動作）されている。更に、保留記憶表示エリアには、保留記憶表示が表示されている。
【０４１２】
演出図柄の変動表示中に始動入賞があり、当該始動入賞の保留記憶（ターゲット保留）にもとづいて変動停止演出の実行が決定された場合には、図３２（Ｂ）に示すように、変動停止演出が開始される。変動停止演出が開始されると、演出図柄表示エリアに表示中の演出図柄が消去されるとともに、演出画像の動作が停止される。本実施例では、飛行するキャラクタ画像のアニメーション表示が停止され、表示画面が途中で停止してしまったかのような態様の演出が実行される。
【０４１３】
また、変動停止演出が開始されると、演出表示装置５の表示領域の右上隅の小図柄表示エリアに小図柄の表示が開始される。遊技者は、演出図柄が消去されても、小図柄の変動（動作）によって現在変動表示中であることを認識できる。尚、本実施例では、小図柄の動作態様は、演出図柄の動作態様と同じものとなっている。具体的には、小図柄表示エリアに、演出図柄表示エリアの「左」、「中」、「右」の各図柄に対応する３つの図柄が表示され、これらの図柄が変動表示される。そして、変動停止のタイミングで小図柄の変動表示が停止される。また、小図柄の動作態様は、演出図柄の動作態様と異なるものとしても良い。例えば、演出図柄表示エリアの図柄で変動表示を行う場合にリーチ状態の図柄となるパターンであっても、小図柄表示エリアに表示される図柄では、リーチ状態とはならずに、単に図柄が変動している動画像を表示するものであっても良い。
【０４１４】
更に、保留記憶表示エリアの保留記憶表示は消去される。また、始動入賞したばかりのターゲット保留についても非表示の状態となっている。尚、第四図柄の変動（動作）は継続される。また、遊技者は、演出図柄が消去されても、第四図柄の変動（動作）によって現在変動表示中であることを認識できる。尚、演出図柄や小図柄や第四図柄などの表示態様は、前述した演出図柄変動開始処理（図２６参照）において選択される変動停止演出用プロセステーブルにもとづいて制御される。
【０４１５】
図３２（Ｃ）に示すように、変動停止演出実行中に変動停止がなされると、小図柄表示エリアに停止図柄（変動表示結果）が導出表示される。尚、本実施例では、小図柄表示エリアに導出表示される変動表示結果は、演出図柄表示エリアに導出表示される変動表示結果と同じものとなっている。具体的には、演出図柄表示エリアに導出表示される変動表示結果が３つの数字で表される場合には、同じ３つの数字が小図柄表示エリアに表示される。また、小図柄表示エリアに導出表示される変動表示結果は、演出図柄表示エリアに導出表示される変動表示結果と異なるものであっても良い。例えば、演出図柄表示エリアに導出表示される変動表示結果が３つの数字で表される場合に、小図柄表示エリアに英文字等で表される変動表示結果が導出表示されても良い。また、第四図柄も停止されて表示結果が導出表示される。
【０４１６】
図３２（Ｄ）に示すように、次の保留記憶にもとづく変動が開始されると、小図柄表示エリアの小図柄の変動（動作）が開始される。また、第四図柄の変動（動作）も開始される。尚、遊技者は、小図柄表示エリアの停止図柄により変動が停止され、次の保留記憶にもとづく変動が開始されたことを認識できる。
【０４１７】
図３２（Ｅ）に示すように、変動停止演出の実行中に新たに始動入賞があり、保留記憶数が増えた場合であっても、保留記憶表示エリアの保留記憶表示が消去されているので、新たな保留記憶表示も非表示の状態となっている。
【０４１８】
尚、変動停止演出の実行中に保留記憶の増減があっても、保留記憶表示エリアの保留記憶表示が消去中であるので、遊技者は演出表示装置５の表示画像により保留記憶数を認識することができないが、本実施例では、特図保留記憶数を特定可能に表示するための第１保留表示器２５Ａと第２保留表示器２５Ｂとが設けられているため（図１参照）、当該第１保留表示器２５Ａと第２保留表示器２５Ｂとにより、遊技者が保留記憶数を認識できるようになっている。更に、本発明はこれに限定されるものではなく、変動停止演出の実行中であっても、演出表示装置５の所定領域に保留記憶数を示す数値や画像等を表示して保留記憶数を認識できるようにしても良い。また、変動開始時に一時的に保留記憶表示を保留記憶表示エリアに再表示するようにし、その後に保留記憶表示を消去するようにしても良い。
【０４１９】
尚、本実施例では、変動停止演出の実行中に保留記憶表示エリアの保留記憶表示が消去される態様になっているが、本発明はこれに限定されるものではなく、変動停止演出の実行中であっても、保留記憶表示エリアの保留記憶表示が消去されずに表示され続ける態様であっても良い。また、その場合には、ターゲット保留であっても保留記憶表示の表示態様が特別態様に変化する演出を実行するようにしても良い。
【０４２０】
図３２（Ｆ）に示すように、ターゲット保留に至るまでの保留記憶が消化され、ターゲット保留にもとづく変動表示が開始されると、変動停止演出を解除する解除演出が実行される。本実施例では、演出表示装置５の表示画面の中央から爆煙が広がってゆくような演出がなされるとともに、キャラクタが飛び出してくるような演出がなされる。このような解除演出が実行されることで、遊技者は変動停止演出が終了したことを認識できる。
【０４２１】
図３２（Ｇ）に示すように、変動停止演出が終了してターゲット保留にもとづく変動表示が開始されると、演出図柄表示エリアに演出図柄が表示され、当該演出図柄の変動（動作）が開始される。また、小図柄表示エリアに表示されていた小図柄が消去される。また、保留記憶表示エリアの保留記憶表示が再び表示される。具体的には、変動停止演出の開始後であって、変動停止演出の実行中に始動入賞があった場合に、当該始動入賞にもとづいて発生した保留記憶にもとづく保留記憶表示が保留記憶表示エリアに表示される。尚、本実施例では、第四図柄が変動停止演出の開始前、実行中、終了後に亘って継続して表示される。
【０４２２】
次に、変形例としての変動停止演出の態様について図３３〜図３５を参照して説明する。尚、図３３は、前述した実施例の図２３の先読み予告演出決定処理に対応するフローチャートの変形例である。図３３の先読み予告演出決定処理においてＳ２５８ａ〜Ｓ２５８ｃ、Ｓ２５９＋のステップが、前述した実施例の先読み予告演出決定処理のフローチャートと異なっているステップとなっている。尚、その他のステップについては説明を省略する。
【０４２３】
図３３に示すように、Ｓ２５８において演出制御用ＣＰＵ１２０は、変動停止演出を決定していると判定した場合は（Ｓ２５８；Ｙ）、Ｓ２５８ａに進んで、始動入賞時受信コマンドバッファ１９４Ａにおける表示未決定フラグに「１」がセットされているエントリの図柄指定コマンドが第１図柄指定コマンドであるか否か、つまり、図柄指定コマンドがハズレを示すコマンドであるか否かを判定する。
【０４２４】
ここで、該エントリの図柄指定コマンドが第１図柄指定コマンドでない場合、つまり、大当り（確変大当りＡ、確変大当りＢ、非確変大当りのいずれか）を示すコマンドである場合は（Ｓ２５８ａ；Ｎ）、Ｓ２５８ｂに進む。一方、該エントリの図柄指定コマンドが第１図柄指定コマンドである場合、つまり、ハズレを示すコマンドである場合は（Ｓ２５８ａ；Ｙ）、Ｓ２５８ｃに進む。
【０４２５】
Ｓ２５８ｂにおいて演出制御用ＣＰＵ１２０は、図３４（Ａ）に示す大当り時変動停止演出解除タイミング決定テーブルを用いて変動停止演出シフトカウンタの値を決定する。図３４（Ａ）に示す大当り時変動停止演出解除タイミング決定テーブルにおいて合計保留記憶数ごとに定められた割合で、変動停止演出を解除するタイミング（シフト回数）を１〜８のいずれかの値に決定する。
【０４２６】
Ｓ２５８ｃにおいて演出制御用ＣＰＵ１２０は、図３４（Ｂ）に示すはずれ時変動停止演出解除タイミング決定テーブルを用いて変動停止演出シフトカウンタの値を決定する。図３４（Ｂ）に示すはずれ時変動停止演出解除タイミング決定テーブルにおいて合計保留記憶数ごとに定められた割合で、変動停止演出を解除するタイミング（シフト回数）を１〜８のいずれかの値に決定する。
【０４２７】
例えば、図３４（Ａ）に示す大当り時変動停止演出解除タイミング決定テーブルを用いるときに、合計保留記憶数が３である場合には、演出制御用ＣＰＵ１２０は、５０％の割合で解除タイミング（シフト回数）を３と決定し、３０％の割合で解除タイミング（シフト回数）を２と決定し、２０％の割合で解除タイミング（シフト回数）を１と決定する。また、合計保留記憶数が８である場合には、演出制御用ＣＰＵ１２０は、３０％の割合で解除タイミング（シフト回数）を８と決定し、２５％の割合で解除タイミング（シフト回数）を７と決定し、２０％の割合で解除タイミング（シフト回数）を６と決定し、９％の割合で解除タイミング（シフト回数）を５と決定し、７％の割合で解除タイミング（シフト回数）を４と決定し、５％の割合で解除タイミング（シフト回数）を３と決定し、３％の割合で解除タイミング（シフト回数）を２と決定し、１％の割合で解除タイミング（シフト回数）を１と決定する。
【０４２８】
また、図３４（Ｂ）に示すはずれ時変動停止演出解除タイミング決定テーブルを用いるときに、合計保留記憶数が３である場合には、演出制御用ＣＰＵ１２０は、２０％の割合で解除タイミング（シフト回数）を３と決定し、３０％の割合で解除タイミング（シフト回数）を２と決定し、５０％の割合で解除タイミング（シフト回数）を１と決定する。また、合計保留記憶数が８である場合には、演出制御用ＣＰＵ１２０は、１％の割合で解除タイミング（シフト回数）を８と決定し、３％の割合で解除タイミング（シフト回数）を７と決定し、５％の割合で解除タイミング（シフト回数）を６と決定し、７％の割合で解除タイミング（シフト回数）を５と決定し、９％の割合で解除タイミング（シフト回数）を４と決定し、２０％の割合で解除タイミング（シフト回数）を３と決定し、２５％の割合で解除タイミング（シフト回数）を２と決定し、３０％の割合で解除タイミング（シフト回数）を１と決定する。
【０４２９】
図３４に示す各変動停止演出解除タイミング決定テーブルにおいて特徴的なことは、変動表示の表示結果が「はずれ」である場合に比べて、変動表示の表示結果が「大当り」である場合の方が、シフト回数が多い解除タイミングに決定する割合が高くなるように判定値が設定されていることである。このような特徴を備えていることによって、変動表示の表示結果が「大当り」である場合は、保留記憶数に応じて長期間に渡って変動停止演出が継続される割合が高く、変動表示の表示結果が「はずれ」である場合は、保留記憶数が多くても短期間で変動停止演出が解除される割合が高くなる。そのため、長期間に渡って変動停止演出が継続されること、つまり変動停止演出の解除タイミングに関心を持たせることができ、遊技興趣を高めることができる。
【０４３０】
尚、本実施例では、説明を簡略化するために、変動停止演出の解除タイミングを、変動停止演出の対象となる保留記憶（ターゲット保留）にもとづいて変動表示が開始されるまでの任意のシフトタイミングとしているが、ターゲット保留にもとづく変動表示が開始されるまでの任意のタイミングで表示態様を変化可能とする場合には、例えば、変化させるタイミング（特定のシフトタイミングや特定の変動表示中など）を特定可能な複数種類の変化タイミングパターンを設け、入賞時判定結果に応じていずれかを選択するようにしてもよい。
【０４３１】
また、図３４に示す例では、シフト回数が多い方（つまり解除タイミングが遅いほど）が有利（大当り期待度が高く）になり、シフト回数が少ない方（つまり解除タイミングが早いほど）が不利（大当り期待度が低く）になるように設定されているが、本発明はこれに限定されるものではなく、シフト回数が少ない方（つまり解除タイミングが早いほど）が有利（大当り期待度が高く）になり、シフト回数が多い方（つまり解除タイミングが遅いほど）が不利（大当り期待度が低く）になるように設定されても良い。
【０４３２】
図３３に戻り、Ｓ２５８ｂまたはＳ２５８ｃの実行後、演出制御用ＣＰＵ１２０は、変動停止演出フラグをセットするとともに、決定した変動停止演出シフトカウンタをセットし（Ｓ２５９＋）、当該エントリの保留表示フラグに、変動停止演出の実行決定を示す「３」をセットした後（Ｓ２６０）、Ｓ２５１に進む。
【０４３３】
このように先読み予告演出決定処理がなされることで、図３５に示すように、変動停止演出が実行される。図３５（Ａ）に示すように、演出図柄の変動表示中において、前記実施例と同様に、演出表示装置５の表示領域（画面中央部の領域）の演出図柄表示エリアに表示中の演出図柄が変動（動作）されている。
【０４３４】
演出図柄の変動表示中に始動入賞があり、当該始動入賞の保留記憶（ターゲット保留）にもとづいて変動停止演出の実行が決定された場合には、図３５（Ｂ）に示すように、変動停止演出が開始される。変動停止演出が開始されると、演出図柄表示エリアに表示中の演出図柄が消去されるとともに、演出画像の動作が停止される。
【０４３５】
また、変動停止演出が開始されると、演出表示装置５の表示領域の右上隅の小図柄表示エリアに小図柄の表示が開始される。更に、保留記憶表示エリアの保留記憶表示は消去される。また、始動入賞したばかりのターゲット保留についても非表示の状態となっている。尚、第四図柄の変動（動作）は継続される。
【０４３６】
図３５（Ｃ）に示すように、変動停止演出実行中に変動停止がなされると、小図柄表示エリアに停止図柄（変動表示結果）が導出表示される。尚、第四図柄も停止されて表示結果が導出表示される。この第四図柄という表示面積の小さい画像により表示結果を導出表示することで、変動停止演出の演出態様（表示画面が停止しているかのような演出態様）に影響を与えないようにしている。
【０４３７】
そして、変形例においては、ターゲット保留にもとづく変動表示が開始される前に、変動停止演出を解除する解除演出が実行される場合と（図３５（Ｄ）参照）、ターゲット保留に至るまでの保留記憶が消化され、ターゲット保留にもとづく変動表示が開始されると、変動停止演出を解除する解除演出が実行される場合と（図３５（Ｅ）参照）がある。
【０４３８】
例えば、ターゲット保留を含む保留記憶が４個ある場合において、前述した先読み予告演出決定処理において変動停止演出シフトカウンタが「１」に設定されたときには、図３５（Ｄ）に示すように、１個目の保留記憶にもとづく変動表示が開始されたとき、つまりシフト１回目で変動停止演出を解除する解除演出が実行される。尚、ターゲット保留にもとづく変動表示が開始される以前に、変動停止演出を解除した場合には、ターゲット保留にもとづく変動表示が開始まで、新たな変動停止演出が実行されることを制限するようになっている。
【０４３９】
また、ターゲット保留を含む保留記憶が４個ある場合において、前述した先読み予告演出決定処理において変動停止演出シフトカウンタが合計保留記憶数と同じ「４」に設定されたときには、図３５（Ｅ）に示すように、ターゲット保留に至るまでの保留記憶が消化され、ターゲット保留にもとづく変動表示が開始されたとき、つまりシフト４回目で変動停止演出を解除する解除演出が実行される。
【０４４０】
次に、他の変形例としての変動停止演出の態様について図３６を参照して説明する。前記実施例では、変動停止演出が開始されると演出図柄が消去される演出態様になっているが、本変形例では、変動停止演出が開始されると演出図柄が停止される演出態様になっている。また、本変形例では、変動停止演出の実行中に、小図柄が表示されない態様となっている。また、本変形例では、変動停止演出の実行中に、第四図柄が拡大して表示される態様となっている。
【０４４１】
具体的には、図３６（Ａ）に示すように、演出図柄の変動表示中において、演出表示装置５の表示領域（画面中央部の領域）の演出図柄表示エリアに表示中の演出図柄が変動（動作）されている。そして、演出図柄の背景画像となる演出画像には、多数の星画像や飛行するキャラクタ画像などが表示されている。この演出画像はアニメーション表示として動作している。尚、演出表示装置５の表示領域の右下隅の第四図柄表示エリアに表示中の第四図柄は変動（動作）されている。更に、保留記憶表示エリアには、保留記憶表示が表示されている。
【０４４２】
演出図柄の変動表示中に始動入賞があり、当該始動入賞の保留記憶（ターゲット保留）にもとづいて変動停止演出の実行が決定された場合には、図３６（Ｂ）に示すように、変動停止演出が開始される。変動停止演出が開始されると、演出図柄表示エリアに表示中の演出図柄が停止されるとともに、演出画像の動作が停止される。
【０４４３】
また、変動停止演出が開始されると、保留記憶表示エリアの保留記憶表示は消去される。また、始動入賞したばかりのターゲット保留についても非表示の状態となっている。尚、第四図柄の変動（動作）は継続されるとともに、この第四図柄は拡大して表示される。第四図柄が拡大して表示されることで、遊技者は、第四図柄を視認し易くなり、かつ演出図柄が消去されても、第四図柄の変動（動作）によって現在変動表示中であることを認識できる。
【０４４４】
図３６（Ｃ）に示すように、変動停止演出実行中に変動停止がなされると、第四図柄が停止されて表示結果が導出表示される。また、図３６（Ｄ）に示すように、次の保留記憶にもとづく変動が開始されると、第四図柄の変動（動作）が開始される。
【０４４５】
図３６（Ｅ）に示すように、変動停止演出の実行中に新たに始動入賞があり、保留記憶数が増えた場合であっても、保留記憶表示エリアの保留記憶表示が消去されているので、新たな保留記憶表示も非表示の状態となっている。
【０４４６】
図３６（Ｆ）に示すように、ターゲット保留に至るまでの保留記憶が消化され、ターゲット保留にもとづく変動表示が開始されると、変動停止演出を解除する解除演出が実行される。本実施例では、演出表示装置５の表示画面の中央から爆煙が広がってゆくような演出がなされるとともに、キャラクタが飛び出してくるような演出がなされる。このような解除演出が実行されることで、遊技者は変動停止演出が終了したことを認識できる。
【０４４７】
図３６（Ｇ）に示すように、変動停止演出が終了してターゲット保留にもとづく変動表示が開始されると、演出図柄表示エリアに演出図柄が表示され、当該演出図柄の変動（動作）が開始される。また、保留記憶表示エリアの保留記憶表示が再び表示される。また、第四図柄の拡大表示が終了して通常の第四図柄の表示態様となる。尚、本実施例では、第四図柄が変動停止演出の開始前、実行中、終了後に亘って継続して表示される。
【０４４８】
尚、図３６に示す変形例では、変動停止演出が開始されると演出図柄が停止される演出態様になっているが、この演出図柄が停止されるとともに、各演出図柄が揺れ動く演出を行うようにしても良い。このようにすることで、変動停止演出が開始されて演出図柄の変動が停止されても、各演出図柄が揺れ動いているため、遊技者は、パチンコ遊技機１が故障等を起こしたものではなく、変動停止演出を実行中であることを認識できる。
【０４４９】
次に、さらなる他の変形例としての変動停止演出の態様について図３７を参照して説明する。前記実施例では、変動停止演出が開始されると演出図柄が消去され、小図柄の表示がなされるとともに、第四図柄は、変動停止演出の開始前、実行中、終了後に亘って継続して表示されるようになっているが、本変形例では、変動停止演出が開始されると演出図柄が消去されるとともに、第四図柄が消去され、更に、小図柄が表示されない態様となっている。つまり、変動停止演出の実行中に、演出表示装置５における全ての変動表示が消去される。
【０４５０】
具体的には、図３７（Ａ）に示すように、演出図柄の変動表示中において、演出表示装置５の表示領域（画面中央部の領域）の演出図柄表示エリアに表示中の演出図柄が変動（動作）されている。そして、演出図柄の背景画像となる演出画像には、多数の星画像や飛行するキャラクタ画像などが表示されている。この演出画像はアニメーション表示として動作している。尚、演出表示装置５の表示領域の右下隅の第四図柄表示エリアに表示中の第四図柄は変動（動作）されている。更に、保留記憶表示エリアには、保留記憶表示が表示されている。
【０４５１】
演出図柄の変動表示中に始動入賞があり、当該始動入賞の保留記憶（ターゲット保留）にもとづいて変動停止演出の実行が決定された場合には、図３７（Ｂ）に示すように、変動停止演出が開始される。変動停止演出が開始されると、演出図柄表示エリアに表示中の演出図柄が消去されるとともに、演出画像の動作が停止される。
【０４５２】
また、変動停止演出が開始されると、保留記憶表示エリアの保留記憶表示は消去される。また、始動入賞したばかりのターゲット保留についても非表示の状態となっている。尚、第四図柄の変動（動作）も消去される。
【０４５３】
図３７（Ｃ）に示すように、変動停止演出実行中に変動停止がなされても、演出表示装置５における表示画像の変化（動作）はない。また、図３７（Ｄ）に示すように、次の保留記憶にもとづく変動が開始されても、演出表示装置５における表示画像の変化（動作）はない。このように本変形例では、小図柄や第四図柄すら表示しないようになっている。
【０４５４】
尚、本変形例や前述した実施例などでも、第１保留表示器２５Ａと第２保留表示器２５Ｂでは、保留記憶数の増減に応じた表示がなされ、第１特別図柄表示器４Ａと第２特別図柄表示器４Ｂでは、特図が止まらずに継続しており、これら保留表示器２５Ａ，２５Ｂや特別図柄表示器４Ａ，４Ｂの制御は、変動停止演出が実行中であるか非実行中であるかに係らず実行されるようになっている。
【０４５５】
図３７（Ｅ）に示すように、変動停止演出の実行中に新たに始動入賞があり、保留記憶数が増えた場合であっても、保留記憶表示エリアの保留記憶表示が消去されているので、新たな保留記憶表示も非表示の状態となっており、演出表示装置５における表示画像の変化（動作）はない。
【０４５６】
図３７（Ｆ）に示すように、ターゲット保留に至るまでの保留記憶が消化され、ターゲット保留にもとづく変動表示が開始されると、変動停止演出を解除する解除演出が実行される。本実施例では、演出表示装置５の表示画面の中央から爆煙が広がってゆくような演出がなされるとともに、キャラクタが飛び出してくるような演出がなされる。このような解除演出が実行されることで、遊技者は変動停止演出が終了したことを認識できる。
【０４５７】
図３７（Ｇ）に示すように、変動停止演出が終了してターゲット保留にもとづく変動表示が開始されると、演出図柄表示エリアに演出図柄が表示され、当該演出図柄の変動（動作）が開始される。また、保留記憶表示エリアの保留記憶表示が再び表示される。また、第四図柄が再び表示される。
【０４５８】
以上、本実施例のパチンコ遊技機１にあっては、演出制御用ＣＰＵ１２０が、図２３に示す先読み予告演出決定処理のＳ２５４またはＳ２５６にて変動停止演出の演出パターンを決定し、図２６に示す演出図柄変動開始処理及び図２９に示す演出図柄変動中処理にて変動停止演出用プロセステーブルの内容に従って変動停止演出を実行することで、入賞時乱数値判定処理の判定結果に基づいて、実行中の変動表示以外の変動表示に関しても、変動表示の変動態様が変更されるので、変動表示の変動態様を変更することによる遊技興趣を向上できる。
【０４５９】
また、本実施例によれば、図３２（Ｂ）に示すように、変動停止演出を開始したときに演出図柄を消去するとともに小図柄の表示を開始することで、小図柄を用いて変動表示が継続していることを遊技者が認識することができる。
【０４６０】
また、本実施例によれば、図３２（Ｃ）に示すように、変動停止演出実行中に変動停止がなされると、小図柄表示エリアに停止図柄が導出表示されることで、保留記憶にもとづく変動表示の変動の区切りを認識することができる。
【０４６１】
また、図３３の変形例に示すように、演出制御用ＣＰＵ１２０が、先読み予告演出決定処理のＳ２５８ｂまたはＳ２５８ｃにて変動停止演出解除タイミング決定テーブルを用いて変動停止演出を解除するタイミングを決定することで、変動停止演出の終了タイミングに注目させることができ、遊技興趣を向上できる。
【０４６２】
尚、前記変形例では、変動停止演出を解除するタイミングを決定するようにし、この解除タイミングに応じて大当り期待度が異なるようなる例を開示しているが、本発明はこれに限定されるものではなく、変動停止演出を終了後の変動表示を開始する開始タイミングを決定するようにし、当該開始タイミングに応じて大当り期待度が異なるようにしても良い。
【０４６３】
また、本実施例によれば、演出制御用ＣＰＵ１２０が、図２２及び図２３に示す先読み予告演出決定処理のＳ２４２ａ〜Ｓ２４２ｄにて変動停止演出の実行決定条件が成立していないときに変動停止演出の演出パターンを決定しないようにしていることで、変動停止演出が実行されると遊技興趣が低下してしまう場合に、変動停止演出を制限することができる。
【０４６４】
また、本実施例によれば、演出制御用ＣＰＵ１２０が、図２７に示す予告演出決定処理のＳ２９６にて変動停止演出の解除演出が決定され、変動停止演出の解除演出を実行することで、変動停止演出が終了して演出図柄の変動表示が可能となることを遊技者に認識させることができる。
【０４６５】
また、図３６（Ｂ）の変形例に示すように、演出図柄を停止状態にすることで、実行中の演出図柄の変動表示の変動態様が停止されるので、意外性を高めて遊技興趣を向上できる。
【０４６６】
また、図３２（Ｂ）に示すように、演出図柄を非表示状態にすることで、実行中の演出図柄の変動表示の変動態様が停止されるので、意外性を高めて遊技興趣を向上できる。
【０４６７】
また、本実施例によれば、リーチ演出中に変動停止演出を実行しないようにしていることで、特別な演出が実行中であるときに、変動停止演出が実行されて遊技興趣が低下してしまうことを防止できる。
【０４６８】
また、本実施例によれば、演出制御用ＣＰＵ１２０が、図２２及び図２３に示す先読み予告演出決定処理のＳ２４２にて表示未決定フラグに「１」がセットされているエントリが有る場合である始動入賞時に変動停止演出の実行の有無を決定することで、変動停止演出の実行が新たに記憶された保留記憶と関連があるように見せることができ、いずれの判定結果にもとづくものであるかを遊技者が認識し易くなる。
【０４６９】
以上、本発明の実施例を図面により説明してきたが、具体的な構成はこれら実施例に限られるものではなく、本発明の要旨を逸脱しない範囲における変更や追加があっても本発明に含まれる。
【０４７０】
例えば、前記実施例では、遊技機の一例としてパチンコ遊技機１を例示しているが、本発明はこれに限定されるものではなく、例えば、予め定められた球数の遊技球が遊技機内部に循環可能に内封され、遊技者による貸出要求に応じて貸し出された貸出球や、入賞に応じて付与された賞球数が加算される一方、遊技に使用された遊技球数が減算されて記憶される、所謂、封入式遊技機にも本発明を適用可能である。尚、これら封入式遊技機においては遊技球ではなく得点やポイントが遊技者に付与されるので、これら付与される得点やポイントが遊技価値に該当する。
【０４７１】
また、本実施例では、変動時間及びリーチ演出の種類等の変動態様を示す変動パターンを演出制御用ＣＰＵ１２０に通知するために、変動を開始するときに１つの変動パターン指定コマンドを送信する例を示したが、２つ乃至それ以上のコマンドにより変動パターンを演出制御用ＣＰＵ１２０に通知するようにしてもよい。具体的には、２つのコマンドにより通知する場合、ＣＰＵ１０３は、１つ目のコマンドでは、例えば、擬似連の有無、滑り演出の有無等、リーチとなる以前（リーチとならない場合には所謂第２停止の前）の変動時間や変動態様を示すコマンドを送信し、２つ目のコマンドではリーチの種類や再抽選演出の有無等、リーチとなった以降（リーチとならない場合には所謂第２停止の後）の変動時間や変動態様を示すコマンドを送信するようにしてもよい。この場合、演出制御用ＣＰＵ１２０は２つのコマンドの組合せから導かれる変動時間に基づいて変動表示における演出制御を行うようにすればよい。
【０４７２】
尚、ＣＰＵ１０３の方では２つのコマンドのそれぞれにより変動時間を通知し、それぞれのタイミングで実行される具体的な変動態様については演出制御用ＣＰＵ１２０の方で選択を行うようにしてもよい。２つのコマンドを送る場合、同一のタイマ割込内で２つのコマンドを送信するようにしてもよく、１つ目のコマンドを送信した後、所定期間が経過してから（例えば次のタイマ割込において）２つ目のコマンドを送信するようにしてもよい。尚、それぞれのコマンドで示される変動態様はこの例に限定されるわけではなく、送信する順序についても適宜変更可能である。このように２つ乃至それ以上のコマンドにより変動パターンを通知する様にすることで、変動パターン指定コマンドとして記憶しておかなければならないデータ量を削減することができる。
【０４７３】
また、前記実施例では、遊技球を打球発射装置により遊技領域よりも下方から打ち出す形態を例示したが、本発明はこれに限定されるものではなく、例えば、前記打球発射装置をパチンコ遊技機１における遊技領域の上方位置に設けることによって、遊技球を遊技領域の上方位置から打ち出すようにしても良い。
【０４７４】
また、前記実施例では、大当り遊技において大入賞口の開放を実施することで多くの遊技球を獲得できる大当りのみを発生させる形態を例示しているが、本発明はこれに限定されるものではなく、例えば、確変大当りＢを、ラウンド遊技における大入賞口の開放時間を著しく短くして、大入賞口が開放したことを遊技者に認識されないようにして、該確変大当りＢの発生により、突然に確変状態となったように見せる突確大当りとしても良い。尚、これら確変大当りＢを突確大当りとする場合には、該確変大当りＢの大当り遊技における大入賞口の開放パターンと同一の開放パターンにて大入賞口を開放する小当りを設けるようにして、確変大当りＢや小当りの発生後の遊技状態が、高確状態であるのか、或いは低確状態にあるのかが不明な状態（いわゆる潜伏状態）が発生するようにしても良い。
【０４７５】
また、前記実施例では、始動入賞口を、第１始動入賞口と第２始動入賞口の２つとした形態を例示しているが、本発明はこれに限定されるものではなく、始動入賞口を１つのみとしても良いし、始動入賞口を３以上としても良い。
【０４７６】
また、前記実施例では、特別図柄を、第１特図と第２特図の２つとした形態を例示しているが、本発明はこれに限定されるものではなく、特別図柄を１つのみとしても良いし、特別図柄を３以上としても良い。
【０４７７】
また、前記実施例では、変動停止演出を開始するときに、演出制御用ＣＰＵ１２０は、ＶＲＡＭの描画領域に書き込まれている表示画面に表示中の演出画像（演出図柄以外の背景画像等）を変動停止演出用画像としてＲＡＭ１２２の保持領域にストア（格納）し、このストアされた変動停止演出用画像を変動停止演出の実行期間中に表示するようにしているが、本発明はこれに限定されるものではなく、予め変動停止演出用画像（静止画像）を用意しておき、変動停止演出を開始するときに、この予め用意された変動停止演出用画像を変動停止演出の実行期間中に表示するようにしても良い。尚、この場合には、変動表示中の画像と全く異なる変動停止演出専用の画像を用いて変動停止演出を実行するようにしても良い。また、変動停止演出専用の画像として真っ黒な画像（ブラックアウト画像）を用いても良い。
【０４７８】
また、前記実施例では、変動表示中に始動入賞があることにもとづいて変動停止演出用画像をストアし、このストアされた変動停止演出用画像を用いて変動停止演出を実行するようになっているが、本発明はこれに限定されるものではなく、変動表示中に表示中の映像が所定タイミング、例えば、予め用意された変動停止演出用画像に対応する映像が表示中であるときに、始動入賞があることにもとづいて変動停止演出を実行することを決定しても良い。このようにすることでも、変動停止演出用画像が予め用意されたものであっても、遊技者は、動作中の表示画像が停止されたように見えるようになる。
【０４７９】
また、前記実施例では、変動停止演出を解除する解除演出が実行されるときに、演出表示装置５の表示画面の中央から爆煙が広がってゆくような演出がなされるが、本発明はこれに限定されるものではなく、解除演出の演出態様は、その他の演出態様であっても良い。例えば、変動停止演出が開始されるときに停止した演出図柄が再び動作する演出態様などであっても良い。
【０４８０】
また、前記実施例及び変形例では、始動入賞口を遊技球が通過（進入）することによる始動入賞のタイミングで変動停止演出の実行の有無を決定するようにしているが、本発明はこれに限定されるものではなく、一般入賞口を遊技球が通過（進入）することによる一般入賞のタイミングで変動停止演出の実行の有無を決定するようにしても良いし、始動入賞口や一般入賞口を遊技球が通過（進入）してから所定時間経過後の任意のタイミングで変動停止演出の実行の有無を決定するようにしても良い。また、ワープ出口から始動入賞口に至るワープ通過球流下領域を設けるようにし、このワープ通過をしたタイミングで変動停止演出の実行の有無を決定するようにしても良い。
【０４８１】
また、前記実施例及び変形例では、始動入賞口を遊技球が通過（進入）することによる始動入賞のタイミングで変動停止演出を実行しているが、本発明はこれに限定されるものではなく、始動入賞のタイミングで変動停止演出を実行せずに、以下に示すように、その他のタイミングで変動停止演出を実行するようにしても良い。つまり、本発明の「所定条件が成立したとき」とは、始動入賞のタイミング以外のその他のタイミングであっても良い。
【０４８２】
具体的には、先読み予告演出の対象となる保留記憶の始動入賞が発生した後のタイミングとなる、該始動入賞が発生してから所定期間が経過したタイミング、或いは、予め定められた変動停止演出実行タイミングのうち他の始動入賞が発生した後の最初の変動停止演出実行タイミング等において実行しても良い。
【０４８３】
更には、変動停止演出を、先読み予告演出の対象となる保留記憶の始動入賞を契機として実行するのではなく、これら先読み予告演出の対象となる保留記憶の始動入賞以外の始動入賞、具体的には、先読み予告演出の対象となる保留記憶の始動入賞後において、該先読み予告演出の対象となる保留記憶に基づいて実行される変動表示が実行されるまでの間に発生した、他の始動入賞を契機として変動停止演出を実行するようにしても良い。尚、この場合には、他の始動入賞が始動入賞したときにおける保留記憶に、先読み予告演出の対象となる保留記憶が存在するか否かを判定し、存在する場合において変動停止演出を、これら他の始動入賞が発生したタイミング、これら他の始動入賞が発生してから所定期間が経過したタイミング、予め定められた変動停止演出実行タイミングのうち、他の始動入賞が発生した後の最初の変動停止演出実行タイミング等において実行すれば良い。
【０４８４】
尚、上記したタイミングは、いずれも、始動入賞を契機とするタイミングを「所定条件が成立したとき」とした形態としているが、本発明はこれに限定されるものではなく、これら「所定条件が成立したとき」を、例えば、変動開始のタイミングや、変動中におけるリーチ状態となる前の所定のタイミングや、遊技者が遊技球の発射操作やプッシュボタン等を操作したタイミング等のように、始動入賞を契機としないものとしても良い。
【０４８５】
また、前記実施例及び変形例では、変動停止演出が開始されると演出図柄が非表示状態または停止状態になるようになっているが、本発明はこれに限定されるものではなく、非表示状態または停止状態になる本発明の「可変表示」は、演出図柄以外のものであっても良い。例えば、リーチ演出中などに小図柄が表示されるようにし、変動停止演出が開始されると小図柄が非表示状態または停止状態になるものであっても良い。
【０４８６】
また、前記実施例及び変形例では、変動停止演出が開始されると演出図柄が非表示状態または停止状態になるようになっているが、本発明はこれに限定されるものではなく、本発明の「実行中の可変表示の変動態様を第１態様から該第１態様と異なる第２態様に変更する」ことが、演出図柄の変動速度が変化するもの、例えば、演出図柄がゆっくり変動するものや、演出図柄のスクロール方向が縦方向から横方向に変化するものや、演出図柄の色調が変化するものなどであっても良い。また、ストアされた変動停止演出用画像を変動停止演出の実行期間中に表示するときに、カラー画像である変動停止演出用画像をモノクロ画像（黄色や金色やセピア色などの色彩の画像）として変動停止演出の実行期間中に表示したり、カラー画像である変動停止演出用画像の色調を変化（色調反転のネガ画像など）させて変動停止演出の実行期間中に表示したりしても良い。また、変動停止演出の実行を開始させたときに表示画面を暗くする態様（ブラックアウトさせる態様）であっても良い。
【０４８７】
また、前記実施例では、変動表示中にリーチ成立中でない場合に、変動停止演出の実行を決定可能とし、リーチ成立中である場合には、変動停止演出の実行を決定しないようにしているが、本発明はこれに限定されるものではなく、擬似連などやその他、遊技興趣を高める演出を実行中である場合には、変動停止演出の実行を決定しないようにしても良い。尚、リーチ成立中である場合とは、演出図柄の左右２つが停止して残り１つの演出図柄が変動中である状態（テンパイになった状態）や、リーチ演出を実行中の状態などを含み、双方の状態を含むものであっても良いし、いずれか一方を含むものであっても良い。
【０４８８】
また、前記実施例では、変動表示中にリーチ成立中でない場合に、変動停止演出の実行を決定可能とし、リーチ成立中である場合には、変動停止演出の実行を決定しないようにしているが、本発明はこれに限定されるものではなく、リーチ成立中であっても、変動停止演出の実行を決定しても良い。
【０４８９】
また、前記実施例及び変形例では、変動停止演出が開始されると演出表示装置５に表示中の演出図柄が非表示状態または停止状態になるようになっているが、本発明はこれに限定されるものではなく、第１特別図柄表示器４Ａと第２特別図柄表示器４Ｂの変動表示が非表示状態または停止状態になるものであっても良い。
【０４９０】
尚、本発明の「実行中の可変表示の変動態様を第１態様から該第１態様と異なる第２態様に変更する」は、演出図柄を小図柄に変更することを含む概念であっても良いし、また、単に演出図柄を停止状態または非表示状態にするものであっても良い。また、本発明の「可変表示」という用語には、演出図柄を含むものであって、小図柄を含むものであっても良いし、小図柄を含めないものとしても良い。また、本発明の「可変表示」という用語は、演出図柄を含むものであって、第四図柄を含むものであっても良いし、第四図柄を含めないものであっても良い。また、前記実施例及び変形例において、本発明の「可変表示」という用語は、第１特別図柄表示器４Ａと第２特別図柄表示器４Ｂを含まないものとして例示しているが、第１特別図柄表示器４Ａと第２特別図柄表示器４Ｂを含めるものとしても良い。
【０４９１】
尚、前記実施例及び変形例において、本発明の「変動態様」が、演出図柄が変動中の変動表示を例示しているが、この「変動態様」には、演出図柄が停止中の変動表示や、停止中に各演出図柄が揺れ動く演出を実行中の態様も含まれる。例えば、演出図柄が停止中の変動表示が非表示になることや、停止中に各演出図柄が揺れ動く演出を実行中の態様が、完全に停止（揺れが無くなる）することなども、第１態様から第２態様に変更されること、つまり変動停止演出に含まれる。
【０４９２】
また、前記実施例及び変形例では、変動停止演出を開始したときに演出図柄を消去するとともに小図柄の表示を開始し、変動停止演出を終了したときに小図柄を消去するとともに演出図柄の表示を開始するようになっているが、本発明はこれに限定されるものではなく、変動停止演出を開始する以前から小図柄を表示するもの、つまり常に小図柄を表示するようにしても良い。
【符号の説明】
【０４９３】
１                パチンコ遊技機
４Ａ              第１特別図柄表示器
４Ｂ              第２特別図柄表示器
５                演出表示装置
１００            遊技制御用マイクロコンピュータ
１２０            演出制御用ＣＰＵ
【図１】
2015217185.tif 000003
【図２】
2015217185.tif 000004
【図３】
2015217185.tif 000005
【図４】
2015217185.tif 000006
【図５】
2015217185.tif 000007
【図６】
2015217185.tif 000008
【図７】
2015217185.tif 000009
【図８】
2015217185.tif 000010
【図９】
2015217185.tif 000011
【図１０】
2015217185.tif 000012
【図１１】
2015217185.tif 000013
【図１２】
2015217185.tif 000014
【図１３】
2015217185.tif 000015
【図１４】
2015217185.tif 000016
【図１５】
2015217185.tif 000017
【図１６】
2015217185.tif 000018
【図１７】
2015217185.tif 000019
【図１８】
2015217185.tif 000020
【図１９】
2015217185.tif 000021
【図２０】
2015217185.tif 000022
【図２１】
2015217185.tif 000023
【図２２】
2015217185.tif 000024
【図２３】
2015217185.tif 000025
【図２４】
2015217185.tif 000026
【図２５】
2015217185.tif 000027
【図２６】
2015217185.tif 000028
【図２７】
2015217185.tif 000029
【図２８】
2015217185.tif 000030
【図２９】
2015217185.tif 000031
【図３０】
2015217185.tif 000032
【図３１】
2015217185.tif 000033
【図３２】
2015217185.tif 000034
【図３３】
2015217185.tif 000035
【図３４】
2015217185.tif 000036
【図３５】
2015217185.tif 000037
【図３６】
2015217185.tif 000038
【図３７】
2015217185.tif 000039